【事件の表示】
　特許第２９３３１３９号「遊技機」の請求項１，２に係る特許に対する特許異議の申立てについて、次のとおり決定する。
【結　論】
　訂正を認める。
　特許第２９３３１３９号の請求項１，２に係る特許を維持する。
【理　由】
【１】手続きの経緯
　特許２９３３１３９号の請求項１，２に係る発明（以下「本件各発明」という。）は、平成２年２月２６日に特許出願され、平成１１年５月２８日に特許の設定登録がなされた。
　これに対して、「河井清悦」より特許異議の申立てがなされ、取消理由通知がなされ、その指定期間内である平成１２年７月１７日に訂正請求がなされたが、再度、取消理由通知がなされ、その指定期間内である平成１２年９月１９日に上記訂正請求が取り下げられるとともに新たな訂正請求がなされた。
　
【２】訂正の内容
（１）特許請求の範囲の訂正
　請求項１，２を下記のとおり訂正。
　「【請求項１】遊技領域に配設された入賞部へ入賞した入賞球を検出可能な入賞球検出手段と、電気的駆動源の作用により所要数の球を排出可能な球排出装置と、を備え、
　上記入賞球の発生に基づき上記球排出装置から所定数の賞球を排出させるようにした遊技機において、
　上記入賞球検出手段は、入賞球導出樋を流下する入賞球を、当該入賞球に対して賞球排出を行う前に、流下状態のまま順次連続的に流下回収させながら１個宛検出可能な入賞球検出器を有して構成し、
　上記入賞球検出器から検出信号として出力されるパルス信号が予め定められた第１の所定のパルス幅の範囲内であるか否かを判定するパルス判定手段と、
　上記パルス判定手段により上記入賞球検出器から順次出力されるパルス信号が第１の所定のパルス幅であると判定された場合に、当該パルス信号を、上記球排出装置を作動させるための入賞記憶値として順次加算記憶可能な入賞球記憶手段と、
　上記パルス判定手段により上記入賞球検出器から出力されるパルス信号が上記第１の所定のパルス幅の範囲内でないと判定された場合に、当該パルス信号を、上記入賞球記憶手段に入賞記憶値として記憶しないようにする異常処理手段と、を備え、
　上記パルス判定手段により上記入賞球検出器から出力されるパルス信号が第２の所定のパルス幅の範囲より長いと判定された場合には、所定の遊技不能化処理を行うようにしたことを特徴とする遊技機。
　【請求項２】前記遊技機には、該入賞球導出樋内の入賞球の流下を阻止するセーフ球流出阻止装置とを有して構成し、
　上記異常処理手段は、
　上記パルス判定手段により上記入賞球検出器から出力されるパルス信号が上記第１の所定のパルス幅の範囲より短いと判定された場合には、当該パルス信号を、上記入賞球記憶手段に入賞記憶値として記憶しないようにする一方、
　上記パルス判定手段により上記入賞球検出器から出力されるパルス信号が第２の所定のパルス幅の範囲より長いと判定された場合には、当該パルス信号を、上記入賞球記憶手段に入賞記憶値として記憶しないようにするとともに、上記セーフ球流出阻止装置によって上記入賞球導出樋内の入賞球の流下を阻止する遊技不能化処理を行うようにしたことを特徴とする特許請求の範囲第１項記載の遊技機。」
（２）発明の詳細な説明の訂正
（２−１）特許明細書の「［課題を解決するための手段］本発明に係る遊技機は、上記課題を解決するため・・・行う。」（公報第３欄第４６行〜第４欄第３７行）を下記のとおり訂正。
　「［課題を解決するための手段］
　本発明に係る遊技機は、上記課題を解決するため、
　遊技領域に配設された入賞部（例えば、特定入賞口１０９，１０９等）へ入賞した入賞球を検出可能な入賞球検出手段と、電気的駆動源の作用により所要数の球を排出可能な球排出装置（例えば、賞球排出部７００）と、を備え、
　上記入賞球の発生に基づき上記球排出装置から所定数の賞球を排出させるようにした遊技機（例えば、パチンコ遊技機１０）において、
　上記入賞球検出手段は、入賞球導出樋（８２０）を流下する入賞球を、当該入賞球に対して賞球排出を行う前に、流下状態のまま順次連続的に流下回収させながら１個宛検出可能な入賞球検出器（例えば、セーフセンサ８３０）を有して構成し、
　上記入賞球検出器から検出信号として出力されるパルス信号が予め定められた第１の所定のパルス幅の範囲内であるか否かを判定するパルス判定手段（例えば、パルス幅検出部１６０３、セーフ球判定部１６０４、セーフセンサ故障検出部１６０１等）と、
　上記パルス判定手段により上記入賞球検出器から順次出力されるパルス信号が第１の所定のパルス幅であると判定された場合に、当該パルス信号を、上記球排出装置を作動させるための入賞記憶値として順次加算記憶可能な入賞球記憶手段（例えば、セーフ球記憶部１６０５）と、
　上記パルス判定手段により上記入賞球検出器から出力されるパルス信号が上記第１の所定のパルス幅の範囲内でないと判定された場合に、当該パルス信号を、上記入賞球記憶手段に入賞記憶値として記憶しないようにする異常処理手段（例えば、パルス幅検出部１６０３、セーフ球判定部１６０４、セーフセンサ故障検出部１６０１等）と、
　を備え、
　上記パルス判定手段により上記入賞球検出器から出力されるパルス信号が第２の所定のパルス幅の範囲より長いと判定された場合には、所定の遊技不能化処理を行うように構成した。
　前記遊技機には、該入賞球導出樋内の入賞球の流下を阻止するセーフ球流出阻止装置とを有して構成し、
　上記異常処理手段は、
　上記パルス判定手段により上記入賞球検出器から出力されるパルス信号が上記第１の所定のパルス幅の範囲より短いと判定された場合には、パルス信号を、上記入賞球記憶手段に入賞記憶値として記憶しないようにする一方、
　上記パルス判定手段により上記入賞球検出器から出力されるパルス信号が第２の所定のパルス幅の範囲より長いと判定された場合には、パルス信号を、上記入賞球記憶手段に入賞記憶値として記憶しないようにするとともに、上記セーフ球流出阻止装置によって上記入賞球導出樋内の入賞球の流下を阻止する遊技不能化処理を行う。」
（２−２）特許明細書の「［作用］本発明によれば・・・排出されないようになる。」（公報第４欄第３８行〜第５欄第４行）を下記のとおり訂正。
  「［作用］
　本発明によれば、入賞球検出器が、入賞球導出樋を流下する入賞球を、当該入賞球に対して賞球排出を行う前に、流下状態のまま順次連続的に流下回収させながら１個宛検出し、該入賞球検出器から出力されるパルス信号を、パルス判定手段が、予め定められた第１の所定のパルス幅の範囲内であるか否かを判定する。
　そして、第１の所定のパルス幅の範囲内であると判定した場合には、入賞球検出器から出力されるパルス信号が入賞球記憶手段に入賞記憶値として１宛加算記憶され、該入賞記憶値に基づいて、所定数の球が、排出装置から電気的駆動源の作用により排出される。
　一方、第１の所定のパルス幅の範囲内でないと判定した場合には、異常処理手段が入賞球検出器から出力されるパルス信号を、上記入賞球記憶手段に入賞記憶値として記憶しないようにする。従って、パルス幅が異常がある場合には、球排出装置から賞球は排出されないようになる。」
（２−３）特許明細書の「［発明の効果］本発明によれば・・・可能となる。」（公報第６２欄第６行〜第６３欄第１７行）を下記のとおり訂正。
　「［発明の効果］
　本発明によれば、入賞球検出器が、入賞球導出樋を流下する入賞球を、当該入賞球に対して賞球排出を行う前に、流下状態のまま順次連続的に流下回収させながら１個宛検出し、該入賞球検出器から出力されるパルス信号を、パルス判定手段が、予め定められた第１の所定のパルス幅の範囲内であるか否かを判定して、第１の所定のパルス幅の範囲内であると判定した場合には、入賞球検出器から出力されるパルス信号を入賞球記憶手段に入賞記憶値として１宛加算記憶して、該入賞記憶値に基づいて球排出装置から所定数の賞球が電気的駆動源の作用により排出される。一方、第１の所定のパルス幅の範囲内でないと判定した場合には、異常処理手段が入賞球検出器から出力されるパルス信号を、上記入賞球記憶手段に入賞記憶値として記憶しないようにしたため、遊技機が多数列設される島の各種装置からノイズが発生したり、現在の遊技機において多様されるプラスチック部品と球との摩擦などによって遊技機自身に帯電する静電気によりノイズが発生したりした場合や、それらノイズにより入賞球検出器が故障した場合であっても、その際の信号を異常パルスとして判定して球排出装置から賞球が排出されてしまうことを防ぐことができる。
　また、心ない遊技者が故意にノイズを発生させたり、遊技機の隙間から異物を挿入して入賞球検出器を誤作動させた場合であっても、不正行為による賞球排出を防止でき、遊技店側が不利益を被ったりすることを防止できる。
　特に、入賞球導出樋を流下する入賞球を、当該入賞球に対して賞球排出を行う前に、流下状態のまま順次連続的に流下回収させながら入賞球検出器により１個宛検出し、該検出によるパルス信号を入賞球記憶手段により記憶し、該記憶に基づいて賞球排出を行う形式の遊技機においては、ノイズや不正等による賞球の排出により、遊技店が多大な不利益を被り易いので、それを防止する上で有利である。
　また、上記異常処理手段は、上記パルス判定手段により上記入賞球検出器から出力されるパルス信号が予め定められた第１の所定のパルス幅の範囲より短いと判定された場合には、パルス信号を、上記入賞球記憶手段に入賞記億値として記憶しないようにする一方、上記パルス判定手段により上記パルス信号が予め定められた第２の所定のパルス幅の範囲より長いと判定された場合には、当該パルス信号を、上記入賞球記憶手段に入賞記憶値として記憶しないようにするとともに、所定の遊技不能動化処理で行うようにすれば、ノイズ等による短い信号が発生した場合には、その検出信号による賞球排出のみを防止して、いちいち遊技を不能動化せずに他の遊技には影響を与えないようにする一方で、不正行為や故障等により長い信号が発生するような重大な異常が発生した場合には、その検出信号による賞球排出を防止するほか、所定の遊技不能動化処理が行われることとなり、各種異常なパルス信号に対して効率よい対応が可能となる。」
　
【３】訂正の適否についての判断
（１）特許請求の範囲の訂正
　上記訂正は、訂正前の請求項１，２に記載された「所定のパルス幅」を「第１の所定のパルス幅」「第２の所定のパルス幅」に限定するなど、いくつかの構成要件を明細書に記載されていた実施例に即して下位概念に限定したものであり、特許請求の範囲の減縮、及び、明りょうでない記載の釈明に該当し、新規事項の追加に該当せず、実質的に特許請求の範囲を拡張又は変更するものでもない。
（２）発明の詳細な説明の訂正
　上記訂正は、前記特許請求の範囲の減縮に伴って、減縮された特許請求の範囲の記載と発明の詳細な説明の記載とを整合させるための不明瞭な記載の釈明を目的とするものと認められる。
（３）むすび
　以上のとおりであるから、上記訂正は、特許法第１２０条の４第２，３項で準用する第１２６条第２，３項の規定に適合するので、当該訂正を認める。
【４】特許異議申立てについての判断
（１）本件各発明
　本件請求項１，２に係る発明は、上記訂正明細書の請求項１，２に記載された事項により特定されるとおりのものである。
（２）異議申立ての理由の概要
　申立人は、証拠として甲第１〜５号証を提出し、訂正前の請求項１に係る発明は、甲第１，２号証、あるいは甲第１，４号証に記載された発明に基づいて、また、同請求項２に係る発明は甲第１，２，５号証、あるいは甲第１，４，５号証に記載された発明に基いて、それぞれ当業者が容易に発明をすることができたものであり、特許法第２９条第２項の規定により、特許を受けることができないのものであるから、請求項１，２に係る発明の特許を取り消すべき旨主張している。
（３）甲号各証
（３−１）上記甲号各証には、下記の事項が図面とともに記載されている。
＜甲第１号証（特開昭５９−２０３５８０号公報）＞
　「遊技盤に打ち込まれた打球の入賞を個別的に検出して対応する入賞検知信号を発生する信号発生手段と、該信号発生手段から出力された入賞検知信号を順次的に取り込むことにより少なくとも入賞球数を記憶する記憶手段と、該記憶手段に記憶された対応的情報に応じて上記賞品球排出装置に対し駆動指令信号を順次的に発生する手段」（第１頁左欄第１５行〜右欄第２行）、
　「この発明はパチンコ遊技機の裏機構盤とこれに関連した賞品球排出装置およびその排出制御に関し、特に遊技盤内に打ち込まれた打球が入賞領域に入つた場合にこれを電気的に検出して順次記憶し、所定数の賞品球の払出しを行なう機構を電子制御化することにより、賞品球の流下経路を従来と異なるよう賞品球排出装置を裏面セツト盤の一側方に偏位して取り付けて中央に広い空部を形成できるようにしたパチンコ遊技機に関する。」（第１頁右欄第１８行〜第２頁左上欄第６行）、
　「この発明は、上記のような背景の下になされたもので入賞領域に入つた打球を電気的に検出して、この検知信号に基づいて入賞球の数等を記憶するとともに、制御装置からの信号によつて動作されるような電動式の賞品球排出装置を設けることにより、裏機構盤における前記制御器２６０、作動レバー２６５、運動杆２６６等の機械的構成を不用とし、しかも電動式とすることにより小型化された賞品球排出装置を裏面セツト盤の一側方に偏位せしめて中央に広い空部を形成するように取り付け可能として、遊技盤背部の有効利用空間を増大させることを目的とする。」（第３頁左上欄第４〜１５行）、
　「この発明の他の目的は、複数の入賞領域に同時に打球が入賞しても個別的にこれを検出して記憶し、電子的に処理することによって正確な払出しが行なわれるとともに、予備球の不足もしくは流下異常をいち早く検出して賞品球排出に関わる動作を停止させることにより遊技客に対し迷惑をかけないようなパチンコ遊技機を提供することにある。」（第３頁左上欄第１６行〜第３頁右上欄第３行）、
　「上記遊技盤８の裏面には、上記入賞領域１５〜１８より入賞した打球が流下可能な間隔を有する第１空間部Ａ１を形成するように、裏面セツト盤２１が全面的に取り付けてあり、この裏面セツト盤２１の背面に裏機構盤２０を構成する各種機構が重合的にセツトされている。
　裏面セツト盤２１の第１空間部Ａ１の下方には、集合棚部２１ａが設けてありその略中央部には第１空間部Ａ１に連続するように入賞球排出路２２が形成され、第１空間部Ａ１に入つて来た入賞球はここを流下して機外へ排出されるようになつている。
　中央部に向かつて下り傾斜となるように形成された集合棚部２１ａは、発生した入賞球を順次一段一列に整流させて、入賞球排出路２２へ案内し、途中に取り付けられた入賞球検出器５５で１個宛検出され、裏面セツト盤２１の上方にセツトされた制御装置５０内の記憶回路に順次記憶される。」（第３頁右下欄第７行〜第４頁左上欄第３行）、
　「賞品球排出装置４０は、上記入賞領域への打球の入賞に伴ない遊技者に所定数の賞品球を払い出す装置であつて、上記入賞球分離器６０内の入賞球検出器５５からの信号に基づいて形成される駆動指令信号によつて、１個宛順次、所定数に達するまでスプロケツト４２を回動させるものである。」（第４頁右下欄第４〜９行）、
　「上記賞品球排出装置４０は、前記入賞球検出器５５から出力された入賞検知信号が制御装置５０に供給されると、制御装置５０から出力される駆動信号によつてモータ４１が駆動され、排出を開始する。このとき、制御装置５０は、排出球検出器４５からの検出信号に基づいて予備球が誘導路２５の出口に存在することを確認してから排出を開始し、同じく排出球検出器４５から賞品球ごとに出力される排出確認信号を受けて排出状態を検知し、賞品球が所定数に達したことを判別して排出終了信号を賞品球排出装置４０に出力し、モータ４１の回転を停止させるようになつている。」（第６頁右上欄第１１行〜左下欄第２行）、
　「入賞球検出器５５から個々の入賞球に対応して発生される入賞検知信号（パルス）は、例えばカウンタのような記憶手段としての記憶回路５１に供給されて計数されることにより入賞球数が記憶される。制御回路５２には、賞品球排出装置４０内の排出球検出器４５からの検出信号が入力されており、上記記憶回路５１の記憶値が”１”以上になると、賞品排出装置４０のモータ４１を駆動させる駆動開始信号を出力する。すると、モータ４１が回転して賞品球の排出を開始するとともに、賞品球ごとに上記検出器４５から検知信号（パルス）が制御回路５２へ送られる。制御回路５２はこの検知信号を例えば内部のカウンタでカウントし、そのカウント値が内部の設定器に予め設定されている値に達すると、所定数の賞品球が排出されたと判定して、モータの駆動停止信号を出力し、もしくはモータ駆動信号の出力を停止して排出を終了させる。
　また、排出途中で玉詰まり等の原因で誘導路２５終端の出口部２５ｃ２，２５ｃ３に排出される球が存在しないことが、検出器４５によつて検出されると、その出力を受けて制御回路５２は直ちにモータ４１を停止させるとともに、カウンタの値をそのまま保持しておき、出口部２５ｃ２，２５ｃ３に賞品球が入つてきたとき再びモータ４１を動作させて残りの賞品球を排出させる。−回の排出が終了すると制御回路５２は記憶回路５１に信号を送つて記憶内容をデクリメント（減少）させる。」（第６頁左下欄第６行〜右下欄第１２行）。
＜甲第２号証（特開昭６１−１９９８７５号公報）＞
　「磁気センサより得られるパルス幅を識別し所定幅以上のセンサ出力を異常信号として検知するパルス幅識別手段を有することを特徴とする金属球検出装置。」（第１頁左欄第１６〜１９行）、
　「この金属球検出装置の動作について波形図を参照しつつ説明する。通過経路１を通過する金属球９がセンサ部２にさしかった場合にはホール素子５の磁束密度が徐々に増加する。そして金属球９が永久磁石４とホール素子５とをほぼ貫く位置に達する時刻ｔ１にホール素子を貫く磁束密度が最大値付近に達し、以後減少するため第６図（ａ）に示すような密度の磁束がホール素子５を貫通する。従ってその磁束密度に対応した電圧が第６図（ｂ）に示すように得られる。この信号を検知回路１０の増幅回路１２によって増幅し、シュミットトリガ回路１３によって波形整形して出力回路１４によって増幅すれば、第６図（ｃ）に示すような方形波出力が得られることになる。そして金属球が通過経路１を通過する時間は金属球検出装置が組込まれているシステムにより定まる微小時間であるが、その時間Ｔ１を例えば数ｍＳ〜２０ｍＳ程度であるとすると、積分回路の時定数をそれより十分大きい値に選択しておく。そうすれば第６図（ｄ）に示すように端子１８よりほとんど信号が得られない。
　しかしながら例えば金属球の通過でなく人為的に磁石をセンサ部２に接近させたりして外部磁界がセンサ部に加わり、第６図（ａ）に示すように時刻ｔ２にホール素子５の磁束密度が増加した場合には、検知回路１０より第６図（ａ）に示すように同様に方形波出力が得られる。しかしながらこの場合には通常金属球が通過する微小時間Ｔ１より大幅に長い時間Ｔ２磁束密度が増加しているので、第６図（ｄ）に示すように積分回路の出力電圧が増加する。従ってこの信号が飽和レベルに達すれば外部磁界によるものとして異常信号を識別したり金属球の検出を停止することができる。」（第４頁左上欄第４行〜右上欄第１５行）。
＜甲第３号証（特開昭５７−５２４７３号公報）＞
　＜記載事項を省略＞
＜甲第４号証（特開昭６０−３１７７９号公報）＞
　「本発明の第１実施例を示す第４図と従来例を示す第３図とを対比すると、つぎの三つの点で相異するほかは変りないことがわかる。すなわち、入賞球数を検出する検出スイッチＳ２は常閉スイッチが使用され、入賞球が通過のたびに接点が瞬時的に開となるが、それ以外は常時閉となっている点、常閉スイッチである検出スイッチＳ２の接点出力状態の持続時間の長さを判定する時間判定回路１０が設けられている点、そして上記持続時間が所定値を越えたときに該判定回路１０の出力が前記した論理積ゲートＧ１を介して上記Ｄ型フリップフロップ５のリセット端子に与えられるようになっている点である。」（第３頁右下欄第４〜１７行）、
  「上記判定出力でもって電動式打球駆動部の動作を強制停止させたり、或いはゲーム基板の電源回路を遮断し又はゲーム制御を不能動化させ、又は集中管理装置に伝達して警報を報知する等、要するに不正な小細工をしても全て徒労に終るように、遊技機自体を不能動化するようにしてもよい。」（第４頁左上欄第１８行〜右上欄第４行）、
　「時間判定回路１０は、一般的には時間基準を得るためのタイマーと、このタイマーによる時間と上記持続時間とを比較する回路などによって構成される。第５図には、抵抗ＲｔとコンデンサＣｔとによる一種の遅延回路を用いて簡単に構成した例を示している。図中ダイオードＤ１は入力信号の立上がり時のみ遅延動作を得るようにするためのものであり、又レベル検出器１０ａは抵抗Ｒｔ、コンデンサＣｔの遅延出力を弁別するためのものである。」（第４頁右上欄第５〜１４行）、
  「第６図にはこの種遊技機の従来の制御回路例を、また第７図には第６図の回路に本発明を適用した例をそれぞれ示している。
　第７図中、イ〜トに示した個所のタイムチャートを時間Ｔ２内にカウント信号がない場合とある場合に別けて示したから、これによって説明すると、前者と後者の相異は、入賞球検出スイッチＳ２、パルス発生器１３と接続するこの点にパルスを生じないか生ずるかにあり、イ，ロ，ハの点では変りないほか、ハの点はＡＮＤゲート１２の一方の入力端子に接続されると共にデイレイ回路２４とも接続されているので、該デイレイ回路２４の出力側であるトの点では、デイレイ時間ｔ後にパルスを生じる点でも変りはない。このパルスは前記したニの点を経て接続するフリップフロップ２５のリセット端子に連結される。フリップフロップ２５の出力はホの点を経てＡＮＤゲート１２の他方の入力端子に接続する。そこでホの点では前記したカウント信号がある場合に限り出力を見るが、その出力が見られるのはデイレイ回路２４からの信号がフリップフロップ２５のリセット端子に加えられる迄である。ＡＮＤゲート１２の出力端子はフリップフロップ１５のセット端子に連結され、本例では時間Ｔ２内に入賞球が全くないとき電動式打球駆動部を不能動化している。なお、パルス発振器２６をＡＮＤゲート２３の入力側に接続すれば、アタッカーソレノイド８をオン・オフさせて可変入賞球装置２の蓋３を交互に開閉させることができる。」（第４頁左下欄第２行〜右下欄第１２行）、
  「第７図の例は時間Ｔ２内に入賞球が全くないとき導出される異常検出出力によって電動式打球駆動部を不能動化したが、アタッカーソレノイド８の駆動を解除するようにしたいのならば第８図の如くすればよい。第８図について簡単に説明する。まず時間Ｔ２内に検出スイッチＳ２からのカウント信号がない場合であるが、時間Ｔ１とＴ２用のタイマー回路の出力はそれぞれインバータ１６，１６を経てＯＲゲート１７に送られ、ＯＲゲート１７の出力はフリップフロップ１８のリセット接点と接続しているから、その出力はｆの波形の如くタイマー回路１４の出力と同じ時間だけ出る。これを利用して時間Ｔ２経過後はアタッカーソレノイド８の駆動を解除せしめることができる。」（第４頁右下欄第１３行〜第５頁左上欄第７行）。
＜甲第５号証（特開昭６４−４３２８６号公報）＞
　「球検出器１１は、入賞球が通過しない状態においては、受光部１９の受光素子２１が発光部１８の発光素子２０からの光を受光している。第４図に示す発光素子２０は、発振器３９のパルスに同期して例えば１０ＫＨｚのパルス光を発生する。受光素子２１がこの光を受光すると電気信号に変換し、この電気信号はアンプ４０により増幅されて同期検出部４１に送られる。同期検出部４１は、アンプ４０からのパルスと発振器３９からのパルスとのアンドを採り、復調部４２に送る。復調部４２は、同期検出部４１からの出力パルスを一定時間「Ｈ」又は「Ｌ」に復調するもので、実施例では同期検出部４１から連続した３パルスを１組と考えてパルスが３つ有る場合に「Ｈ」、パルスが３つ無い場合「Ｌ」と判断する。球検出器１１の球通過部１５内に球が無い場合、発光素子２０が発振器３９のパルスに同期して発光し、この光を受光素子２１が受光して信号をアンプ４０に送り、同期検出部４１がアンプ４０からの増幅信号と発振器３９からのパルスとのアンドを採る。この場合、第５図に示すように、アンプ４０からの出力が発振器３９からの信号に同期しているので、復調部４２から「Ｈ」が出力される。復調部４２からの出力はスイッチングトランジスタ４３に作用し、復調部４２から「Ｈ」が出力されているとスイッチングトランジスタ４３がオンとなり、Ｖｃｃからの電流がスイッチングトランジスタ４３を通りＧＮＤに流れる。したがって、発光素子２０からの光が球に遮られることなく受光素子２１に到達している場合には、ＯＵＴの出力、即ち球検出器１１の出力が「Ｌ」となり、球が通過していないことを検出する。
　一方、球検出器１１の球通過部１５内を球が通過すると、この球の端部が発光素子２０からの光を遮断する。」（第３頁右上欄第１０行〜右下欄第４行）、
　「本実施例では発振器３９のパルスと同期して３つ１組のパルスが入力したか否かを条件として球の有無を判断しているので、受光素子２１が外部光を受光しても、外部光の場合には上配条件を具備することが殆どないため、外部光によるミス検出は事実上無いに等しい。」（第４頁左上欄第１４行〜第１９行）。
（３−２）対比・判断
　訂正後の本件各発明と上記甲号各証記載のものとを対比すると、甲号各証記載のものには、少なくとも本件各発明の「パルス判定手段により入賞球検出器から出力されるパルス信号が第２の所定のパルス幅の範囲より長いと判定された場合には、所定の遊技不能化処理を行うようにした」点について何等記載されておらず、示唆もない。
　そして、本件各発明は、上記構成と他の構成とが相俟って、「ノイズ等による短い信号が発生した場合には、その検出信号による賞球排出のみを防止して、いちいち遊技を不能動化せずに他の遊技には影響を与えないようにする一方で、不正行為や故障等により長い信号が発生するような重大な異常が発生した場合には、その検出信号による賞球排出を防止するほか、所定の遊技不能動化処理が行われることとなり、各種異常なパルス信号に対して効率よい対応が可能となる。」等の明細書記載の作用効果を奏するものである。
　したがって、本件請求項１に係る発明は、甲第１，２号証、あるいは甲第１，４号証に記載された発明に基づいて、また、同請求項２に係る発明は甲第１，２，５号証、あるいは甲第１，４，５号証に記載された発明に基いて、当業者が容易に発明をすることができたものとはいえない。
　なお、異議申立人が平成１２年１０月６日付けで提出した上申書の内容についても検討したが、当該上申書に添付された証拠を参酌しても、本件発明を当業者が容易に発明をすることができたとはいえない。
（４）むすび
　以上のとおりであるから、特許異議申立ての理由及び証拠によっては、本件発明についての特許を取り消すことはできない。
　また、他に本件発明についての特許を取消すべき理由を発見しない。
　よって、結論のとおり決定する。
【異議決定日】
平成１２年１０月１７日（２０００．１０．１７）
【訂正の要旨】
（１）特許請求の範囲の訂正
　請求項１，２を下記のとおり訂正。
　「【請求項１】遊技領域に配設された入賞部へ入賞した入賞球を検出可能な入賞球検出手段と、電気的駆動源の作用により所要数の球を排出可能な球排出装置と、を備え、
　上記入賞球の発生に基づき上記球排出装置から所定数の賞球を排出させるようにした遊技機において、
　上記入賞球検出手段は、入賞球導出樋を流下する入賞球を、当該入賞球に対して賞球排出を行う前に、流下状態のまま順次連続的に流下回収させながら１個宛検出可能な入賞球検出器を有して構成し、
　上記入賞球検出器から検出信号として出力されるパルス信号が予め定められた第１の所定のパルス幅の範囲内であるか否かを判定するパルス判定手段と、
　上記パルス判定手段により上記入賞球検出器から順次出力されるパルス信号が第１の所定のパルス幅であると判定された場合に、当該パルス信号を、上記球排出装置を作動させるための入賞記憶値として順次加算記憶可能な入賞球記憶手段と、
　上記パルス判定手段により上記入賞球検出器から出力されるパルス信号が上記第１の所定のパルス幅の範囲内でないと判定された場合に、当該パルス信号を、上記入賞球記憶手段に入賞記憶値として記憶しないようにする異常処理手段と、を備え、
　上記パルス判定手段により上記入賞球検出器から出力されるパルス信号が第２の所定のパルス幅の範囲より長いと判定された場合には、所定の遊技不能化処理を行うようにしたことを特徴とする遊技機。
　【請求項２】前記遊技機には、該入賞球導出樋内の入賞球の流下を阻止するセーフ球流出阻止装置とを有して構成し、
　上記異常処理手段は、
　上記パルス判定手段により上記入賞球検出器から出力されるパルス信号が上記第１の所定のパルス幅の範囲より短いと判定された場合には、当該パルス信号を、上記入賞球記憶手段に入賞記憶値として記憶しないようにする一方、
　上記パルス判定手段により上記入賞球検出器から出力されるパルス信号が第２の所定のパルス幅の範囲より長いと判定された場合には、当該パルス信号を、上記入賞球記憶手段に入賞記憶値として記憶しないようにするとともに、上記セーフ球流出阻止装置によって上記入賞球導出樋内の入賞球の流下を阻止する遊技不能化処理を行うようにしたことを特徴とする特許請求の範囲第１項記載の遊技機。」
（２）発明の詳細な説明の訂正
（２−１）特許明細書の「［課題を解決するための手段］本発明に係る遊技機は、上記課題を解決するため・・・行う。」（公報第３欄第４６行〜第４欄第３７行）を下記のとおり訂正。
　「［課題を解決するための手段］
　本発明に係る遊技機は、上記課題を解決するため、
　遊技領域に配設された入賞部（例えば、特定入賞口１０９，１０９等）へ入賞した入賞球を検出可能な入賞球検出手段と、電気的駆動源の作用により所要数の球を排出可能な球排出装置（例えば、賞球排出部７００）と、を備え、
　上記入賞球の発生に基づき上記球排出装置から所定数の賞球を排出させるようにした遊技機（例えば、パチンコ遊技機１０）において、
　上記入賞球検出手段は、入賞球導出樋（８２０）を流下する入賞球を、当該入賞球に対して賞球排出を行う前に、流下状態のまま順次連続的に流下回収させながら１個宛検出可能な入賞球検出器（例えば、セーフセンサ８３０）を有して構成し、
　上記入賞球検出器から検出信号として出力されるパルス信号が予め定められた第１の所定のパルス幅の範囲内であるか否かを判定するパルス判定手段（例えば、パルス幅検出部１６０３、セーフ球判定部１６０４、セーフセンサ故障検出部１６０１等）と、
　上記パルス判定手段により上記入賞球検出器から順次出力されるパルス信号が第１の所定のパルス幅であると判定された場合に、当該パルス信号を、上記球排出装置を作動させるための入賞記憶値として順次加算記憶可能な入賞球記憶手段（例えば、セーフ球記憶部１６０５）と、
　上記パルス判定手段により上記入賞球検出器から出力されるパルス信号が上記第１の所定のパルス幅の範囲内でないと判定された場合に、当該パルス信号を、上記入賞球記憶手段に入賞記憶値として記憶しないようにする異常処理手段（例えば、パルス幅検出部１６０３、セーフ球判定部１６０４、セーフセンサ故障検出部１６０１等）と、
　を備え、
　上記パルス判定手段により上記入賞球検出器から出力されるパルス信号が第２の所定のパルス幅の範囲より長いと判定された場合には、所定の遊技不能化処理を行うように構成した。
　前記遊技機には、該入賞球導出樋内の入賞球の流下を阻止するセーフ球流出阻止装置とを有して構成し、
　上記異常処理手段は、
　上記パルス判定手段により上記入賞球検出器から出力されるパルス信号が上記第１の所定のパルス幅の範囲より短いと判定された場合には、パルス信号を、上記入賞球記憶手段に入賞記憶値として記憶しないようにする一方、
　上記パルス判定手段により上記入賞球検出器から出力されるパルス信号が第２の所定のパルス幅の範囲より長いと判定された場合には、パルス信号を、上記入賞球記憶手段に入賞記憶値として記憶しないようにするとともに、上記セーフ球流出阻止装置によって上記入賞球導出樋内の入賞球の流下を阻止する遊技不能化処理を行う。」
（２−２）特許明細書の「［作用］本発明によれば・・・排出されないようになる。」（公報第４欄第３８行〜第５欄第４行）を下記のとおり訂正。
　「［作用］
　本発明によれば、入賞球検出器が、入賞球導出樋を流下する入賞球を、当該入賞球に対して賞球排出を行う前に、流下状態のまま順次連続的に流下回収させながら１個宛検出し、該入賞球検出器から出力されるパルス信号を、パルス判定手段が、予め定められた第１の所定のパルス幅の範囲内であるか否かを判定する。
　そして、第１の所定のパルス幅の範囲内であると判定した場合には、入賞球検出器から出力されるパルス信号が入賞球記憶手段に入賞記憶値として１宛加算記憶され、該入賞記憶値に基づいて、所定数の球が、排出装置から電気的駆動源の作用により排出される。
　一方、第１の所定のパルス幅の範囲内でないと判定した場合には、異常処理手段が入賞球検出器から出力されるパルス信号を、上記入賞球記憶手段に入賞記憶値として記憶しないようにする。従って、パルス幅が異常がある場合には、球排出装置から賞球は排出されないようになる。」
（２−３）特許明細書の「［発明の効果］本発明によれば・・・可能となる。」（公報第６２欄第６行〜第６３欄第１７行）を下記のとおり訂正。
　「［発明の効果］
　本発明によれば、入賞球検出器が、入賞球導出樋を流下する入賞球を、当該入賞球に対して賞球排出を行う前に、流下状態のまま順次連続的に流下回収させながら１個宛検出し、該入賞球検出器から出力されるパルス信号を、パルス判定手段が、予め定められた第１の所定のパルス幅の範囲内であるか否かを判定して、第１の所定のパルス幅の範囲内であると判定した場合には、入賞球検出器から出力されるパルス信号を入賞球記憶手段に入賞記憶値として１宛加算記憶して、該入賞記憶値に基づいて球排出装置から所定数の賞球が電気的駆動源の作用により排出される。方、第１の所定のパルス幅の範囲内でないと判定した場合には、異常処理手段が入賞球検出器から出力されるパルス信号を、上記入賞球記憶手段に入賞記憶値として記憶しないようにしたため、遊技機が多数列設される島の各種装置からノイズが発生したり、現在の遊技機において多様されるプラスチック部品と球との摩擦などによって遊技機自身に帯電する静電気によりノイズが発生したりした場合や、それらノイズにより入賞球検出器が故障した場合であっても、その際の信号を異常パルスとして判定して球排出装置から賞球が排出されてしまうことを防ぐことができる。
　また、心ない遊技者が故意にノイズを発生させたり、遊技機の隙間から異物を挿入して入賞球検出器を誤作動させた場合であっても、不正行為による賞球排出を防止でき、遊技店側が不利益を被ったりすることを防止できる。
　特に、入賞球導出樋を流下する入賞球を、当該入賞球に対して賞球排出を行う前に、流下状態のまま順次連続的に流下回収させながら入賞球検出器により１個宛検出し、該検出によるパルス信号を入賞球記憶手段により記憶し、該記憶に基づいて賞球排出を行う形式の遊技機においては、ノイズや不正等による賞球の排出により、遊技店が多大な不利益を被り易いので、それを防止する上で有利である。
　また、上記異常処理手段は、上記パルス判定手段により上記入賞球検出器から出力されるパルス信号が予め定められた第１の所定のパルス幅の範囲より短いと判定された場合には、パルス信号を、上記入賞球記憶手段に入賞記億値として記憶しないようにする一方、上記パルス判定手段により上記パルス信号が予め定められた第２の所定のパルス幅の範囲より長いと判定された場合には、当該パルス信号を、上記入賞球記憶手段に入賞記憶値として記憶しないようにするとともに、所定の遊技不能動化処理で行うようにすれば、ノイズ等による短い信号が発生した場合には、その検出信号による賞球排出のみを防止して、いちいち遊技を不能動化せずに他の遊技には影響を与えないようにする一方で、不正行為や故障等により長い信号が発生するような重大な異常が発生した場合には、その検出信号による賞球排出を防止するほか、所定の遊技不能動化処理が行われることとなり、各種異常なパルス信号に対して効率よい対応が可能となる。」
（５４）【発明の名称】
遊技機
（５７）【特許請求の範囲】
（１）　遊技領域に配設された入賞部へ入賞した入賞球を検出可能な入賞球検出手段と、電気的駆動源の作用により所要数の球を排出可能な球排出装置と、を備え、
　上記入賞球の発生に基づき上記球排出装置から所定数の賞球を排出させるようにした遊技機において、
　上記入賞球検出手段は、入賞球導出樋を流下する入賞球を、当該入賞球に対し、て賞球排出を行う前に、流下状態のまま順次連続的に流下回収させながら１個宛検出可能な入賞球検出器を有して構成し、
　上記入賞球検出器から検出信号として出力されるパルス信号が予め定められた
第１の
　上記パルス判定手段により上記入賞球検出器から順次出力されるパルス信号が
第１の
　上記パルス判定手段により上記入賞球検出器から出力されるパルス信号が上記
第１の
、
　上記パルス判定手段により上記入賞球検出器から出力されるパルス信号が第２の所定のパルス幅の範囲より長いと判定された場合には、所定の遊技不能化処理を行うようにし
（２）
前記遊技機には、該入賞球導出樋内の入賞球の流下を阻止するセーフ球流出阻止装置とを有して構成し、
　上記異常処理手段は、
　上記パルス判定手段により上記入賞球検出器から出力されるパルス信号が上記
第１の
　上記パルス判定手段により上記入賞球検出器から出力されるパルス信号が
第２の
上記セーフ球流出阻止装置によって上記入賞球導出樋内の入賞球の流下を阻止する
【発明の詳細な説明】
［産業上の利用分野］
　本発明は、入賞球を１個宛検出可能な入賞球検出器からの検出信号に基づき、電気的駆動源の作用により、球排出装置から所定数の賞球を排出させる球排出制御装置を備えた遊技機に関する。
［従来の技術］
　従来の遊技機では、入賞口へ入賞した入賞球の重量やその大きさを利用してリンク機構により球鞘などからなる賞球排出装置を作動させて、入賞球に対応する数の賞球を排出させていた。
　また、近年には、特別遊技態様が発生した場合に多量の入賞球が発生して遊技者が短期間に多量の賞球を得ることが可能な遊技機が現れ、また、入賞口によって異なる賞球数が設定されたものや、遊技機から貸球を排出させるものも出現している。このような遊技機においては、従来の賞球排出機構では対応が困難になっているので、入賞球を電気的に検出しこの電気信号に基づいて、遊技球排出装置により所要数の賞球排出を行うものが増えている。
［発明が解決しようとする課題］
　しかしながら、遊技機が多数配列されるいわゆる島に配設された各種装置からノイズが発生したり、現在の遊技機において多用されるプラスチック部品と球との摩擦などによって遊技機自身に帯電する静電気の放電によりノイズが発生したりする場合が多く、それらノイズにより、入賞球検出器が故障したり、誤作動したり、或いは、それらノイズが入賞球検出器と制御装置とを接続する配線に影響して制御装置に対し入賞球検出器側から入賞球の検出以外の信号が入力されて球排出装置が誤作動する状態が発生する。
　また、心ない遊技者が故意にノイズを発生させて遊技機の誤作動を誘発する行為も近年発生している。
　このような状況に鑑み、従来から電気的制御装置に対しては、ノイズ対策が施されてきたが、近年の多様化したノイズに対応することが困難になっており、遊技店のノイズによる不要な賞球排出による不利益や、入賞球検出器の故障による遊技者の不利益を防止することが要望されている。
［課題を解決するための手段］
　本発明に係る遊技機は、上記課題を解決するため、
　遊技領域に配設された入賞部（例えば、特定入賞口１０９，１０９等）へ入賞した入賞球を検出可能な入賞球検出手段と、電気的駆動源の作用により所要数の球を排出可能な球排出装置（例えば、賞球排出部７００）と、を備え、
　上記入賞球の発生に基づき上記球排出装置から所定数の賞球を排出させるようにした遊技機（例えば、パチンコ遊技機１０）において、
　上記入賞球検出手段は、入賞球導出樋（８２０）を流下する入賞球を、当該入賞球に対して賞球排出を行う前に、流下状態のまま順次連続的に流下回収させながら１個宛検出可能な入賞球検出器（例えば、セーフセンサ８３０）を有して構成し、
　上記入賞球検出器から検出信号として出力されるパルス信号が予め定められた
第１の
　上記パルス判定手段により上記入賞球検出器から順次出力されるパルス信号が
第１の
　上記パルス判定手段により上記入賞球検出器から出力されるパルス信号が上記
第１の
　を備え
、
　上記パルス判定手段により上記入賞球検出器から出力されるパルス信号が第２の所定のパルス幅の範囲より長いと判定された場合には、所定の遊技不能化処理を行うように構成
　前記遊技機には、該入賞球導出樋内の入賞球の流下を阻止するセーフ球流出阻止装置とを有して構成し、
　上記異常処理手段は、
　上記パルス判定手段により上記入賞球検出器から出力されるパルス信号が上記
第１の
　上記パルス判定手段により上記入賞球検出器から出力されるパルス信号が
第２の
上記セーフ球流出阻止装置によって上記入賞球導出樋内の入賞球の流下を阻止する遊技不能化処理を
［作用］
　本発明によれば、入賞球検出器が、入賞球導出樋を流下する入賞球を、当該入賞球に対して賞球排出を行う前に、流下状態のまま順次連続的に流下回収させながら１個宛検出し、該入賞球検出器から出力されるパルス信号を、パルス判定手段が、予め定められた
第１の
　そして、
第１の
　一方、
第１の
［実施例］
　以下、本発明に係る遊技機として例示するパチンコ遊技機の賞球排出制御システムについて添付図面を参照して詳細に説明する。
　第１図は、本発明が適用されるパチンコ遊技機１０の前面の構成例を示すもので、遊技盤３００の前面には、下部の操作ダイヤル１０５の回動時に駆動される打球発射装置１５０（第２図参照）によって発射された打球を遊技盤３００の上方部まで案内するガイドレール３１３が配設され、遊技盤３００前面のガイドレール３１３とガラス窓１０１（第２図参照）とによって囲まれた空間に遊技領域が形成されている。
　この遊技領域の中央には左右一対の可動部材５３，５３と、該一対の可動部材５３，５３によって開閉される入賞空間５１とを備えた変動入賞装置５０が設置されている。
　また、入賞空間５１中には人形部材５２が設置され、該人形部材５２の下側には入賞部として一般入賞口５５，５５および特別入賞口５４が設けられている。
　又、遊技盤３００の前記変動入賞装置５０の直下位置には入賞部としてチューリップ式の２回開き用特定入賞装置１０８が、また、その左右斜め下方位置には入賞部としてポケット型の１回開き用特定入賞口１０９，１０９が設けられ、変動入賞装置５０の中央上端部には入賞部として天入賞口と呼ばれる一般入賞口５６が設けられている。
　また、変動入賞装置５０の作用の斜め下方位置には入賞部としてポケット型の一般入賞口１２０，１２０が、また、それらの斜め下方位置には入賞部としてチューリップ式の一般入賞装置１２１，１２１が設けられている。
　遊技盤３００の前面の適宜位置には遊技領域の上方より落下してくる打球（遊技球）の方向を無作為に変更させる多数の障害釘１１１や打球の流下速度および方向を変化させる風車と呼ばれる転動誘導部材１１２が配設されている。
　また、遊技盤３００の下部には、上方から落下してくる途中で上記各入賞部５６，１０８，１０９，１０９，１２０，１２０，１２１，１２１等に入賞できなかった遊技球を遊技盤３００の裏側へ回収するアウト球回収口３１０が設けられている。
　遊技盤３００の上部には、上記各入賞部５６，１０８，１０９，１０９，１２０，１２０，１２１，１２１等の入賞部に遊技球が入賞したときに一時的に点灯されるセーフランプ２７２やパチンコ遊技機１０が打止めになったとき、又は遊技機裏側の貯留タンク２０１（第２図）内に貯留されている予備球としての賞品球が不足したときに点灯する完了ランプ２７１が設置されている。
　上記構成の遊技盤３００を保持するパチンコ遊技機の前枠１００の上部には、情報表示装置４００（第３図参照）が設置されている。この情報表示装置４００は一対のランプユニット４２５，４４５及び文字や記号等をドット表示する情報、ユニット（メッセージボード）４３１とを備えている。このうちランプユニット４２５には入賞球検出器（セーフセンサ）のエラー状態を表示する故障表示ランプ（後述）が、一方のランプユニット４４５には未だ対応する賞品球の排出が完了していない入賞球が存在することを示す排出残球有表示ランプ（後述）が夫々配置されている（第３図参照）。
　前記情報ユニット（メッセージボード）４３１は球排出制御装置として例示する賞球排出制御装置６００又は役物制御装置５００から送られてくる指令信号に基づいて、詳細は後述するパチンコ遊技機の遊技状態に係る各種メッセージの表示等を行なうようになっている。
　また、前枠に設けられた前記操作ダイヤル１０５には、遊技者が該操作ダイヤル１０５を掌握しているか否かを検知して、掌握していることを示す信号（スイッチＯＮ）を後述の賞球排出制御装置６００に送るタッチスイッチ１０５ａ（第４図参照）が埋設されている。
　前記パチンコ遊技機の前枠１００に取り付けられた開閉パネル１１０には、打球発射装置１５０に供給される打球を貯留する供給皿１０２が取り付けられ、その下方には供給皿１０２から溢れた賞品球を貯留するための受皿１０３が設けられている。又、供給皿１０２の一側には当該供給皿１０２内の賞品球を受皿１０３側に放出するための球回収用釦１０６が突出して設置されている。
　上記のように構成されたパチンコ遊技機１０はそれに設置されたコンピュータシステム等の制御装置（後述）によって概ね次のように制御される。
　図外の電源スイッチの操作によりパチンコ遊技機１０に主電源（図示省略）から電気が供給された初期状態においては、変動入賞装置５０の左右の可動部材５３，５３は略垂直に立ち上がって変動入賞装置５０の入賞空間５１内の流入口を閉じた状態にし、変動入賞装置５０の入賞空間５１は遊技球を受け入れない状態（第１状態）に維持される。
　そして、打球発射装置１５０によって、発射された遊技球が特定入賞装置１０８または特定入賞口１０９，１０９中に入賞すると、それらの中に設置された始動入賞検出器（図示省略）が該入賞を示す信号を出力し、その検出信号に基づいて、変動入賞装置５０の左右の可動部材５３，５３が２回または１回開閉（回動）される。それに伴って、変動入賞装置５０内の入賞空間５１は遊技球が流入し得る状態（第２状態）に２回または１回変換されることになる。
　上記第２状態が保持されている間に、遊技球が特別入賞口５４中に入賞されなかった場合には、可動部材５３，５３が第１図に示す垂直状態となって流入口が閉じられ、再び入賞空間５１が遊技球を受け入れない第１状態に戻る。
　特定入賞装置１０８又は特定入賞口１０９に遊技球が入賞する毎に上記動作が繰り返され、入賞空間５１が第２状態となっている間に、遊技球が偶発的に変動入賞装置５０内の特別入賞口５４に入賞すると、それが特別入賞口５４内に設置された特別入賞検出器（図示省略）によって検出され、その検出信号に基づいて大当りと呼ばれる特別遊技状態が発生する。
　ここに、特別遊技状態とは、通常遊技状態に比べ、遊技者に多くの賞球獲得のチャンスを与える遊技状態で、例えば、可動部材５３，５３の所定回数（例えば、１８回）の開閉動作を１サイクル（ただし、その所定回数の開閉動作の終了前に一般入賞口５５に遊技球が所定個数（例えば、１０個）入賞したときには、その時点までを１サイクルとしてもよい）とし、各サイクル中に特別入賞口５４に遊技球が入賞することを継続条件として、所定サイクル（例えば、最高８サイクル）までその動作が行われるものである。
　特別遊技状態が終了すると、再び通常の遊技状態に戻る。
　遊技中、変動入賞装置５０の入賞空間５１中の入賞部５４，５５に遊技球が入賞したときにはそれ以外の入賞部５６，１０８，１０９，１２０，１２１等に入賞したときと同様に１回の入賞ごとに所定個数（例えば、１３個）の賞品球の排出が行われる。
　第２図には、パチンコ遊技機１０の分解斜視図を示す。
　このパチンコ遊技機１０は、取付枠３５０に開閉（回動）可能に取付けられた前枠１００と、該前枠１００の前面側に入れ替え可能に設置された遊技盤３００と、前枠１００の前面側に開閉（回動）可能に取り付けられた開閉パネル１１０と、前枠１００の裏側に取付けられた裏機構盤２００と、該裏機構盤２００の裏側に取り付けられた開閉扉２５０とを具えている。
　前記前枠１００は、パチンコ遊技機１０の本体の輪郭部分を構成するもので、その基部側の上端と下端に設けられた支軸１３５と軸受１３６がそれぞれ取付枠３５０の片側の上端部と下端部に設けられた軸受３５５と支軸３５６とで支持されることにより、取付枠３５０に対して開閉（回動）可能に設置されている。
　この前枠１００の前面側上部には、遊技盤設置部（図面上では見えない）が凹状に設けられ、該設置部中に前記遊技盤３００が着脱可能に設置されている。
　また、この前枠１００の上部中央には、遊技盤３００の裏側を露出させるための開口部１４０が設けられ、下部前面側には、前記受皿１０３（第１図）が取り付けられている。
　又、この前枠１００の自由端側の裏側部には、前枠１００を前記取付枠３５０に対して閉じた状態に施錠するための施錠装置１３０が設置されている。
　前枠１００の自由端側の下部裏側には、前記操作ダイヤル１０５（第１図）の操作によって作動される駆動源としてのモータ１５１を備えた打球発射装置１５０が設置されている。
　前記前枠１００の裏側下部の打球発射装置１５０側寄り位置には、賞球排出系統の制御を行なう賞球排出制御装置６００が設置されている。
　前記開閉パネル１１０は、前枠１００の前面側を覆うものであり、その基部側が前枠１０の基部側前面部に軸支されることによって、開閉（回動）可能に取り付けられている。
　また、この開閉パネル１１０の自由端部の裏側には係止片（図に現れていない）が設けられている。一方、前枠１００の前面側のそれと対応する位置には、該開閉パネル１１０を閉めたときに、その係止片と係合してその閉まった状態に保持する開閉機構（図に現れていない）が設けられている。
　前記裏機構盤２００は、賞球排出機構等を構成するもので、例えば、コ字型形状をしていて、前枠１００の裏側に取り付けられている。
　この裏機構盤２００の裏側上端部には、予備球（払出し前の賞品球）を貯留する貯留タンク２０１が設けられ、この貯留タンク２０１の下端開口部に臨むように、誘導樋２０２が接続されている。この誘導樋２０２は内部の予備球を自作用的に整列されて誘導するもので、緩やかに下り傾斜しながら裏機構盤２００の一側側（この実施例では基部側）に至っている。誘導樋２０２の流下端部には、これと連続するような形で球排出装置としての賞球排出部７００が縦長に配設されている。
　前記裏機構盤２００の下部中央には、前記遊技盤３００に入賞球を集めるべく設けられた入賞球集合樋３０１からの入賞球を処理して下方に排出する入賞球処理手段としての入賞球処理部８００が設けられている。
　前記開閉扉２５０は、前記遊技盤３００の裏面側が露出しないように開口部１４０を覆うもので、その基端部側が、裏機構盤２００の基部内側部に開閉自在に軸支されている。この開閉扉２５０の自由端部側には、前枠１００のそれと対応した位置に設けられた係合部（図示省略）に係合して開閉扉２５０を閉じた状態に係止する係止レバー２５１が取り付けられている。
　また、この開閉扉２５０の裏側中央には、前記遊技盤３００に設置された前述の変動入賞装置５０等を制御する役物制御装置５００が設置されている。
　第３図は第１図に示す情報表示装置４００を前側から見た分解斜視図である。
　この情報表示装置４００は、同図に示すように、パチンコ遊技機１０に取付けられる基枠４７０と、該基枠４７０の前面側に取付けられる蓋枠４６０とを具えている。
　前記基枠４７０はパチンコ遊技機１０の前枠１００の前面側に取り付けられるもので（第１図参照）、その前面側中央には情報表示器４３０を構成する情報ユニット（メッセージボード）４３１が設置され、該情報ユニット４３１の左右両側には一対のランプユニット４２５，４４５が設置されている。これら情報ユニット４３１および一対のランプユニット４２５，４４５は後述の役物制御装置５００及び球球排出装置６００に接続されている。
　前面中央の情報ユニット（メッセージボード）４３１は、パチンコ遊技等に関する各種メッセージが役物制御装置５００又は賞球排出制御装置６００からの指令により文字や記号等となってドット表示されるドットマトリクス配置のドット表示器４３２と、該ドット表示器４３２に役物制御装置５００又は賞球排出制御装置６００からの表示指令信号を送る多数のリード線４３３とを具えている。そして、そのドット表示器４３２が基枠４７０の前面側中央に取り付けられ、そのリード線４３３が基枠４７０中央に設けられた開口部４７０ａを介して前枠１０、０の裏側に導かれ、前記役物制御装置５００及び賞球排出装置６００に接続されている。
　また、前記ランプユニット４２５，４４５は、基枠４７０に固定されるランプ基板４２５ａ，４４５ａと、該ランプ基板４２５ａ，４４５ａの夫々の端子４２５ｂ，４２５ｂ，４４５ｂ，４４５ｂに夫々差し込まれる故障表示ランプ４２５ｃ，４２５ｃ、排出残球有表示ランプ４４５ｃ，４４５ｃと、故障表示ランプ４２５ｃ，４２５ｃの基端部と前記ランプ基板４２５ａとの間に夫々配設された緩衝用の絶縁部材４２５ｄ，４２５ｄ（一方のみ図示）及び排出残球有表示ランプ４４５ｃ，４４５ｃの基端部と前記ランプ基板４４５ａとの間に夫々配設された緩衝用の絶縁部材４４５ｄ，４４５ｄ（一方のみ図示）とを具えている。そして、そのランプ基板４２５ａ，４４５ａには該ランプ基板４２５ａ，４４５ａに役物制御装置５００／賞球排出制御装置６００側から電気を導くリード線（図示省略）が取り付けられている。そして、そのランプユニット４２５，４４５の排出残球有表示ランプ及び故障表示ランプを支持するランプ基板４２５ａ，４４５ａが、基枠４７０の前面側左寄り位置に設けられた１対の支持片４７０ｂ，４７０ｂ間および前面側右寄り位置に設けられた１対の支持片４７０ｄ，４７０ｄ間に把持された状態で設置され、リード線がそれら支持片４７０ｂ，４７０ｂ，４７０ｄ，４７０ｄ間に設けられた開口部４７０ｃ，４７０ｅを介して基枠４７０の裏側へ導かれている。
　また、上記のように基枠４７０に設置されたランプユニット４２５，４４５の故障表示ランプ４２５ｃ，４２５ｃ、排出残球有表示ランプ４４５ｃ，４４５ｃの後方に位置する基枠４７０の前面部にはそれら各ランプ４２５ｃ，４２５ｃ，４４５ｃ，４４５ｃの光を前方に集める反射部材４２７，４２７（故障表示ランプ側のみ図示）が設置されている。
　このようにして情報ユニット４３１およびランプユニット４２５，４４５が配設された基枠４７０の前面にはその前面部を覆った状態で前記蓋枠４６０が取り付けられている。該蓋枠４６０の中央部には、メッセージ表示窓４６１が設けられ、また、その左右両側には一対の態様表示窓４６２，４６２が設けられている。
　そして、その中央のメッセージ表示窓４６１に透光性の反射防止プレート４３５が取り付けられ、左右両側の態様表示窓４６２，４６２には透光性のレンズ部材４２６，４２６が取り付けられている。
　第４図には、第２図に示した前記賞球排出部７００と、入賞球処理部８００の内部構成をわかり易く表わしたパチンコ遊技機１０の裏面図を示す。
　誘導樋２０２は、中央分離帯２０３によって分離された２条の通路を有していて緩やかに傾斜している。そして、その途中には振り子式の球ならし２０４が配設され、下流側には球止め兼球ならしレバー２０５が配設されている。また、この誘導樋２０２の上流端部には補給センサ２１１を具えた補給要求検出装置２１０が設置され、一方、誘導樋２０２の下流端部には半端センサ２２１を具えた半端球検出装置２２０が設置されている。そして、その補給要求検出装置２１０によって貯留タンク２０１内の予備球の不足状態が検出され、半端球検出装置２２０によって賞球排出用の予備球の半端状態（予備球数が２回の賞球排出個数に満たなくなった状態）が検出されるようになっている。
　また、前記入賞球処理装置８００は誘導樋２０２の流下端部にこれと連続するような形で配設されている。
　前記賞球排出部７００は、賞球排出ユニット７００Ａと賞球排出樋ユニット７００Ｂとから構成されている。賞球排出ユニット７００Ａには、前記誘導樋２０２の２条の通路に対応させて、第４図の紙面に垂直方向に賞球導出樋７１０，７１０が２条設けられている。そして、これら賞球導出樋７１０，７１０の上流部には、不正発生時等に賞品球の排出をストップさせるロック装置７２０が設置され、下流部には第１および第２の賞球排出センサ（排出センサ１，２）７３０，７３０と第１および第２の賞球排出装置７４０，７４０が設置されている。
　一方、賞球排出樋ユニット７００Ｂには、前記第１および第２の賞球導出樋７１０，７１０から流下される賞品球や抜球を外部に導出させる球導出樋７５０が設けられている。この球導出樋７５０は、貯留された遊技球を賞品球としてパチンコ遊技機１０の表側の供給皿１０２又は受皿１０３に排出するための賞球排出樋７５１と、抜球として島設備の回収樋（図示省略）に排出するための球抜樋７５２とに分岐している。球導出樋７５０の分岐部には球抜き装置７６０が設置されている。この球抜き装置７６０は、球導出樋７５０の分岐部にピン７６２ａを軸芯として回動自在に設置された切換ゲート７６２と、該切換えゲート７６２を回動させる球抜きソレノイド７６１とを備え、切換えゲート７６２の基部と球抜きソレノイド７６１の作動ロッド７６１ａとは連結手段７６３によって連結されている。そして、その球抜きソレノイド７６１が消磁（オフ）状態となっているときには、その作動ロッド７６１ａがその自重および図示省略の復帰用スプリングの復帰力によって下降状態に復帰され、連結手段７６３が切換ゲート７６２をして球抜き樋７５２を閉塞せしめる（同図に実線で示す状態）。反対に、球抜きソレノイド７６１が励磁（オン）されると、その作動ロッド７６１ａが上昇して、連結手段７６３が切換ゲート７６２をして同図に鎖線で示すように賞球排出樋７５１を閉塞せしめる。また、賞球排出樋７５１の途中位置には、該賞球排出樋７５１内の賞品球が一定レベル以上に溜まった状態を検出するオーバーフロー検出器７７０が設置されている。
　また、前記賞球排出装置７４０の近傍位置には遊技店の係員によって押圧操作される回復スイッチ７８０が設置されている。この回復スイッチ７８０は、賞品球の不正排出が行なわれるときに作動するロック装置７２０を解除するものであって該スイッチを押圧することによってロック装置７２０のソレノイド７２１が強制的に励磁（ＯＮ）され再び賞品球の排出が可能な状態になる。
　前記入賞球処理部８００の上部側には、前記入賞球集合樋３０１によって集められた入賞球（セーフ球）を受け入れる入賞球受入れ樋８１０が図中垂直方向に設けられている。
　この入賞球受入れ樋８１０の排出口側には、該入賞球受入れ樋８１０を島設備の回収樋（図示省略）に連結させる入賞球流下樋としての入賞球導出樋８２０が設けられている。
　そして、この入賞球導掛樋８２０の途中には、入賞球検出器（セーフセンサ）８３０とセーフ球流出阻止装竃８５０が設置されている。
　このセーフ球流出阻止装置８５０は、駆動手段としてのセーフ球流出阻止ソレノイド８５１と、該セーフ球流出阻止ソレノイド８５１によって回働されて適宜入費球導出樋８２０内の入賞球の流下を阻止する係止爪部材８５３とから構成されている。
　前記パチンコ遊技機１０の前記操作ダイヤル１０５の上方位置内部には、打球発射部（図示省略）に発射球を供給する発射球供給部９００が設けられている。
　また、パチンコ遊技機１０の下部中央寄り位置には、遊技盤３００の下部中央に設けられたアウト球回収口３１０から回収されるアウト球を島設備の回収樋（図示省略）中に導くアウト球回収樋２６０が設けられている。
　また、パチンコ遊技機１０内の上部には、打止め状態を知らせる完了ランプ２７１及び、遊技盤の入賞口に遊技球が入賞したことを知らせる入賞表示ランプ２７２（セーフランプ）が遊技者にそれらの点灯光を視認し得る状態に設置されている。
　第５図には、第４図に示した入賞球検出器（セーフセンサ）８３０の回路構成図を示す。
　セーフセンサ８３０は、入賞した遊技球がその内部を通過したときにロー（Ｌ）レベルからハイ（Ｈ）レベルに変化する出力信号を出力する（端子Ｂの電位）もので、同図に示すように、セーフ球検出部８３０Ａ，パルス幅検出部８３０Ｂ，ショート検出部８３０Ｃとを具えている。
　このうちセーフ検出部８３０Ａは、通常（内部に入賞球がない状態のとき）出力側（Ａ点）の電位が、パルス幅検出部８３０ＢのトランジスタＴｒ１がＯＮする値（例えば６．５Ｖ：Ｌレベル）となる。また、その内部に入賞球があるとき、出力側（Ａ点）の電位はパルス幅検出部８３０ＢのトランジスタＴｒ１をＯＦＦする値（例えば１２Ｖ：Ｈレベル）に変化する。
　前記パルス幅検出部８３０Ｂは、前記セーフ検出部８３０Ａの働きによって得られる出力信号（Ａ点の電位）の変化が入賞した遊技球が実際にセーフ検出部内を通過したことによるものであるか或はノイズなどによるものかを判断するものである。
　より具体的には前記パルス幅検出部８３０Ｂは、抵抗Ｒ１〜Ｒ５、トランジスタＴｒ１、コンデンサＣ１及びインバータを含んでなり、このうち抵抗Ｒ５とコンデンサＣ１とによって積分回路が形成され、この積分回路の働きによってＢ点に現れる波形は、そのノイズが除去されることとなる。尚、該積分回路によって除去されるノイズの幅は抵抗Ｒ５とコンデンサＣ１の容量によって適宜に調整可能である。
　この回路定数の一例を参考のため示すと、次のようになる。
　Ｒ１：３３０Ω，Ｒ２：６８０Ω，Ｒ３：６．８ＫΩ，Ｒ４：４．７ＫΩ，Ｒ５：１００ＫΩ，Ｃ１：０．０２２μＦ
　このパルス幅検出器８３０Ｂは、入賞した遊技球がセーフ検出部８３０Ａ内に達してＡ点での電圧レベルがＬレベルからＨレベルに変化したときに前記トランジスタＴｒ１がオンとなる構成となっており、このとき当該パルス幅検出部８３０Ｂの出力側（Ｂ点）の出力レベルもＬレベルからＨレベルに変化することになる。
　また、前記ショート検出部８３０Ｃはセーフ検出部８３０Ａ側の配線にショートが発生したときにこれを検出するためのものであり、前記抵抗Ｒ１，Ｒ２，抵抗Ｒ６〜Ｒ９，トランジスタＴｒ２を含んでなる。
　この回路定数の一例を参考のため示すと、次のようになる。
　Ｒ１：３３０Ω，Ｒ２：６８０Ω，Ｒ６：１００ＫΩ，Ｒ７：１００ＫΩ，Ｒ８：１０ＫΩ
　このショート検出部８３０Ｃは、前記セーフ検出部８３０Ａ側の配線にショートが発生してセーフ検出部８３０Ａの出力レベル（Ａ点の電位）が０Ｖとなったときに、その内部に配されたトランジスタＴｒ２がオフとなる構成となっている。従ってショート検出部８３０Ｃの出力側（Ｃ点）の出力レベルがＬレベルからＨレベルに転じたときにセーフ検出部８３０Ａにショートが発生したと判断することができる。
　尚、斯かる回路構成の入賞球検出器（セーフセンサ）８３０において、該センサ自体がオープン状態となったときには該センサのＢ点の出力レベルは、実際の遊技球の有無に拘らず常にＨレベルとなる。
　このようにオープン状態で常にＨレベルとなるセンサの出力信号は、後述のセーフ球判定処理（第２８図の判別に於いてその立上りから立下りまでの時間間隔が、所定値（例えば遊技球の通過によって出力される出力波形の特性（時間間隔が４ｍｓｅｃ〜５０ｍｓｅｃ）より著しく長い値；１００ｍｓｅｃ）と比較され、この値よりＨレベルとなる時間間隔が長いときセーフセンサはオープン状態であると判断される。
　第６図には、パチンコ遊技機１０の裏側に設置された賞球排出部７００を構成する賞球排出ユニット７００Ａの分解斜視図を示す。
　この賞球排出ユニット７００Ａは、パチンコ遊技機１０の裏側に取り付けられる賞球排出誘導枠７０１Ａを具えている。
　この賞球排出誘導枠７０１Ａは、貯留タンク２０１に連結された誘導樋２０２の２条の通路から送られてくる賞品球を球導出樋７５０に導くもので、仕切板７０２の両面側にはそれぞれ誘導樋２０２の２条の通路の下端出口と球導出樋７５０の入口を連絡する賞球導出樋７１０が設けられている。
　これら賞球導出樋７１０，７１０は、その上段部、中段部、下段部がそれぞれ、減圧路７１０ａ，７１０ａ、縁切り路７１０ｂ，７１０ｂ、排出路７１０ｃ，７１０ｃとなっている。
　前記減圧路７１０ａ，７１０ａは、貯留タンク２０１から誘導樋２０２を介して送られてくる賞品球としての予備球の移動圧を減圧させるもので、同図に示すように、緩傾斜状態にＵターンさせて設けられている。前記縁切り路７１０ｂ，７１０ｂは、その下の排出路７１０ｃ，７１０ｃを通る賞品球同士に間隔を開けさせて、後述の賞球排出装置７４０による賞品球の排出をストッパによって止め易くするためのもので、前記減圧路７１０ａに通じる垂直通路部分７１１と、後述の排出路７１０ｃに通じる方向変換通路部分７１２とから構成されている。そして、その垂直通路部分７１１の下端部には、球の流下方向への移動力を減衰させる移動力減衰傾斜部７１３が方向変換通路部分７１２に向けて緩やかに下り傾斜させた状態で設けられている。また、方向変換通路部分７１２の前方には、前記減衰傾斜部７１３に沿って流下する球の流下方向を垂直下方に方向変換させる案内傾斜壁７１４が設けられている。一方、方向変換通路部分７１２の後方の垂直通路部分７１１の後壁部には球詰まり防止突部７１５が前方に突出して設けられている。この球詰まり防止突部７１５によって、垂直通路部分７１１に縦に並んで停止した球のうちの最も下の減衰傾斜部７１３上の球の中心位置がその上方の球の中心位置より常に前方に位置させれるようになる。それによって、上方の球の流下移動圧が最も下の減衰傾斜部７１３に至る球を常に前方に押し遣ることとなり、従って最も下の球は常に減衰傾斜部７１３の下流側に押し遣られて球詰まりが防止される。
　また、賞球排出誘導樋７０１Ａの手前側上部には、不正の発生等一定の事由が発生した時に、賞品球の排出を停止させるロック装置７２０が設置されている。
　このロック装置７２０は、賞球排出誘導枠７０１Ａの手前側（表側）上部に設置された駆動手段としてのロックソレノイド７２１と該ロックソレノイド７２１の駆動力により駆動されて、第１および第２の賞球導出樋７１０，７１０の減圧通路７１０ａ，７１０ａ中の球の流下を制御する第１および第２のロック部材７２８，７２９を具えている。
　前記ロックソレノイド７２１は、その消磁（オフ）時に自重および復帰用スプリング（図示省略）の力によって下降（伸張）復帰していて、励磁（オン）時に上昇（縮む）する作動ロッド７２２を具えている。
　前記第１および第２のロック部材７２８，７２９は、減圧路７１０ａの上方の仕切板７０２を貫通して設けられた軸受孔７０２ａ中に回転自在に挿通された回転軸７２７の両端にそれぞれ固定されることにより、一緒に回動するようになっている。
　これらロック部材７２８，７２９のうちの第２のロック部材７２９の一側部に連結ピン７２９ａが突設され、該連結ピン７２９ａと作動ロッド７２２の下端部とが連結板７２６により連結されている。
　そして、ロックソレノイド７２１が消磁（ＯＦＦ）状態にあるときには、作動ロッド７２２が下降して第１および第２のロック部材７２８，７２９の先端部が切欠き部７０３ａ、７０３ａを介してそれぞれ第１および第２の賞球導出樋７１０，７１０の減圧路７１０ａ，７１０ａ中に入り込んで、それら減圧路７１０ａ，７１０ａ中の遊技球を流下させないようになっている。
　一方、ロックソレノイド７２１が励磁（ＯＮ）されると、作動ロッド７２２が上昇して第１および第２のロック部材７２８，７２９がそれらの先端側が上昇する方向に回動されて第１および第２の賞球導出樋７１０，７１０の減圧路７１０ａ，７１０ａ中から脱出してそれら減圧路７１０ａ，７１０ａ中の球を流下させ得るようになっている。
　また、賞球排出誘導枠７０１Ａの手前側上部には、前枠１００の操作用孔（図示省略）から球抜き操作用の球抜き棒（図示省略）が差し込まれたことを検出する球抜きセンサ７１９が設置されている。
　第１および第２の賞球導出樋７１０，７１０の排出路７１０ｃ，７１０ｃ中には、これら排出路７１０ｃ，７１０ｃを流下する球を検出する第１および第２の賞球排出センサ７３０，７３０（排出センサ１，２）が設置されている。
　また、賞球排出誘導枠７０１Ａの仕切板７０２の下部の表裏両側部には、第１および第２の賞球排出樋７１０，７１０の排出路７１０ｃ，７１０ｃ中にある球の流下を制御する第１および第２の賞球排出装置７４０，７４０がそれぞれ設置されている。
　これら第１および第２の賞球排出装置７４０，７４０は、それぞれ、賞球排出誘導枠７０１Ａの仕切板７０２の下部の表裏両側部に設置された電気的駆動源としての第１および第２の賞球排出ソレノイド７４１，７４１（排出ソレノイド１，２）と、これらソレノイド７４１，７４１の駆動力により駆動されて、第１および第２の賞球導出樋７１０，７１０の排出路７１０ｃ，７１０ｃ中の球の排出を制御する第１および第２の流下阻止部材７４５，７４５を具えている。
　前記第１および第２の賞球排出ソレノイド７４１，７４１は、それぞれ、それらの消磁（オフ）時に自重および復帰用スプリング（図示省略）の力によって下降復帰していて、励磁（オン）時に上昇する作動ロッド７４２を具えている。
　一方、前記第１および第２の流下阻止部材７４５，７４５は、それぞれ、賞球排出誘導枠７０１Ａの仕切板７０２の下部の表裏両側に突設された第１および第２の支軸７０５，７０５に回動自在に支持されている。
　これら第１および第２の流下阻止部材７４５，７４５の一側部には、それぞれ連結ピン７４６，７４６が突設され、これら連結ピン７４６，７４６と第１および第２の賞球排出ソレノイド７４１，７４１の作動ロッド７４２，７４２の下端部とが、それぞれ連結板７４７，７４７により連結されている。
　そして、第１および第２の賞球排出ソレノイド７４１，７４１が消磁（オフ）状態にあるときには、作動ロッド７４２，７４２が下降して第１および第２の流下阻止部材７４５，７４５の先端部が切欠き部７０３ｂ，７０３ｂを介して、それぞれ第１および第２の賞球導出樋７１０，７１０の排出路７１０ｃ，７１０ｃ中に入り込んで、それら排出路７１０ｃ，７１０ｃ中の遊技球を流下させないようになっている。
　一方、第１および第２の賞球排出ソレノイド７４１，７４１が励磁（オン）されると、作動ロッド７４２，７４２が上昇して第１および第２の流下阻止部材７４５，７４５がそれらの先端側が上昇する方向に回動されて第１および第２の賞球排出樋７１０，７１０の排出路７１０ｃ，７１０ｃ中から脱して、それら排出路７１０ｃ，７１０ｃ中の球を流下させ得るようになっている。
　上記のように、ロック装置７２０、第１および第２の賞球排出装置７４０，７４０、球抜きセンサ７１９および賞球排出センサ７３０，７３０等の設置された賞球排出誘導枠７０１Ａは、その第１の賞球導出樋７１０側（裏側）がパチンコ遊技機１０の裏側に相対して取り付けられ、一方その第２の賞球導出樋７１０側（表側）が蓋枠７０１Ｂによって封止されている。
　そして、前記ロックソレノイド７２１、球抜きセンサ７１９、第１および第２の賞球排出ソレノイド７４１，７４１、および第１および第２の賞球排出センサ７３０，７３０がそれぞれコネクタ７２３，７１９ａ，７４３，７４３および７３１，７３１を介して賞球排出制御装置６００（第２図）に電気的に接続されている。
　第７図には賞球排出ユニット７００Ａの内部機構の正面図を示す。
　前述したように、賞球排出ユニット７００Ａの内部には賞球導出樋７１０が設けられ、該賞球導出樋７１０に沿って、不正発生等一定の事由が発生したときに賞品球の排出をストップさせるロック装置７２０、賞品球の排出に関与する賞球排出装置７４０、および賞品球の排出を検出する賞球排出センサ７３０が設置されている。
　前記賞球導出樋７１０は前述したように上流部の減圧路７１０ａ、中流部の縁切り路７１０ｂおよび下流部の排出路７１０ｃとから構成されている。そして、前記縁切り路７１０ｂは垂直通路部分７１１と方向変換通路部分７１２とから構成され、特に、その垂直通路部分７１１の下部の後壁部には該垂直通路部分７１１の下部に至った球をその中心部がその直上の球の中心位置より前方（図中左側）に至るように押し遣る球詰り防止突部７１５が設けられている。
　この球詰り防止突部７１５によって前方に押し遣られた球Ｂ５の中心位置は、その直上の球Ｂ６の中心位置より少なくとも前方に球詰まり防止凸部の幅ｄ（＞０）の距離だけ前方に位置されるようになっている。それにより、垂直通路部分７１１に縦に並んで停止した球のうちの最も下の減衰傾斜部７１３上の球（Ｂ５）がその直上の球（Ｂ６）の下方への流下移動圧によって減衰傾斜部７１３の後方側に押し遣られて球詰りするのを防止できるようになっている。
　賞球導出樋７１０の流入口側は誘導樋２０２の流下端部に接続され、流出口側は球導出樋７５０の上端流入口に接続されている。
　第８図（Ａ），（Ｂ）には入賞球処理装置８５０のセーフ球流出阻止ソレノイド８５１によるセーフ球の流出阻止動作の説明図を示す。
　前記セーフ球流下阻止ソレノイド８５１は、その消磁（ＯＦＦ）時にその自重および図示省略のスプリングの復帰力によって、下降（伸張）し、励磁（ＯＮ）時に上昇（縮む）する作動ロッド８５２を具えている。また、前記係止爪部材８５３は、その基部がピン８５３ａを軸芯として回動自在に設置されている。そして、その中間部が前記セーフ球流下阻止ソレノイド８５１の作動ロッド８５２の下端部とリンク結合されている。この係止爪部材８５３が前記セーフ球流下阻止ソレノイド８５１の昇降に伴って回動し、その先端の爪部８５３ｂが入賞球導出樋８２０中に出入りするようになっている。
　セーフ球流出装置８５０は、上記のように構成されていて、以下のように動作する。
　即ち通常の遊技状態にあっては、第８図（Ａ）に示すように、セーフ球流下阻止ソレノイド８５１が励磁（ＯＮ）状態になっていて、その作動ロッド８５２は上昇した状態に保持され係止爪部材８５３の先端は入賞球導出樋８２０中から脱した状態となっている。このとき遊技盤３００の入賞口に入賞したセーフ球は入賞球導出樋８２０を流下し、セーフセンサ８３０内を通過してセンサの下流側に移動するようになっている。このときセーフセンサは当該入賞球の通過を検知して、その旨を示すパルス信号を出力する。
　この状態からセーフセンサの故障、停電等が発生して詳細は後述するように、セーフ球流下阻止ソレノイド８５１が消磁（ＯＦＦ）されると、その作動ロッド８５２が下降して係止爪部材８５３の先端の爪部８５３Ｂが第８図（Ｂ）に示すように入賞球導出樋８２０内に入り込んでセーフ球は入賞球導出樋８２０のセンサ取付位置より下流側に流下しないようにされている。
　第９図（Ａ），（Ｂ）には供給皿１０２から発射レールの発射球待機部、即ち打球発射部（図示省略）に遊技球を供給する発射球供給部９００の内部機構図を示す。
　発射球供給部９００は供給皿１０２（第１図）から供給される遊技球を打球発射部（図示省略）に適宜１個ずつ送ったり、その供給を阻止したりする部分で、供給皿１０２に通ずる遊技球の供給口１０２ｂの内側には、該供給口１０２ｂから供給される遊技球を内部の打球発射部に導くための発射球供給通路９５０が設けられている。
　この発射球供給通路９５０の下部には、パチンコ遊技機１０の前側下部の受皿１０３中に通ずる回収通路９６２が設けられている。この回収通路９６２の上端開口部には、発射球供給通路９５０の通路底板を構成する開閉通路部材９６１が矢印方向に往復摺動自在に設置されている。この開閉通路部材９６１は図示省略の復帰用スプリングによる復帰力によって回収通路９６２を閉塞する方向（図中左側）に移動復帰されているが、パチンコ遊技機１０の前側の供給皿１０２の一側部に突出して設置された球回収用釦１０６（第１図）を押すことにより回収通路９６２の入口を開放できるようになっている。
　また、発射球供給通路９５０の前方には、打球発射部（図示省略）に通ずる発射球導入空間９７０が設けられている。この導入空間９７０には球送り装置９８０が設置されている。
　この球送り装置９８０は発射球供給通路９５０上に待機している遊技球Ｂを１個ずつ分離して打球発射部に供給するもので、ピン９８９を軸芯としてその先端側が昇降する方向に回動自在に設置されている。
　この球送り装置９８０の先端部には球取込み部９８１が設けられている。この球取込み部９８１は例えばコ字型に設けられ、その中央部には発射球供給通路９５０上に待機している遊技球Ｂを１個ずつ取り込む球取込み空間９８１ａが、下部にはその取り込んだ球Ｂを打球発射部（図示省略）方向に転動させて移送させる傾斜面を有する球移送傾斜部９８２ｂが、上部には前記球移送傾斜部９８２ｂによって打球発射部（図示省略）に送られた球Ｂの発射が終了するまで次の球Ｂを発射球供給通路９５０上に待機させておく係止部９８２ａが設けられている。このように構成された球送り装置９８０は発射モータ１５１（第２図）により回転されるカム（図示省略）によって遊技球の発射に同期して回動されるようになっていて次のように動作する。
　即ち、球送り装置９８０により、打球発射部（図示省略）に先に移送された球（前の球）が打球発射装置１５０によって発射されるまでの間、球送り装置９８０は、第９図（Ａ）に示すように自重によってその先端側が下降復帰してその上部の係止部９８２ａにより発射球供給通路９５０上の次の球Ｂを係止した状態に保っている。
　そして、前の球の発射が終了した時点で、発射モータ１５１（第２図）の駆動力によって球送り装置９８０の先端側が上昇する方向に回動される。そして、その回動に伴ってその先端の球取込み空間９８１ａの中に待機中の球Ｂを取り込んだ時点で第９図（Ａ）に示すように先端部が下降した状態に回動復帰されて、その取り込んだ球を打球発射部（図示省略）に移送させると同時に、その次の待機球をその上部の係止部９８２ａによって係止した状態となる。
　このように、打球発射部の球が発射されるごとに、球送り装置９８０が発射球供給通路９５０上の待機球Ｂを１つずつ取り込んで打球発射部に移送させることとなる。
　発射球供給部９００の上方部には、補給センサ２１１の出力信号によって、貯留タンク２０１（第２図）中の賞品球が無くなったことが確認されたとき等に発射球供給通路９５０上の待機球Ｂを係止し、球送り装置９８０によって待機球Ｂが取り込まれないようにするシャッター装置９１０Ａが設置されている。
　このシャッター装置９１０Ａは、発射球供給部９００の上側に設置された駆動源としてのシャッターソレノイド９１０と該シャッターソレノイド９１０の駆動力により駆動されて発射球供給通路９５０上の待機球Ｂを球送り装置９８０に取り込まれないように係止する供給阻止部材９２０を具えている。
　前記シャッターソレノイド９１０は、その消磁（ＯＦＦ）時に自重および復帰用スプリング９１１の力によって下降していて、励磁（ＯＮ）したときに上昇（縮む）する作動ロッド９１２を具えている。
　一方、前記供給阻止部材９２０は、その中間部がピン９２５を軸芯として先端側および後端側が昇降する方向に回動自在に設置されている。この供給阻止部材９２０の先端部には、発射球供給通路９５０の上壁部に設けられた開口部９５１を介して、発射球供給通路９５０中に入り込んで該供給通路９５０中の待機球Ｂを前記回収通路９６２中に回収可能な位置に係止させる係止爪９２１が、円弧状に湾曲させて下向きに設けられている。
　そして、この供給阻止部材９２０の後端部が連結部材９１３により前記シャッターソレノイド９１０の作動ロッド９１２に連結されていて、作動ロッド９１２の昇降に伴って供給阻止部材９２０が回動されて、その先端の係止爪９２１が発射球供給通路９５０内に出入りするようになっている。
　シャッター装置９１０Ａは上記のように構成されており、常時はシャッターソレノイド９１０が消磁（オフ）状態にあって、作動ロッド９１２が下降して供給阻止部材９２０の先端側が上昇復帰していて、その先端の係止爪９２１が発射球供給通路９５０中から脱出した状態となっている。このときには、発射球供給通路９５０中の待機球Ｂは球送り装置９８０によって打球発射部（図示省略）への移動が可能な状態となっている。
　そして、貯留タンク２０１（第４図）中の球が無くなって補給センサ２１１の２２出力がＨレベルとなったときなどにシャッターソレノイド９１０が励磁されると、作動ロッド９１２が上昇して供給阻止部材９２０の先端側が下降されてその先端の係止爪９２１が第９図（Ｂ）に示すように発射球供給通路９５０中に入り込んで、供給通路９５０中の待機球Ｂを前記回収通路９６２中に回収可能な位置、即ち、供給通路９５０中の先頭の待機球Ｂが回収通路９６２の上端開口部上で、かつ開閉通路部材９６１上に載った状態に係止する。
　このように、発射球供給通路９５０中の待機球Ｂがシャッター装置９１０Ａにより係止された状態にあるとき、パチンコ遊技機１０の前側の供給皿１０２（第１図）の一側に突出して設置された前記球回収用釦１０６の操作によって開閉通路部材９６１を後退させる方向に移動（摺動）させて回収通路９６２上の上端開口部を開放させれば、発射球供給通路９５０中の待球機Ｂを１つ残らず全て受皿１０３（第１図）中に回収できる他、供給口１０２ｂを介して、新たに発射球供給通路９５０中に入り込む球Ｂも全て受皿１０３中に回収することができる。
　第１０図には前記賞球排出制御装置６００の全体斜視図を示す。
　この賞球排出制御装置６００はパチンコ遊技機１０の賞球排出系統の制御を行なうもので、パチンコ遊技機１０の裏側左下に設置されている（第２図）。
　この賞球排出制御装置６００は、パチンコ遊技機１０の裏側に取り付けられる制御基盤６１０に賞球排出制御に関与するマイクロコンピュータ等の各種電子部品や電子回路等が配設されて構成され、これら装置６００の各主要部は保護用の蓋体６９０によって覆われている。また、この制御基盤６１０には、停電時に前記賞球排出制御装置の主要部、更にパチンコ遊技機の他の制御部に電力を供給するバックアップバッテリ６１２，マイクロコンピュータ６２０に記憶されている入賞球数記憶値（セーフ記憶値）を表示するための入賞球数記憶値表示部（入賞球表示器）６１３，前記記憶された入賞球数記憶値を人為的にクリアするためのクリアスイッチ６１４，その他各種電子部品等が設置される他、多数のコネクタ６１５，６１５，・・・等が設置されている。
　第１１図には裏機構盤２００に取り付けられた前記開閉扉２５０と該開閉扉２５０の裏側に設置される前記役物制御装置５００の分解斜視図を示す。
　開閉扉２５０の裏側の自由端部寄り位置には役物制御装置５００を設置するための一対の設置用レール２５１，２５１が平行上向きに配設されている。これらレール２５１，２５１はそれぞれ横断面がＬ字形をし、それらの上端部が開放状態となるとともに下端部が閉塞状態となっている。また、それらレール２５１，２５１よりさらに自由端部寄りの開閉扉２５０の自由端部寄より位置には前記一対のレール２５１−２５１間に設置された役物制御装置５００を覆う保護蓋２５２が開閉（回動）自在に軸支されている。この保護蓋２５２は、それが閉められたときに、開閉扉２５０の裏側の対応する位置に設けられた係止突起２５３，２５３に保護蓋２５２の自由端部の内壁部が係合することによって、自然には開かないようになっている。又、この保護蓋２５２には、複数の放熱孔２５５が設けられている。
　一方、役物制御装置５００は、役物制御基盤５１０上にパチンコ遊技機１０の役物等の制御を行なうマイクロコンピュータ５２０等の各種電子部品や電子回路が設置されるとともに接続コネクタ５８５が複数設置されて構成されている。
　この役物制御装置５００の裏側には、設置板５９０がその前面側に取り付けられたクッション材５９５，５９５を挟んで相互にクッション効果を保った状態に取り付けられている。
　このように役物制御装置５００が設置板５９０とクッショク性を持たせて抱き合わされた状態で開閉扉２５０の裏側の前記レール２５１−２５１間中に同図に矢印で示す方向にスライドさせて挿入させることによって、レール２５１−２５１間中に役物制御装置５００が設置される。このように設置された状態においては、相互にクッション性を持たせて抱き合わされた役物制御装置５００と設置板５９０の左右両端部分がそれぞれ左右のレール２５１，２５１部分に把持されることによって自然には動かないようにされている。
　第１２図はパチンコ遊技機１０のセーフ球の入力処理を行なうセーフ球処理制御部系の全体構成を示す制御ブロック図である。
　同図に示すようにセーフ球処理系の制御ブロックはセーフ球処理手段１６００を中心にその入力側に接続された回復スイッチ７８０，セーフセンサ（入賞球検出手段）８３０，記憶クリアスイッチ６１４、該セーフ処理手段１６００の出力側に接続された賞球排出手段１６５０、第１駆動源１６１０，第２駆動源１６２０，アンプ手段１６３０、更には、これらのうち前記第１駆動源１６１０，前記第２駆動源１６２０，前記アンプ手段１６３０に夫々接続されるセーフ球流出阻止ソレノイド８５１，スピーカ６８９，エラー表示／入賞球表示等を行なう排出状態表示手段（故障表示ランプ４２５ｃ、入賞球数表示器６１３）１６４０を構成要素としている。このうちセーフ球処理手段１６００、第１及び第２駆動源１６１０，１６２０、アンプ手段１６３０は賞球排出制御装置６００によって構成されている。
　前記セーフ球処理手段１６００は前記賞球排出制御装置のＭＰＵ６２０にて構成され、セーフセンサ故障検出部１６０１，セーフセンサの出力を受けてセーフセンサ８３０にショートが発生したことを検出するショート検出部１６０２，前記セーフセンサ８３０からの出力信号のパルス幅（立上りから立下りまでの間隔）を検出するパルス幅検出部（パルス幅検出手段）１６０３、該パルス幅検出部１６０３によって検出されたパルス幅が所定の範囲内（実際にセーフ球が通過したときに発生するであろう出力信号のパルス幅の許容範囲；例えば４ｍｓｅｃ〜５０ｍｓｅｃの間）にあるか否かを判定してその判定結果を表わす信号を出力するセーフ球判定部（入賞球判定手段）１６０４，該セーフ球判定部１６０４からの信号を受けてそれまで記憶していた「セーフ球記憶値」に１だけ加算して新たな「セーフ記憶値」としてこれを記憶する入賞球記憶手段としてのセーフ球記憶部１６０５とからなる。
　前記パルス幅検出部１６０３とセーフ球判定部１６０４およびセーフセンサ故障検出部１６０１とが協働することでパルス判定手段および異常処理手段を各々構成する。
　前記セーフセンサ故障検出部（故障検出手段）１６０１はパルス幅検出部からのパルス信号のパルス幅がセンサ自体の故障（エラー）又は不出発生時に生じ得る長さ（１００ｍｓｅｃ以上）であるか否かを判定する機能を存するほか、前記回復スイッチ７８０からの信号のほか前記ショート検磯部１６０２からのショート発生を示す信号が入力され、これら入力信号に基づいてセーフセンサ８３０を含むセーフ球検出系に異常が発生したときにその旨を表わす信号を該故障検出部１６０１の出力側に接続された第１駆動源１６１０、第２駆動源１６２０及びアンプ１６３０を介して夫々、セーフ球流阻止ソレノイド８５１、排出状態表示手段１６４０の故障表示ランプ４２５ｃ及びスピーカ６８９に供給するようになっている。このようにセーフセンサ故障検出部１６０１はセーフ球検出系の異常さを示す信号を出方する異常判定手段として機能するが、斯る信号の出力は前記回復スイッチのＯＮ状態を示す信号が入力されたとき停止される。
　上記異常を表わす信号を受けて前記セーフ球流下阻止ソレノイド８５１は前記セーフセンサ故障検出部１６０１からの入賞球導出樋８２０内のセーフ球の流下を阻止し、排出状態表水手段１６４０の故障表示ランプ４２５ｃは上記異常を表わす信号を受けてセーフ球の検出系に異常が生じたことを表示し、更にスピーカ６８９は上記異常の発生を音声によって示すようにしている。
　一方、前記セーフ球記憶部１６０５は、前記セーフ球判定部１６０４からセーフ球が検知されたことを示す信号が入力する時に「セーフ記憶値」を１宛増加し、該増加した「セーフ記憶値」を表わす信号を、前記第２駆動源１６２０を介して排出状態表示手段１６４０の入賞球表示部６１３にて表示させ、更に該信号を排出制御手段１６５０に供給するようになっており、排出制御手段１６５０は該信号が表わす「セーフ記憶値」に基づいて排出制御を行う。
　前記セーフ球記憶部１６０４には更に記憶クリアスイッチ６１４が接続されており、該記憶部１６０４はクリアスイッチ６１４がスイッチオンを示す信号が入力されたとき前記「セーフ記憶値」を「０」にリセットする（従来の入賞球の球抜処理に相当する）ようになっている。
　なお、上記セーフ球流下阻止ソレノイド８５１、スピーカ６８９、排出状態表示手段の故障表示ランプ４２５ｃによって故障処理手段が構成され、一方、前述のセーフ球処理手段１６００は賞球排出制御装置６００のＭＰＵ６２０によって構成されている。
　第１３図には賞球排出制御装置６００によるパチンコ遊技機１０の賞球排出制御系統の制御ブロック図を示す。
　賞球排出制御装置６００はパチンコ遊技機１０の賞球排出系統の制御を行なうもので、賞球排出系統の制御を行なうマイクロコンピュータ（ＭＰＵ）６２０、その入力側に接続されたローパスフィルタ６３１、前記マイクロコンピュータ６２０の出力側に接続されたドライバ６３２、マイクロコンピュータ６２０に電気を供給する電源回路６８０（該電源回路は電源監視回路６８０ａ、補助電源回路６８０ｂを具えている）、マイクロコンピュータ６２０の動作の基準時間を作り出す発振器６３４及びマイクロコンピュータ６２０からの音声信号を増幅してスピーカ６８９に供給するアンプ６８８等を具えている。
　このうちマイクロコンピュータ６２０は、読出し専用メモリたるＲＯＭ６２１、随時読出しと書込みが可能なメモリたるＲＡＭ６２２、タイマカウンタ６２３、サウンドジェネレータ６２６、入力ポートバッファ６２４、及び出力ポートラッチ６２５等を具えている。
　これらのうち、ＲＯＭ６２１には、セーフ球流下阻止ソレノイド８５１の作動パターン、第１および第２の賞球排出ソレノイド７４１，７４１の作動パターン、シャッターソレノイド９１０の作動パターン、ロックソレノイド７２１の作動パターン、入賞球数表示器６１３の点灯パターン、打止め等によって遊技が完了したことを知らせる完了ランプ２７１の点灯パターン、セーフランプ２７２の点灯パターン等の固定データが記憶されている。
　一方、ＲＡＭ６２２には、ローパスフィルタ６３１を介して送られてくる各種センサ２１１，２２１，７３０，７３０，８３０，６１４，７７０，７８０等から送られてくる検出信号やオン（ＯＮ）を表わす信号、さらには遊技盤又は役物制御装置等に設置される賞球数設定器５３０からの賞球設定数の情報信号などを一時的に記憶したりする記憶領域、およびマイクロコンピュータ６２０の作業領域（ワークエリア）などが設けられている。
　マイクロコンピュータ６２０の入力ポートバッファ６２４には、ローパスフィルタ６３１を介して、補給センサ２１１、半端センサ２２１、第１および第２の賞球排出センサ７３０，７３０、セーフセンサ８３０、記憶クリアスイッチ６１４、オーバーフロー検出器７７０および回復スイッチ７８０等の各種スイッチさらには賞球数設定器５３０等が接続されている。
　一方、マイクロコンピュータ６２０のドライバ６３２には入賞球数表示器６１３、故障表示ランプ４２５ｃ、排出残球有表示ランプ４４５ｃ、排出ソレノイド７４１，７４１、シャッターソレノイド９１０、セーフ球流出阻止ソレノイド８５１、セーフランプ２７２、完了ランプ２７１、ロックソレノイド７２１更には外部情報リレー回路６８７を介して中央管理装置６８５、発射モータリレー回路６８６を介して発射モータ１５１が接続されている。
　賞球排出制御装置６００は、上記のように構成されていて、各種センサ２１１，２１１，７３０，７３０，８３０，６１４，７７０，７８０さらには賞球数設定器５３０からの信号がローパスフィルタ６３１を介してマイクロコンピュータ６２０に送られてくると、マイクロコンピュータ６２０はその送られてきた信号の種類に対応した出力信号をドライバ６３２に送って、入賞球数表示器６１３（第１０図），故障表示ランプ４２５ｃ、排出残球有表示ランプ４４５ｃ（第３図）のうちの対応する表示器を点灯させたり、セーフ球流下阻止ソレノイド８５１、賞球排出ソレノイド７４１，７４１、シャッターソレノイド９１０、ロックソレノイド７２１等の各種ソレノイドのうちの対応するソレノイドを作動させたり、或いは、完了ランプ２７１を点灯させたり、セーフランプ２７２を点灯させたりする。また、賞球排出制御装置６００は補給センサ２１１からの信号に基づいて補給をすべきであると判断したときに、ドライバ６３２および外部情報リレー回路６８７を介して遊技店の中央管理装置６８５に補給指令信号を送る。又、賞球排出制御装置６００は、オーバーフロー検出器７７０からの信号に基づいて、排出された賞品球が賞球排出樋７５１内の検出器取付位置に達したと判断したときにはドライバ６３２および発射モータ制御リレー回路６８６を介して発射モータ１５１にストップ信号を送ってその作動を停止させる等の働きをする。
　次に、上述した賞球排出制御装置６００によって行なわれる賞品球の排出制御の手順を第１４図乃至第３６図を参照して詳細に説明する。
　賞品球の排出制御は、上記賞球排出制御装置６００の電源の投入と同時に開始され電源が投入されている限り繰返しその処理が行なわれる所謂バックグラウンド制御処理（第１４図）と、上記電源が投入されたあと所定時間経過（例えば０．５ｍｓｅｃ）毎に、上記バックグランド制御処理中に当該バックグランド制御処理を中断してその処理が割込される割込処理（第１８図）の２つの制御処理に大別されるものであり、これら２つの制御処理は上記装置６００内のＭＰＵ６２０により実行される。尚、１つの割込処理が開始されてから次の割込処理が開始されるまでの間に行われるバックグランド処理に於いては１ループの処理（ステップＳ８〜ステップＳ１９）が複数回行われるようになっている。
　先ず、賞品球の排出制御のバックグランド制御処理のメインルーチンについて第１４図を参照して説明する。
　このメインルーチンは、前述したように賞球排出制御装置６００の電源の投下後繰返し行なわれる。
　電源が投下されると、先ず、ステップＳ２では「セーフ記憶値」が「０」であるか否かが判別される。
　この「セーフ記憶値」は後述の割込処理（第１８図）のセーフ球判定処理（第２８図）にて、詳細は後述するようにセーフ球がセーフセンサ内を通過したと判定される毎に１宛その値が加算され、反対に排出処理（第３２図）にて１つのセーフ球に対応した所定の排出数（例えば１３個）分の賞品球が排出される毎に１宛その値が減算されるものである。
　このステップＳ２の判別結果が“Ｙｅｓ”のときにはステップＳ４に進み、前記ＭＰＵ６２０内のＲＡＭ６２２の記憶内容のクリア、後述の各種サブルーチンにて用いられる各種判別フラグのリセット（”０”にセット）、ＭＰＵ６２０から各種作動部（各種ソレノイド、各種ランプ等）への出カリセット（出力をＬレベルに設定）が、順次行なわれ、斯かる初期化を行なった後、ステップＳ８以降に進む。　
　一方、前記ステップＳ２の判別結果が“ＮＯ”、すなわち本プログラムの開始時にセーフ記憶値が「１」以上の値となっているとき、換言すれば、本プログラムが開始される以前に行なわれていた一連の制御プログラムの終了時（又は中断時）に、それまで入賞が確認されていたセーフ球の数に相当する回数の賞品球排出処理が未だ完了していなかった場合には、ステップＳ６に進んで、未だ排出処理が行なわれていない分のセーフ球（以下「排出残球」と称す）が残っていることを示すべく点灯（ＯＮ）されている排出残球有表示ランプユニット４４５ｃを消磁（ＯＦＦ）にして、その後ステップＳ８以降に進む（前記排出残球有表示ランプ４４５ｃは、停電等により主電源（図示省略）から電源電圧が供給されなくなった時点で、排出残球がある場合に後述のパワーダウン処理（第３６図）にて排出残球がある旨を示すべく点灯される）。
　続くステップＳ８及びステップＳ１０では夫々処理ナンバーが“２”であるか否か、“１”であるか否かが判別される。
　この処理ナンバー（処理ＮＯ）は、その値が“１”のときに後述の排出開始処理（第２９図）を開始させ、その値が“２”のときに後述の排出処理（第３２図）を開始させるものである。そして、電源が投下された直後に実行される前記ステップＳ４、又は後述の排出処理（第３２図）にて所定数（例えば１３個）の賞品球の排出が完了したときに、その値が“０”にリセットされ、リセットされた処理ＮＯはその時点でのセーフ記憶値が「０」でないと判断されたときに、直ちにその値が「１」に再設定され（後述のステップＳ１２，Ｓ２０）、その後再び排出開始処理が開始されることになる。
　更に排出開始処理が終了される直前の処理ＮＯはその値が“２”に設定され、ひき続いて排出処理が開始されることになる。
　斯る処理手順をフローに従って順次説明していく。
　今仮りに電源が投下された直後であってこのときのセーフ記憶値が「０」である場合を考える（このとき全ての制御変数、制御フラグはステップＳ２にて“０”にリセットされている）。
　このとき前記ステップＳ８，Ｓ１０の判別結果は共に“Ｎｏ”となり、ステップＳ１２でセーフ記憶値が「０」であるか否かが判別される。この場合、判別結果は“Ｙｅｓ”となり、ステップＳ１４にて記憶クリアスイッチの出力信号に基づくセーフ記憶値の記憶クリア処理（後述の第１５図）を行ない、続くステップＳ１６にてこれも後述する補給処理（第１６図）を行なった後、ステップＳ１７にてセーフエラーフラグが“１”であるか否かの判別を行なう。
　このセーフエラーフラグは後述のセーフ球判定処理（第２８図）においてセーフセンサ８３０の出力信号のレベルに基づいて設定されるものであり、その値が“１”のとき（詳細は後述するように出力信号がＨレベルに保持される時間が異常に長いとき又は、ショートが検出されたとき）セーフセンサに異常（又は不正）が発生した旨を示す。
　前記ステップＳ１７の判別結果が“Ｎｏ”のときにはそのままステップＳ１８に進んでこの時点で記憶されている入賞球の数（セーフ記憶値）を賞球排出装置６００に設けられた入賞球数表示器６１３にて表示した後、再び前記ステップＳ８より処理を開始する。
　一方、前記ステップＳ１７の判別結果が“Ｙｅｓ”のときにはステップＳ１９に進んで後述のエラー回復処理（第１７図）を行った後、再び前記ステップＳ８より処理を開始する。
　上述のステップＳ８〜Ｓ１９を繰返し実行している間に、割込処理（第１８図）のセーフ球判定処理（後述の第２８図）の実行によって、セーフ球が実際に入賞したことが新たに確認されてセーフ記憶値に１が加算され、その結果、「１」以上の値になると、前記ステップＳ１２の判別結果が“Ｎｏ”に転じてステップＳ２０が実行される。
　ステップＳ２０では処理ＮＯが“１”に設定され、その後ステップＳ１４〜Ｓ１９を実行して再びステップＳ８より処理が開始される。
　次回の処理では処理ＮＯは“１”に設定されているので、ステップＳ１０の判別結果が“Ｙｅｓ”に転じ、ステップＳ２２にて排出開始処理（第２９図）が行なわれる。
　この排出開始処理は、詳細は後述するように、排出処理（後述の第３２図）に先行して行なわれるもので、賞球設定器５３０に記憶された賞球設定数（例えば１〜１５の範囲で設定される）に基づいて賞品球の排出パターン（１回排出、交互排出、併用排出）を予め選択する処理、排出ソレノイドを予め励磁（ＯＮ）する処理等を行なうものであり、当該排出開始処理に於いて、前記処理ＮＯは、その値が“２”に変更される。
　この排出開始処理が終了すると、続いて前述したステップＳ１４〜Ｓ１９が実行され、その後再びステップＳ８からの処理が再開される。
　次のループでは、処理ＮＯが“２”に設定されているため、ステップＳ８の判別結果が“Ｙｅｓ”に転じて排出処理（第３２図）が開始される（ステップＳ２４）。
　この排出処理は、詳細は後述するように、セーフ記憶値に対応した回数だけ所定数（賞球設定数）の賞品球の排出を行なうものであり、後述するように上記所定数の賞品球の排出が終了すると一旦処理ＮＯは“０”に設定される。その直後のループにおいては前記ステップＳ８，Ｓ１０の判別結果が共に“Ｎｏ”となり再びステップＳ１２の判別が行われる。このときセーフ記憶値が「０」となっていない場合には該ステップＳ１２の判別結果は“Ｎｏ”となって処理ＮＯが“１”に設定され排出開始処理、排出処理が再開される。このような一連の処理毎にセーフ記憶値は１宛減算され、該セーフ記憶値が「０」となるまで当該排出処理は繰返し実行される。
　その後、上記セーフ記憶値に対応する回数だけ、所定数の賞品球の排出処理が行なわれると後述するように当該排出処理に於いて処理ＮＯが“０”にリセットされる。その結果その後のループに於いて再びステップＳ８，Ｓ１０の判別結果が共に“Ｎｏ”となり、更にステップＳ１２の判別が行われる。
　このステップＳ１２の判別結果が“Ｎｏ”のとき（セーフ記憶値≠０）には処理ＮＯが“１”に設定されて（ステップＳ２０）再び賞品球の排出制御が行われ、一方、前記判別結果が“Ｙｅｓ”のときにはこのメインルーチンとは別途に行なわれる割込処理のセーフセンサ入力処理によって新たに入賞球が検知されるまでステップＳ８〜Ｓ１８又はステップＳ１９が繰返し実行されることとなる。
　第１５図は、前述の賞球排出制御のメインルーチン（第１４図）のステップＳ１４にて行なわれる記憶クリア処理のサブルーチンを示すフローチャートである。
　このルーチンが開始されると、先ずステップＳ１４０２で記憶クリアフラグが“１”であるか否かが判別され、次いでステップＳ１４０４にて処理ＮＯが“０”であるか否かが判別される。
　この記憶クリアフラグは後述の割込処理にて実行される記憶クリアスイッチ入力処理（第２６図）においてクリアスイッチの出力レベルがＬレベル（“０”）からＨレベル（“１”）に転じたときにその値が“１”に設定されるものであり、一方処理ＮＯは前述したように賞球排出制御のメインルーチン開始時のリセット処理（ステップＳ４）又は排出処理の完了時にその値が“０”にリセットされ、賞品球の排出が開始されるとき（セーフ記憶値が「１」以上となったとき）にメインルーチンのステップＳ２０にて“１”に設定され、更に排出開始処理にて“２”に設定されるもので、前述した如くメインルーチンの制御の流れを決定するものである。
　前記ステップＳ１４０２，ステップＳ１４０４の何れか一方の判別結果が“Ｎｏ”、即ち記憶クリアスイッチが押されていないとき、又は賞品球の排出処理が完了していないときには続くステップＳ１４０６及びステップＳ１４０８をスキップしてそのまま本ルーチンを終了する。
　一方、前記ステップＳ１４０２，Ｓ１４０４の判別結果が共に“Ｙｅｓ”のときには、セーフ記憶値を「０」にリセットする（ステップＳ１４０６）と共に、前記ステップＳ１４０２の判別に用いた記憶クリアフラグを“０”にリセットして（ステップＳ１４０８）、本ルーチンを終了する。
　第１６図は、前述の賞球排出制御のメインルーチン（第１４図）のステップＳ１６にて行なわれる補給処理のサブルーチンを示すフローチャートである。
　このルーチンが開始されると、先ずステップＳ１６００で後述の割込処理にてなされる補給センサ入力処理（第２２図）でその値が決定される補給センサ立上フラグがこの時点で“１”であるか否かが判別される。この判別結果が“Ｙｅｓ”のとき、即ち賞品球の排出によって貯留タンク２０１の補給センサ２１１設置位置まで賞品球がないときには、賞品球が不足していることを示すべく完了ランプを“ＯＮ”（ステップＳ１６０４）、遊技球の発射を禁止すべくシャッターソレノイドを“ＯＮ”（ステップＳ１６０６）、外部情報リレーを“ＯＮ”（ステップＳ１６０８）、更に、前記補給センサ立上フラグを“０”に戻して（ステップＳ１６１０）、本ルーチンを終了する。
　前記ステップＳ１６００の判別結果が“Ｎｏ”のときには、続くステップＳ１６０２にてこれも後述の補給センサ入力処理にてその値が決定される補給センサ立下フラグが“１”であるか否かが判別される。この判別結果が“Ｙｅｓ”のとき、即ち補給が行われて賞品球が貯留タンク２０１の補給センサ２１１設置位置まで達しているときには、前記完了ランプを“ＯＦＦ”（ステップＳ１６１２）、遊技球の発射を可能にすべくシャッターソレノイドを“ＯＦＦ”（ステップＳ１６１４）、前記外部情報リレーを“ＯＦＦ”（ステップＳ１６１６）、更に前記補給センサ立下フラグを“０”に戻して（ステップＳ１６１８）、本ルーチンを終了する。
　第１７図は、前述の賞球排出制御のメインルーチン（第１４図）のステップＳ１９にて行なわれるエラー回復処理のサブルーチンを示すフローチャートである。
　このルーチンが開始されると、先ずステップＳ１７０２にて回復ＯＮフラグが“１”であるか否かが判別される。この回復ＯＮフラグは、回復スイッチ７８０の出力信号に基づいて後述の回復スイッチ入力処理（第２７図）にて決定されるもので、その値が“１”であるということは、遊技店の係員が該スイッチを押して不正発生等によって一旦消磁（ＯＦＦ）されたロックソレノイド７２１を強制的に再度励磁（ＯＮ）して賞品球の排出を再開させる処理を行なったことを表わすようになっている。
　従って該フラグが“０”（ステップＳ１７０２の判別結果が“Ｎｏ”）のときには続くステップＳ１７０４〜Ｓ１７０８をスキップしてそのまま本ルーチンを終了する。一方、前記ステップＳ１７０２の判別結果が“Ｙｅｓ”のときにはメインルーチン（第１４図）のステップＳ１７の判別に用いられるセーフエラーフラグを“０”にリセットして（ステップＳ１７０４）、ステップＳ１７０６に進む。ステップＳ１７０６，Ｓ１７０８では、詳細は後述するようにセーフ球判定処理（第２８図）においてセーフセンサからの出力信号が異常であると判断されたときに行なわれる処理（センサ故障時の処理）を解除する処理が行なわれる。即ち、ステップＳ１７０６ではセンサ故障時にその作動が停止（ＯＦＦ）されたモータ制御リレーを再び駆動（ＯＮ）し、次いでステップＳ１７０８で、これもセンサ故障時に消磁されて賞品球の排出を阻止していたセーフ球流出阻止ソレノイド８５１を再び励磁（ＯＮ）し、エラー処理を解除し、本ルーチンを終了する。
　次に、前述（第１４図）のメインルーチン（バックグランド処理）に優先して所定時間（例えば０．５ｍａｅｃ）経過毎に行なわれる割込処理の詳しい手順について第１８図乃至第２８図を参照して説明する。
　第１８図に示すように、割込処理が開始されると、先ず、後述する排出ウェイトタイマ、セーフ球ウェイトタイマ等の各種タイマのカウント値の更新が行なわれ（ステップＳ４２）、次いで排出センサ１の入力処理（ステップＳ４４）、排出センサ２の入力処理（ステップＳ４６）、セーフセンサの入力処理（ステップＳ４８）、補給センサの入力処理（ステップＳ５０）、半端センサの入力処理（ステップＳ５２）、オーバーフロースイッチ入力処理（ステップＳ５４）、発射モータ制御処理（ステップＳ５６）、記憶クリアスイッチ入力処理（ステップＳ５８）、回復スイッチ入力処理（ステップＳ６０）及びセーフ球判定処理（ステップＳ６２）が順次行なわれる。
　第１９図は、上記ステップＳ４４にて行なわれる排出センサ１の入力処理ルーチンのフローチャートである。
　排出センサ１（及び後述の排出センサ２）は、該センサ内に賞品球が存在しているときその出力信号がＨレベルとなり、賞品球が流出して一時的に又は継続してセンサ内に存在しなくなったときその出力信号がＬレベルとなるように構成されている。従って本フローでは該出力信号がＬレベルからＨレベルに立ち上がったとき（後述の排出センサ１立上フラグ＝“１”、排出センサ２立上フラグ＝“１”となったとき）に賞品球が該センサ内に達したと判断するようになっている。
　本ルーチンが開始されると、先ずステップＳ４４０２にて排出１変化フラグが“１”であるか否かが、続くステップＳ４４０４にて排出１Ｌレベルフラグが“１”であるか否かが判別される。
　ところで、前述したように、全ての判別フラグは賞球排出制御装置６００に電源が投入された直後、メインルーチン（第１４図）のステップＳ４にて“０”に設定される。
　従って割込処理が初めて開始された直後に本ルーチンが実行されたときには、センサ１の出力信号レベルに拘らずステップＳ４４０２，Ｓ４４０４の判別結果が共に“Ｎｏ”となって、先ずステップＳ４４０６で今回ループで出力信号がＬレベル（排出センサ１出力＝“０”）であるか否かが判別される。
　今仮りに、排出センサ１内に賞品球が留まっている状態から排出ソレノイド１の作動により該賞品球が供給皿１０２側に排出される場合を考える。
　賞品球がセンサ１に留まっている状態では該センサ１の出力信号はＨレベルのままであり、従って前記ステップＳ４４０６の判別結果が“Ｎｏ”となって、そのまま本ルーチンを終了する（このステップＳ４４０２〜Ｓ４４０６は初期化後、センサ１の出力信号が初めてＬレベルに変化するまで繰返し行なわれる）。
　この状態から排出センサ１内の賞品球が移動して（センサ１内から脱して）、該センサ１の出力信号がＨレベルからＬレベルに変化すると、前記ステップＳ４４０６の判別結果が“Ｙｅｓ”となり、ステップＳ４４０８に進んで、今回ループでセンサ１の出力信号がＬレベルとなったことを記憶すべく、排出１Ｌレベルフラグを“１”に設定して本ルーチンを終了する。
　次のループに進むと、直前のループの前記ステップＳ４４０８の処理により排出１Ｌレベルフラグが“１”に設定されたのでステップＳ４４０４の判別結果が“Ｙｅｓ”に転じ、ステップＳ４４１０に進んで、今回ループでの排出センサ１の出力信号がＨレベル（排出センサ１出力＝“１”）であるか否かが判別される。この判別結果が“Ｎｏ”、即ち、前回ループに続いて今回ループでも出力信号がＬレベルのときには、続くステップ４４１２，ステップＳ４４１４をスキップして本ルーチンを終了する。従って出力信号がＬレベルである限りステップＳ４４０２，Ｓ４４０４，Ｓ４４１０が繰返し行なわれることとなる。
　一方、判別結果が“Ｙｅｓ”、即ち、前回ループまでＬレベルであった排出センサ１の出力信号が今回ループに移行するまでの間にＬレベルからＨレベルに立ち上がったときには、今回ループで該立上りがあったことを記憶すべく、排出１変化フラグを“１”に設定する（ステップＳ４４１２）と共に、今回ループでの出力信号がもはやＬレベルでないことを記憶すべく前記排出１Ｌレベルフラグを“０”にリセットして本ルーチンを終了する。
　排出センサ１の出力信号が立ち上がった直後のループでは、先ず、ステップＳ４４０２にて排出１変化フラグが“１”であるか否かが判別される。この場合、判別結果は“Ｙｅｓ”となり、続くステップＳ４４１６において排出センサ１の出力信号が今回ループで依然Ｈレベルであるか否かが判別される。
　この判別結果が“Ｙｅｓ”のとき、即ち、前回ループにて排出センサの出力信号が立上り、且つ今回ループでも引き続きＨレベルが維持されているときには、賞品球が該排出センサ１内に達したとの判断がなされ、後述の交互排出処理（第３４図）、後述の併用排出処理（第３５図）にてセンサ出力として用いられる排出センサ１立上フラグを“１”に設定する（ステップＳ４４１８）と共に、前記出力信号の立上りを記憶していた排出１変化フラグをリセット（“０”に設定）して（ステップＳ４４２０）本ルーチンを終了する。
　以降のループにて、出力信号が依然Ｈレベルを維持する限り、前記ステップＳ４４０２，Ｓ４４０４，Ｓ４４０６が繰返し行なわれることとなる。
　一方、前記ステップＳ４４１６の判別結果が“Ｎｏ”のとき、即ち出力信号が立ち上がった直後のループで再び出力信号が立ち下がったときには、この出力信号の変化は賞品球の通過による変化ではない（ノイズ信号の発生等）と判断し、今回ループでの出力信号がＬレベルであることを記憶した後（ステップＳ４４２２）、前記ステップＳ４４２０にて前記排出１変化フラグをリセット（“０”に設定）して（今回発生した立上りはノイズによるものと判断してこれを無効にする）、本ルーチンを終了する。
　以上のルーチンを実行することによって、排出センサ１の出力信号が立ち上がった後、所定期間以上（少なくとも割込処理が２回行なわれる間）その状態が維持されたときにのみ排出センサ１立上フラグが“１”に設定され、従って該立上フラグは賞品球が排出センサ１内に達したことを示すようになる。尚、この排出センサ１立上フラグは、バックグランド処理（メインルーチン）の中の交互排出処理、又は併用排出処理（後述の第３４図、第３５図）にて、判別に用いられた直後にリセットされる。ところで１回の割込処理が終了してから次の割込処理が開始されるまでの間にメインルーチンの上記排出処理を含む処理ルーチンは複数回実行されることになっているので、本フラグが“１”の状態のまま次の割込処理（排出センサ１の入力処理）が行なわれることはない。
　第２０図は割込処理（第１８図）の前記ステップＳ４６にて行なわれる排出センサ２の入力処理ルーチンのフローチャートである。本フローは上述した排出センサ１の入力処理ルーチンと同一の手順にて行なわれるものである。
　賞球排出制御装置６００の電源が投入され、メインルーチンのステップＳ４にてすべての判別フラグが“０”に設定された後割込処理による本ルーチンが開始されると、先ずステップＳ４６０２にて排出２変化フラグが“１”であるか否かが、続くステップＳ４６０４にて排出２Ｌレベルフラグが“１”であるか否かが判別される。これらステップＳ４６０２，Ｓ４６０４の判別結果はセンサ２の出力信号レベルに拘らず共に“Ｎｏ”となり（フラグは全て“０”に設定されている）、ステップＳ４６０６で今回ループでの出力信号がＬレベル（排出センサ１出力＝“０”）であるか否かが判別される。
　今仮りに、排出センサ２内に賞品球が留まっている状態から排出ソレノイド２の作動により該賞品球が供給皿１０２側に排出される場合を考える。
　賞品球がセンサ２に留まっている状態では該センサ２の出力信号はＨレベルのままであり、従って前記ステップＳ４６０６の判別結果が“Ｎｏ”となって、そのまま本ルーチンを終了する。
　この状態から排出センサ２内の賞品球が移動して（センサ２内から脱して）、出力信号がＨレベルからＬレベルに変化すると、前記ステップＳ４６０６の判別結果が“Ｙｅｓ”となり、ステップＳ４６０８に進んで、今回ループでセンサ２の出力信号がＬレベルであったことを記憶すべく、排出２Ｌレベルフラグが“１”に設定され、本ルーチンを終了する。
　次のループに進むと、直前のループの前記ステップＳ４６０８で排出２Ｌレベルフラグが“１”となっているので前記ステップＳ４６０４の判別結果が“Ｙｅｓ”に転じ、ステップＳ４６１０にて、今回ループでの排出センサ２の出力信号がＨレベル（排出センサ２出力＝“１”）であるか否かが判別される。この判別結果が“Ｎｏ”、即ち、前回ループに続いて今回ループでも出力信号がＬレベルのときには、続くステップＳ４６１２，Ｓ４６１４をスキップして本ルーチンを終了する。従って出力信号がＬレベルである限りステップＳ４６０２，Ｓ４６０４，Ｓ４６１０が繰返し行なわれこととなる。
　一方、判別結果が“Ｙｅｓ”、即ち、前回ループまでＬレベルであった排出センサ２の出力信号が今回ループに移行するまでの間にＬレベルからＨレベルに立ち上がったときには、当該立上りがあったことを記憶すべく、排出２変化フラグを“１”に設定する（ステップＳ４６１２）と共に、今回ループでの出力信号がもはやＬレベルでないことを記憶すべく前記排出２Ｌレベルフラグをリセット（“０”に設定）して、本ルーチンを終了する。
　その直後のループ、即ち、排出センサ２の出力信号が立ち上がった次のループでは、先ず、ステップＳ４６０２の判別、即ち排出２変化フラグが“１”である、か否かが判別される。この場合、判別結果は“Ｙｅｓ”となり、続いてステップＳ４６１６において排出センサ２の出力信号が今回ループで依然Ｈレベルを維持しているか否かが判別される。
　この判別結果が“Ｙｅｓ”のとき、即ち、前回ループにて排出センサの出力信号が立上り、且つ今回ループでも引き続きＨレベルが維持されているときには、賞品球が該排出センサ２内に達したとの判断がなされ、後述の交互排出処理（第３４図）、併用排出処理（第３５図）にてセンサ出力として用いられる排出センサ２立上フラグを“１”に設定する（ステップＳ４６１８）と共に、前記出力信号の立上りを記憶した排出２変化フラグをリセット（“０”に設定）して（ステップＳ４６２０）本ルーチンを終了する。
　以降のループにて、出力信号が依然Ｈレベルを維持する限り、前記ステップＳ４６０２，Ｓ４６０４，Ｓ４６０６が繰返し行なわれることとなる。
　一方、前記ステップＳ４６１６の判別結果が“Ｎｏ”のとき、即ち出力信号が立ち上がった直後のループで再び出力信号が立ち去がったときには、これら出力信号の変化は賞品球がセンサ取付位置に達したことによる変化ではない（ノイズ信号の発生等）と判断し、今回ループでの出力信号がＬレベルであることを記憶した後（ステップＳ４６２２）、前記ステップＳ４６２０にて前記排出２変化フラグをリセット（“０”に設定）して（今回発生した立上りはノイズによるものと判断してこれを無効にする）、本ルーチンを終了する。
　以上のルーチンを実行することによって、排出センサ２の出力信号が立上がった後所定期間以上（少なくとも割込処理が２回行なわれる間）その状態が維持されたときにのみ排出センサ２立上フラグが“１”に設定され、従って該立上フラグは賞品球が排出センサ２内に達したことを示すようになる。尚、この排出センサ２立上フラグも前述した排出センサ１立上フラグと同様、バックグランド処理（メインルーチン）の中の交互排出処理、又は併用排出処理（後述の第３４図、第３５図）にて、判別に用いられた直後にリセットされる。そして、１回の割込処理が終了してから次の割込処理が開始されるまでの間にメインルーチンの上記排出処理を含む処理ルーチンが複数回実行されることになっているので、本フラグが“１”の状態のまま次の割込処理（排出センサ２の入力処理）が行なわれることはない。
　第２１図は、上記ステップＳ４８にて行なわれるセーフセンサの入力処理ルーチンのフローチャートである。
　セーフセンサは、前述したように（第５図）、該センサ内に入賞球が存在しているときその出力信号（端子Ｂの電圧レベル）がＨレベルとなり、入賞球が流出して一時的に又は継続してセンサ内に存在しなくなったときその出力信号がＬレベルとなるように構成されている。従って本フローでは該出力信号がＬレベルからＨレベルに立ち上がったとき（セーフ立上フラグ＝“１”）に入賞球が該センサ内に達したと判断し、出力信号がＨレベルからＬレベルに立ち下がったとき（セーフ立下フラグ＝“１”）センサ内を通過し終わったと判断するようになっている。
　今仮りに、遊技球が入賞していない状態でのセンサ出力を考える。
　この状態で賞球排出制御装置６００に電源が投入され、該ルーチンが開始されると、先ずステップＳ４８０２にて該センサ８３０の出力信号がＨレベル（セーフセンサ出力＝“１”）であるか否かが判別される。この場合（遊技球がセンサ取付位置まで達していない場合）、判別結果は“Ｎｏ”となってステップＳ４８０４以降に進む。
　次のステップＳ４８０４ではセーフ立下変化フラグが“１”であるか否かが、ステップＳ４８０６ではセーフ立上変化フラグが“１”であるか否かが、ステップＳ４８０８ではセーフＨレベルフラグが“１”であるか否かが、次いでステップＳ４８１０ではセーフＬベルフラグが“１”であるか否かが夫々判別される。
　ところでＭＰＵ６２０の初期化直後はすべてのフラグが“０”に設定されているため、ステップＳ４８０４〜Ｓ４８１０の判別結果はすべて“Ｎｏ”となり、ステップＳ４８１２にて、今回ループでセーフセンサの出力信号がＬレベルであったことを記憶すべくセーフＬレベルフラグを“１”に設定して本ルーチンを終了する。
　以後のループではセーフＬレベルフラグが“１”に設定されているので、セーフセンサの出力信号がＬレベルの状態を保持する限りステップＳ４８０２，Ｓ４８０４，Ｓ４８０６，Ｓ４８０８，Ｓ４８１０が繰返し実行されることになる。
　その後、遊技球が入賞して該遊技球（セーフ球）が入賞球導出樋８２０内のセーフセンサ８３０の設置位置にまで達すると、セーフセンサ８３０の出力信号がＨレベルに転じ、前記ステップＳ４８０２の判別結果が“Ｙｅｓ”となってステップＳ４８３０以降が実行される。
　ステップＳ４８３０以降の処理が最初に行なわれるときには、前記セーフＬレベルフラグは“１”、それ以外のフラグはすべて“０”であるため、該ステップＳ４８３０の判別（セーフ立上変化フラグが“１”であるか）、次のステップＳ４８３２の判別（セーフ立下変化フラグが“１”であるか）の結果が共に“Ｎｏ”、続くステップＳ４８３４（セーフＬレベルフラグが“１”であるか）の判別の結果が“Ｙｅｓ”となってステップＳ４８３６，Ｓ４８３８が実行される。
　ステップＳ４８３６では、前回ループから今回ループにかけてセーフセンサ８３０の出力信号がＬレベルからＨレベルに変化した（立上がった）ことを記憶すべく、セーフ立上変化フラグを“１”に設定し、続くステップＳ４８３８では、前回ループまで“１”に設定されたセーフＬレベルフラグをリセット（“０”に設定）し、本ルーチンを終了する。
　次回ループで引き続きセーフセンサ８３０の出力信号がＨレベルのときには、前回ループのステップＳ４８３６でセーフ立上変化フラグが“１”に設定されているので、ステップＳ４８３０の判別結果が“Ｙｅｓ”に転じる。そして、続くステップＳ４８４０〜Ｓ４８４６で、セーフ球が入賞球導出樋８２０内のセーフセンサ８３０設置位置まで達したことを記憶すべくセーフセンサ立上フラグを“１”に設定（ステップＳ４８４０）すると共に、その値が“１”のときセンサ８３０の設置位置にセーフ球が無いこと（セーフ球が通過した後であること）を示すセーフセンサ立下フラグ（初期化後初めて本ステップが実行されるときは“０”に設定されている）を“０”にリセットし（ステップＳ４８４２）、続いて前記セーフ立上変化フラグを“０”にリセットする（ステップＳ４８４４）と共に、今回ループでのセーフセンサ８３０の出力信号がＨレベルであることを記憶すべく補給Ｈレベルフラグを“１”に設定して（ステップＳ４８４６）本ルーチンを終了する。
　次回以降のループでも、セーフセンサ８３０の出力信号がＨレベルであると、セーフ立上変化フラグ、セーフ立下変化フラグ、セーフＬレベルフラグは全て“０”、セーフＨレベルフラグが“１”となっているので、前記ステップＳ４８０２，Ｓ４８３０，Ｓ４８３２，Ｓ４８３４及びステップＳ４８４８（セーフＨレベルフラグが“１”でいるか否かの判別）が繰返し実行され（該ステップＳ４８４８の判別結果は“Ｙｅｓ”となる）、このときセーフセンサ立上フラグは“１”、セーフセンサ立下フラグは“０”に保持される。
　一方、セーフセンサ８３０の出力信号がＬレベルからＨレベルに立ち下がった直後のループにおいて、当該出力信号が再びＬレベルに立下がってしまった場合（前回ループでステップＳ４８３６が実行されてセーフ立上変化フラグが“１”となり、且つ今回ループでセンサ出力がＬレベルに立下がったの場合）には、ステップＳ４８０２の判別結果が“Ｎｏ”に転じ、更にステップＳ４８０４の判別結果が“Ｎｏ”、ステップＳ４８０６の判別結果が“Ｙｅｓ”と云う具合に判定され、ステップＳ４８２８にて前回ループから今回ループにかけて出力信号が立下がったことを記憶すべくセーフ立下変化フラグを“１”に設定すると共に、ステップＳ４８２９にて前回ループ時に“１”に設定したセーフ立上変化フラグを“０”にリセットして本ルーチンを終了する。
　この結果、セーフセンサ８３０の出力信号が立上がった後Ｈレベルの状態が所定時間以上（少なくとも本割込処置が２回行なわれる間）検知されない限り、セーフ立上フラグを“１”に設定する（セーフ球が入賞球導出樋８２０内のセンサ８３０設定位置まで達したことを示す）処理は行なわれないようになっており、セーフセンサの出力信号にノイズが発生した場合等に対処できるようになっている。
　次にセーフ球がセンサ８３０内に達して前記セーフ立上フラグが一旦“１”に設定され、この状態からセーフ球が流下してセンサの外側に位置した場合を考える。
　先ず、ステップＳ４８０２では該センサ８３０の出力信号がＨレベル（セーフセンサ出力＝“１”）であるか否かが判別されるが、この場合、判別結果は“Ｎｏ”となり前記ステップＳ４８０４の判別が行なわれる。この場合ステップＳ４８０４の判別結果は“Ｎｏ”となり、ステップＳ４８０６にてセーフ立上変化フラグが“１”であるか否かの判別が行われる。このとき該ステップＳ４８０６の判別結果も“Ｎｏ”（前記ステップＳ４８４４にて“０”に設定される）となってステップＳ４８０８に進み、セーフＨレベルフラグが“１”であるか否かの判別が行なわれる。
　この時点ではセーフＨレベルフラグは前記ステップＳ４８４６にて“１”に設定されているのでステップＳ４８０８の判別結果は“Ｙｅｓ”となり、ステップＳ４８１４に進んで、前回ループから今回ループにかけてセーフセンサ８３０の出力信号がＨレベルからＬレベルに変化した（立下った）ことを記憶すべく、セーフ立下変化フラグを“１”に設定し、続くステップＳ４８１６で、前回ループまで“１”に設定されていたセーフＨレベルフラグをリセット（“０”に設定）し、本ルーチンを終了する。
　更に次のループで引き続きセーフセンサ８３０の出力信号がＬレベルのときには、前回ループのステップＳ４８１４でセーフ立下変化フラグが“１”に設定されているので、前記ステップＳ４８０４の判別結果が“Ｙｅｓ”に転じる。そして、続くステップＳ４８１８〜Ｓ４８２４で、セーフセンサ８３０によってセーフセンサ８３０内にセーフ球がないこと（セーフ球が通過した後であること）を記憶すべくセーフセンサ立下フラグを“１”に設定（ステップＳ４８１８）すると共に、その値が“１”のときセンサ内にセーフ球が達したことを示すセーフセンサ立上フラグを“０”にリセットし（ステップＳ４８２０）、続いて前記セーフ立下変化フラグを“０”にリセットする（ステップＳ４８２２）と共に、今回ループでのセーフセンサ８３０の出力信号がＬレベルであることを記憶すべくセーフＬレベルフラグを“１”に設定して（ステップＳ４８２４）本ルーチンを終了する。
　その後、セーフセンサ８３０の出力信号がＬレベルである限り、前記ステップＳ４８０２，Ｓ４８０４，Ｓ４８０６，Ｓ４８０８，Ｓ４８１０が繰返し実行されることになり、このとき、セーフ立下フラグは“１”、セーフ立上フラグは“０”に保持される。
　一方、セーフセンサ８３０の出力信号がＨレベルからＬレベルに立下がった直後のループにおいて、該出力信号がＨレベルに立上がってしまった場合（前回ループでステップＳ４８１４が実行されてセーフ立下変化フラグが“１”となり、且つ今回ループがＨレベルの場合）には、ステップＳ４８０２の判別結果が“Ｙｅｓ”、ステップＳ４８３０の判別結果が“Ｎｏ”、ステップＳ４８３２の判別結果が“Ｙｅｓ”と云う具合に判定され、ステップＳ４８５０にて前回ループから今回ループにかけて出力信号が立上がったことを記憶すべくセーフ立上変化フラグを“１”に設定すると共に、ステップＳ４８５２にて前回ループ時に“１”に設定したセーフ立下変化フラグを“０”にリセットして本ルーチンを終了する。
　以上のように、セーフセンサ８３０の出力信号が立下がった後Ｌレベルの状態が所定時間以上（少なくとも本割込処理が２回行なわれる間）検知されない限り、セーフ立下フラグを“１”に設定する（セーフセンサ８３０内にセーフ球が無くなったことを示す）処理は行なわれないようになっており、セーフセンサの出力信号にノイズが発生した場合等に誤ってセーフ立下フラグが“１”に設定されないようになっている。
　第２２図は、第１８図に示す割込処理のステップＳ５０にて行なわれる補給センサ２１１の入力処理のサブルーチンを示すフローチャートである。
　前述したように補給センサ２１１は、貯留タンク２０１内の遊技球（予備球）の不足状態を検知するものであり、貯留された予備球が該タンク２０１内の補給センサ２１１の設置位置まで溜っているときにしレベル、そうでないときにＨレベルの信号を出力するように構成されている。
　今仮りに、タンク２０１内のセンサ設置位置まで予備球が充填されていない状態（不足状態）を考える。
　この状態で賞球排出制御装置６００に電源が投入され、該ルーチンが開始されると、先ず、ステップＳ５００２にて該センサ２１１の出力信号がＨレベル（補給センサ出力＝“１”）であるか否かが判別される。この場合、判別結果は“Ｙｅｓ”となってステップＳ５００４に進む。
　ところでＭＰＵ６２０の初期化直後はすべてのフラグが“０”に設定されているため、ステップＳ５００４〜Ｓ５０１０の判別結果はすべて“Ｎｏ”となり、ステップＳ５０１２にて、今回ループで補給センサの出力信号がＨレベルであったことを記憶すべく補給Ｈレベルフラグを“１”に設定して本ルーチンを終了する。以後のループでは補給Ｈレベルフラグが“１”に設定されているので、出力信号がＨレベルの状態が継続する限りステップＳ５００２，Ｓ５００４，Ｓ５００６，Ｓ５００８，Ｓ５０１０が繰返し実行されることになる。
　その後、遊技球（予備球）の補給によって貯留タンク２０１内の補給センサ２１１の設置位置にまで予備球が充填されると、補給センサ２１１の出力信号がＬレベルに転じ、前記ステップＳ５００２の判別結果が“Ｎｏ”となってステップＳ５０３０以降に進む。
　ステップＳ５０３０が最初に行なわれるときには、前記補給Ｈレベルフラグは“１”、それ以外のフラグはすべて“０”であるため、該ステップＳ５０３０、次のステップＳ５０３２の判別結果が共に“Ｎｏ”、続くステップＳ５０３４が“Ｙｅｓ”となってステップＳ５０３６，Ｓ５０３８が実行される。
　ステップＳ５０３６では、前回ループから今回ループにかけて補給センサ２１１の出力信号がＨレベルからＬレベルに変化した（立下がった）ことを記憶すべく、補給立下変化フラグを“１”に設定し、続くステップＳ５０３８では、前回ループで“１”に設定された補給Ｈレベルフラグをリセット（“０”に設定）し、本ルーチンを終了する。
　次回ループで引き続き補給センサ２１１の出力信号がＬレベルのときには、前回ループのステップＳ５０３６で補給立下変化フラグが“１”に設定されているので、ステップＳ５０３０の判別結果が“Ｙｅｓ”に転じる。そして、続くステップＳ５０４０〜Ｓ５０４６で、貯留タンク２０１内の補給センサ２１１設置位置まで予備球が充填されていることを記憶すべく補給センサ立下フラグを“１”に設定（ステップＳ５０４０）すると共に、その値が“１”のときセンサ２１１の設置位置に賞品球が無いことを示す補給センサ立上フラグ（初期化後初めて本ステップが実行されるときは“０”に設定されている）を“０”に設定し（ステップＳ５０４２）、続いて前記補給立下変化フラグを“０”にリセットする（ステップＳ５０４４）と共に、今回ループでの補給センサ２１１の出力信号がＬレベルであることを記憶すべく補給Ｌレベルフラグを“１”に設定して（ステップＳ５０４６）本ルーチンを終了する。
　その後、補給センサ２１１の出力信号がＬレベルである限り、前記ステップＳ５００２，Ｓ５０３０，Ｓ５０３２，Ｓ５０３４，Ｓ５０４８が繰返し実行されることになり、このとき、補給センサ立下フラグは“１”、補給センサ立上フラグは“０”に保持される。
　一方、補給センサ２１１の出力信号がＨレベルからＬレベルに立ち下がった直後のループにおいて、当該出力信号がＨレベルに立上がってしまった場合（前回ループでステップＳ５０３６が実行されて補給立下変化フラグが“１”となり、且つ今回ループでセンサ出力がＨレベルの場合）には、ステップＳ５００２の判別結果が“Ｙｅｓ”、ステップＳ５００４の判別結果が“Ｎｏ”、ステップＳ５００６の判別結果が“Ｙｅｓ”と云う具合に判定され、ステップＳ５０２８にて前回ループから今回ループにかけて出力信号が立上がったことを記憶すべく補給立上変化フラグを“１”に設定すると共に、ステップＳ５０２９にて前回ループ時に“１”に設定した補給立下変化フラグを“０”に戻して本ルーチンを終了する。
　この結果、補給センサ２１１の出力信号が立下がった後Ｈレベルの状態が所定時間以上（少なくとも本割込処理が２回行なわれる間）検知されない限り、補給立下フラグを“１”に設定する（貯留タンク２０１内のセンサ２１１設定位置まで予備球が充填されていることを示す）処理は行なわれないようになっており、補給センサの出力信号にノイズが発生した場合等に対処できるようになっている。
　次に貯留タンク２０１内のセンサ２１１設置位置まで予備球が充填されている状態で賞球排出制御装置６００に電源が投入され、本ルーチンが開始される場合を考える。
　先ず、ステップＳ５００２では該センサ２１１の出力信号がＨレベル（補給センサ出力＝“１”）であるか否かが判別されるが、この場合、判別結果は“Ｎｏ”となりステップＳ５０３０に進む。
　ＭＰＵ６２０の初期化直後はすべてのフラグが“０”に設定されているため、ステップＳ５０３０，Ｓ５０３２，Ｓ５０３４，Ｓ５０４８の判別結果はすべて“Ｎｏ”となり、ステップＳ５０５４にて、今回ループで補給センサの出力信号がＬレベルであったことを記憶すべく補給Ｌレベルフラグを“１”に設定して、本ルーチンを終了する。
　以後のループでは補給Ｌレベルフラグが“１”に設定されているので出力信号Ｌレベルの状態が継続する限りステップＳ５００２，Ｓ５０３０，Ｓ５０３２，Ｓ５０３４，Ｓ５０４８が繰返し実行されることになる。
　その後、賞品球の排出によってタンク２０１内の予備補給センサ２１１の設置位置に満たなくなると、補給センサ２１１の出力信号がＨレベルとなり、前記ステップＳ５００２の判別結果が“Ｙｅｓ”となってステップＳ５００４以降に進む。
　ステップＳ５００４が最初に行なわれるときには、前記補給Ｌレベルフラグは“１”、それ以外のフラグはすべて“０”であるため、ステップＳ５００４、次のステップＳ５００６の判別結果が共に“Ｎｏ”、続くステップＳ５００８が”Ｙｅｓ”となってステップＳ５０１４が実行される。
　このステップＳ５０１４では、前回ループから今回ループにかけて補給センサ２１１の出力信号がＬレベルからＨレベルに変化した（立上った）ことを記憶すべく、補給立上変化フラグを“１”に設定し、続くステップＳ５０１６では、前回ループまでに前述のステップＳ５０５４で“１”に設定されていた補給Ｌレベルフラグをリセット（“０”に設定）し、本ルーチンを終了する。
　次回ループで引き続き補給センサ２１１の出力信号がＨレベルのときには、前回ループのステップＳ５０１４で補給立上変化フラグが“１”に設定されているので前記ステップＳ５００２の判別を行なった後前記ステップＳ５００４の判別結果が“Ｙｅｓ”に転じる。そして、続くステップＳ５０１８〜Ｓ５０２４で、補給センサ２１１によって貯留タンク２０１内の補給センサ２１１設置位置に賞品球がなくなったことを記憶すべく補給センサ立上フラグを“１”に設定（ステップＳ５０１８）すると共に、その値が“１”のとき貯留タンク２０１内のセンサ設置位置に賞品球があることを示す補給センサ立下フラグ（初期化初めて本ステップが実行されるときは“０”に設定されている）を“０”に設定し（ステップＳ５０２０）、続いて前記補給立上変化フラグを“０”にリセットする（ステップＳ５０２２）と共に、今回ループでの補給センサ２１１の出力信号がＨレベルであることを記憶すべく補給Ｈレベルフラグを“１”に設定して（ステップＳ５０２４）本ルーチンを終了する。
　その後、補給センサ２１１の出力信号がＨレベルである限り、前記ステップＳ，５００２，Ｓ５００４，Ｓ５００６，Ｓ５００８，Ｓ５０１０が繰返し実行されることになり、このとき、補給立上フラグは“１”、補給立下フラグは“０”に保持される。
　一方、補給センサ２１１の出力信号がＬレベルからＨレベルに立上がった直後のループにおいて、該出力信号がＬレベルに立下がってしまった場合（前回ループでステップＳ５０１４が実行されて補給立上変化フラグが“１”となり、且つ今回ループがＬレベルの場合）には、ステップＳ５００２の判別結果が“Ｎｏ”、ステップＳ５０３０の判別結果が“Ｎｏ”、ステップＳ５０３２の判別結果が“Ｙｅｓ”と云う具合に判定され、ステップＳ５０５０にて前回ループから今回ループにかけて出力信号が立下がったことを記憶すべく補給立下変化フラグを“１”に設定すると共に、ステップＳ５０５２にて前回ループ時に“１”に設定した補給立上変化フラグを“０”に戻して本ルーチンを終了する。
　以上のように、補給センサ２１１の出力信号が立上がった後Ｈレベルの状態が所定時間以上（少なくとも本割込処理が２回行なわれる間）検知されない限り、補給立上フラグを“１”に設定する（貯留タンク２０１内のセンサ２１１設置位置に賞品球が無くなったことを示す）処理は行なわれないようになっており、補給センサの出力信号にノイズが発生した場合等に対処できるようになっている。
　このようにして“０”又は“１”に設定される補給センサ立上フラグ及び補給センサ立下フラグはメインルーチン（第１４図）のステップＳ１６で実行される前述の補給処理（第１６図）にて用いられる。
　第２３図は割込処理（第１８図）のステップＳ５２にて行なわれる半端センサ２２１の入力処理のルーチンを示すフローチャートである。
　半端センサは、後述の排出開始処理（第２９図）にて用いられる半端センサ球有フラグを設定するための信号を出力するもので、誘導樋２０２内に賞品球が十分貯留されているときに（予備球が２回分の賞球排出個数以上貯留されているときに）その出力信号がＨレベル、上記個数に満たず半端状態となっているときにＬレベルとなるように構成されている。
　このルーチンが開始されると、先ずステップＳ５２００で半端センサの出力がＨレベル（半端センサ出力＝“１”）であるか否かが判別される。
　今仮りに誘導樋２０２の半端センサ設置位置まで予備球が貯留されていない状態から、予備球が補給されて上記設置位置に達した場合を考える。
　予備球が上記設置位置に達していない状態ではステップＳ５２００の判別結果は“Ｎｏ”となる。このとき判別フラグはすべて“０”にリセットされている（第１４図のステップＳ４）ので、続くステップＳ５２０２の判別（半端センサ球無フラグが“１”か）、及びステップＳ５２０４の判別（半端球無監視フラグが“１”か）の結果は共に“Ｎｏ”となり、半端球無監視フラグを“１”に設定し（ステップＳ５２０６）、半端球有監視フラグを“０”に設定し（ステップＳ５２０８）、更に半端球無タイマを所定値（２ｓｅｃ）にセットして（ステップＳ５２１０）本ルーチンを終了する。
　ここで半端球無監視フラグは予備球が上記設置位置に達していない状態が検知されたか否かを判断（ステップＳ５２０４）するために用いられるフラグであり、一方半端球有監視フラグは、予備球が上記設置位置まで溜っている状態が２回続けて検知されたか否かを判断（ステップＳ５２２０）するために用いられるフラグである。
　次のループで引き続き、予備球が上記設置位置まで溜っていないと、前記ステップＳ５２００，Ｓ５２０２の判別結果が共に“Ｎｏ”、続く前記ステップＳ５２０４の判別結果が“Ｙｅｓ”となってステップＳ５２１２が実行される。
　このステップＳ５２１２では更に、前記球無タイマがタイムアップしたか否か、即ち、予備球が上記設置位置までに溜っていないと初めて判別された後（前述のステップＳ５２０６〜Ｓ５２１０実行後）所定時間（２ｓｅｃ）経過したか否かが判別され、判別結果が“Ｎｏ”のときには、続くステップＳ５２１４，Ｓ５２１６をスキップして本ルーチンを終了する。一方、前記ステップＳ５２１２の判別結果が“Ｙｅｓ”のときには、ステップＳ５２１４にて、予備球が誘導樋２０２のセンサ設置位置まで溜っていないことを示すべく半端センサ球無フラグを“１”に設定すると共に、次のステップＳ５２１６にて、半端センサ球有フラグ（このステップが初期化後初めて行なわれるときには初期値“０”に設定されている）をリセット（“０”に設定）して本ルーチンを終了する。
　以後のループで、予備球が上記設置位置まで溜らない限り、ステップＳ５２００の判別結果が“Ｎｏ”、ステップＳ５２０２の判別結果が“Ｙｅｓ”となって、これらのステップが繰返し実行される。
　この状態から貯留タンク２０１への遊技球の供給によって予備球が誘導樋２０２の半端センサ２２１の設置位置まで溜るとステップＳ５２００の判別結果が“Ｙｅｓ”となる。続くステップＳ５２１８で“１”であるか否かの判別がなされる半端センサ球有フラグはこの時点で未だ初期値“０”に設定されているのでこの判別結果は“Ｎｏ”となり、続くステップＳ５２２０の判別（半端球有監視フラグが“１”か）の結果も、前述のステップＳ５２０８の実行により“Ｎｏ”となり、ステップＳ５２２２に進む。
　ステップＳ５２２２では半端球有監視フラグを“１”に設定すると共にステップＳ５２２４で、前記半端球無監視フラグを“０”に設定し、更に半端球有タイマを所定値（２ｓｅｃ）にセットして（ステップＳ５２２６）本ルーチンを終了する。
　次のループで引き続き、予備球が半端センサの設置位置まで溜っていると、前記ステップＳ５２００の判別結果が“Ｙｅｓ”、ステップＳ５２１８の判別結果が“Ｎｏ”、続く前記ステップＳ５２２０の判別結果が“Ｙｅｓ”（前回ループのステップＳ５２２２で“１”に設定される）となってステップＳ５２２８が実行される。
　このステップＳ５２２８では更に、前記球有タイマがタイムアップしたか否か、即ち、予備球が上記設置位置まで溜っていると初めて判別された後（前述のステップＳ５２２２〜Ｓ５２２６実行後）所定時間（２ｓｅｃ）経過したか否かが判別され、判別結果が“Ｎｏ”のときには、続くステップＳ５２３０，Ｓ５２３２をスキップして本ルーチンを終了する。一方、判別結果が“Ｙｅｓ”のとき、即ち予備球がセンサ取付位置まで溜った後前記所定時間が経過したときには、ステップＳ５２３０にて、予備球が半端センサ２２１の設置位置まで溜っていることを示すべく半端センサ球有フラグを“１”に設定すると共に、次のステップＳ５２３２にて、半端センサ球無フラグをリセット（“０”に設定）して本ルーチンを終了する。
　以後のループで、誘導樋２０２内の半端センサ設置位置まで予備球が貯留されている限り、ステップＳ５２００の判別結果が“Ｙｅｓ”、ステップＳ５２１８の判別結果が“Ｙｅｓ”となって、これらのステップが繰返し実行される。
　以上のように、本入力処理では、半端センサ２２１の出力信号がＬレベルからＨレベル（又はＨレベルからＬレベル）に変化した直後のループでは該ＬレベルからＨレベルの変化（又はＨレベルからＬレベルの変化）を記憶する（監視フラグを“１”とする）だけに止めておき、次回ループでも依然Ｈレベル（又はＬレベル）であって且つ上記変化した時点より所定時間（２ｓｅｃ）が経過した後に初めて本ルーチンの最終出力値である半端センサ球有フラグを“１”（又は半端センサ球無フラグを“１”）に変更するようにしている。このような制御手順を採用することによって、ノイズ発生等により半端センサの出力信号レベルが瞬間的に変化した場合であっても直ちにその変化を正規の変化と判断することがなく、当該ノイズ発生等による誤作動を防止することができるようになっている。
　第２４図は割込処理（第１８図）のステップＳ５４にて行なわれるオーバーフロー検出器７７０の入力処理のサブルーチンを示すフローチャートである。
　オーバーフロー検出器７７０は、割込処理のステップＳ５６にて行なわれる発射モータ制御処理（第２５図）、後述の排出開始処理（第２９図）等にて用いられるオーバーフロー球無フラグを決定するための信号を出力するためのもので、賞球排出樋７５１内の賞品球が一定レベル以上に溜った状態のときにその出力信号がＨレベル、一定レベル以下のときにしレベルとなるように構成されている。
　このルーチンが開始されると、先ずステップＳ５４００で検出器の出力がＨレベル（オーバーフロー出力＝“１”）であるか否かが判別される。
　今仮りに球導出樋７５０内のオーバーフロー検出器の設置位置に賞品球が達していない状態から、賞品球が排出され球導出樋７５０内の検出器７７０の位置に達した状態に変化した場合を考える。
　賞品球が検出器の位置に達していない状態ではステップＳ５４００の判別結果が“Ｎｏ”となる。本ルーチン開始初期には判別フラグはすべて“０”にリセットされている（第１４図のステップＳ４）ので、続くステップＳ５４０２の判別（オーバーフロー球無フラグが“１”か）、及びステップＳ５４０４の判別（オーバーフロー球無監視フラグが“１”か）の結果は共に“Ｎｏ”となり、オーバーフ５１ロー球無監視フラグを“１”に設定し（ステップＳ５４０６）、オーバーフロー球有監視フラグを“０”に設定し（ステップＳ５４０８）、更にオーバーフロー球無タイマを所定値（２ｓｅｃ）にセットして（ステップＳ５４１０）本ルーチンを終了する。
　ここでオーバーフロー球無監視フラグは検出器の位置に賞品球が達していない状態が２回以上続けて検知されたか否かを判断（ステップＳ５４０４の制御）するために用いられるフラグであり、一方、オーバーフロー球有監視フラグは、検出器の位置に賞品球が達した状態が２回以上続けて検知されたか否かを判断（ステップＳ５４０２の判断）するために用いられるフラグである。
　次のループで引き続き、賞品球が上記位置に達していないと、前記ステップＳ５４００，Ｓ５４０２の判別結果が共に“Ｎｏ”、続く前記ステップＳ５４０４の判別結果が“Ｙｅｓ”となってステップＳ５４１２が実行される。
　このステップＳ５４１２では、前記球無タイマがタイムアップしたか否か、即ち、検出器の取付位置に賞品球が達していないと初めて判別された後（前述のステップＳ５４０６〜Ｓ５４１０実行後）所定時間（２ｓｅｃ）経過したか否かが判別され、判別結果が“Ｎｏ”のときには、続くステップＳ５４１４，Ｓ５４１６をスキップして本ルーチンを終了する。一方、判別結果が”Ｙｅｓ”のときには、ステップＳ５４１４にて、賞品球が検出器の位置に達していないことを示すべくオーバーフロー球無フラグを“１”に設定すると共につぎのステップＳ５４１６にて、オーバーフロー球有フラグ（このステップが初期化後初めて行なわれるときには初期値“０”に設定されている）をリセット（“０”に設定）して本ルーチンを終了する。
　以後のループで、検出器の位置に賞品球が達していない限り、ステップＳ５４００の判別結果が“Ｎｏ”、ステップＳ５４０２の判別結果が“Ｙｅｓ”となって、これらのステップが繰返し実行される。
　次にこの状態から排出された賞品球が溜ってて検出器７７０の位置まで達した場合を考える。このときステップＳ５４００の判別結果が“Ｙｅｓ”となり、続くステップＳ５４１８ではオーバーフロー球有フラグが“１”であるか否かが判別される。このオーバーフロー球有フラグは前回ループまでに“０”に設定されているので（前記ステップＳ５４１６）この判別結果は“Ｎｏ”となる。続くステップＳ５４０２ではオーバーフロー球有監視フラグが“１”かの結果が行なわれるが、このオーバーフロー球有監視フラグも前回ループまでに“０”に設定（前記ステップＳ５４０８）されているのでこの判別結果は“Ｎｏ”となり、オーバーフロー球球監視フラグを“１”に設定すると共に（ステップＳ５４２２）、前記オーバーフロー球無監視フラグを“０”に設定し（ステップＳ５４２４）、更にオーバーフロー球有タイマを所定値（２ｓｅｃ）にセットして（ステップＳ５４２６）本ルーチンを終了する。
　次のループで引き続き、賞品球が検出器７７０の位置まで達していると、前記ステップＳ５４００の判別結果が“Ｙｅｓ”、ステップＳ５４１８の判別結果が“Ｎｏ”、続く前記ステップＳ５４２０の判別結果が“Ｙｅｓ”となってステップＳ５４２８が実行される。
　このステップＳ５４２８では更に、前記球有タイマがタイムアップしたか否か、即ち、賞品球が上記位置に達したと初めて判別された後（前述のステップＳ５４２２〜Ｓ５４２６実行後）所定時間（２ｓｅｃ）経過したか否かが判別され、判別結果が“Ｎｏ”のときには、続くステップＳ５４３０，Ｓ５４３２をスキップして本ルーチンを終了する。一方、判別結果が“Ｙｅｓ”のときには、ステップＳ５４３０にて、賞品球が検出器の位置まで達したことを示すべくオーバーフロー球有フラグを“１”に設定すると共につぎのステップＳ５４３２にて、オーバーフロー球無フラグをリセット（“０”に設定）して本ルーチンを終了する。
　以後のループで、賞球排出樋７５１内の検出器７７０の位置まで賞品球が達している限り、ステップＳ５４００の判別結果が“Ｙｅｓ”、ステップＳ５４１８の判別結果が“Ｙｅｓ”となって、これらのステップが繰返し実行される。
　以上のように、本入力処理では、セーフセンサの場合と同様、出力信号がＬレベルからＨレベル（又はＨレベルからＬレベル）に変化した直後のループでは該ＬレベルからＨレベルの変化（又はＨレベルからＬレベルの変化）を記憶する（監視フラグを“１”とする）だけに止めておき、次回ループでも依然Ｈレベル（又はＬレベル）であって更に上記変化した時点より所定時間（２ｓｅｃ）が経過した後に初めて本ルーチンの最終出力値であるオーバーフロー球有フラグを“１”（又はオーバーフロー球無フラグを“１”）に変更するようにしている。このような制御手順を採用することによって、ノイズ発生等によりオーバーフローの出力信号レベルが瞬間的に変化した場合であっても直ちにその変化を正規の変化と判断することがなく、当該ノイズ発生等による誤作動を防止することができるようになっている。
　第２５図は、割込処理（第１８図）のステップＳ５６にて行なわれる発射モータ制御処理のサブルーチンを示すフローチャートである。
　このルーチンが開始されると、先ずステップＳ５６００で打球発射装置１５０に設けられたタッチスイッチ１０５ａが“ＯＮ”であるか否か、即ち遊技者が操作ダイヤル１０５を掌握しているか否かが判別され、次のステップＳ５６０２で前述のオーバーフロー球無フラグが“１”であるか否か、即ち、排出された賞品球が未だ賞球排出樋７５１内の検出器７７０の設置位置まで達していないかが判別される。これら２つのステップの判別結果が共に“Ｙｅｓ”のときには、発射モータ１５１を作動させるべく打球発射装置１５０のモータ制御リレー（図示省略）を“ＯＮ”にして（ステップＳ５６０４）、本ルーチンを終了する。
　一方、前記ステップＳ５６００，Ｓ５６０２の判別結果が何れかが“Ｎｏ”となったときには前記モータ制御リレーを“ＯＦＦ”にして（ステップＳ５６０６）、本ルーチンを終了する。
　第２６図は、第１８図の割込処理のステップＳ５８にて行なわれる記憶クリアスイッチ６１４の入力処理ルーチンのフローチャートである。
　記憶クリアスイッチ６１４は、前述したように、遊技店の係員がセーフ記憶値をクリア（「０」に設定）する操作、即ち、賞球排出装置６００に設置されたクリアスイッチ６１４を係員が押したときに出力信号がＨレベル、そうでないときにしレベルとなるように構成されている。
　従って、本フローでは該スイッチ６１４からの出力信号ＬレベルからＨレベルに変化したとき、後述する記憶クリアフラグを“１”に設定して、遊技店の係員がセーフ記憶値をクリアするための操作を行ったことを示すようになっている。そして、賞球排出制御装置は、該“１”に設定された記憶クリアフラグに基づいて前述の記憶値クリア処理（第１５図）を行なうようになっている。
　本ルーチンが開始されると、先ずステップＳ５８０２にてクリア変化フラグが“１”であるか否かが、更にステップＳ５８０４でクリアＬレベルフラグが“１”であるか否かが判別される。
　ところで、前述したように、全ての判別フラグは賞球排出制御装置６００内の電源が投入された直後、メインルーチン（第１７図のステップＳ４）にて“０”に設定されるので、前記ステップＳ５８０２、Ｓ５８０４の判別結果は共に“ＮＯ”となり、ステップＳ５８０６で記憶クリアスイッチの出力信号がＬレベル（記憶クリアスイッチ出力＝“０”）であるか否かが判別される。
　今仮りに、賞球排出制御装置に設置されている記憶クリアスイッチが未だ押されていない状態から、遊技店の係員によって押された場合を考える。
　記憶クリアスイッチが押されていない状態では該スイッチ６１４の出力信号はＬレベルのままであり、従って該ステップＳ５８０６の判別結果は“Ｙｅｓ”となり、ステップＳ５８０８に進んでクリアＬレベルフラグを“１”に設定して本ルーチンを終了する。
　その後のループで依然前記記憶クリアスイッチからの信号がＬレベルを保持しているときには、クリアＬレベルフラグが“１”に設定されているので、前記ステップＳ５８０４の判別結果が“Ｙｅｓ”に転じ、ステップＳ５８１０に進んで今回ループでの記憶クリアスイッチの出力信号がＨレベル（記憶クリアスイッチ出力＝“１”）であるか否かが判別される。このとき（記憶クリアスイッチの出力信号がＬレベルを保持しているとき）該判別結果は“Ｎｏ”となって、そのまま本ルーチンを終了する。従って、記憶クリアスイッチの出力信号がＬレベルを保持する限り，ステップＳ５８０２，Ｓ５８０４，Ｓ５８１０が繰返し実行されることとなる。
　この状態から記憶クリアスイッチが押されて該スイッチからの信号がＬレベルからＨレベルに変化すると、前記ステップＳ５８１０の判別結果が“Ｙｅｓ”に転じ、続くステップＳ５８１２にて今回ループで記憶クリアスイッチ６１４の出力信号がＬレベルからＨレベルとなったことを記憶すべくクリア変化フラグを“１”に設定し、次いでステップＳ５８１４にてクリアＬレベルフラグを“０”にリセットして、本ルーチンを終了する。
　前回ループに続いて今回ループでも出力信号がＨレベルのときには、直前のループの前記ステップＳ５８１２の処理によりクリア変化フラグが“１”に設定されているのでステップＳ５８０２の判別結果が“Ｙｅｓ”に転じ、ステップＳ５８１６に進んで、今回ループでの記憶クリアスイッチの出力信号がＨレベル（記憶クリアスイッチ出力＝“１”）であるか否かが判別される。この判別結果が“Ｙｅｓ”即ち、前回ループに続いて今回ループでも出力信号がＨレベルのときには、続くステップＳ５８１８にて前記クリア変化フラグを“０”にリセットし更にステップＳ５８２０にて記憶クリアフラグを“１”に設定し、て本ルーチンを終了する。
　その後のループで記憶クリアスイッチの出力信号が依然ＨレベルのときにはステップＳ５８０２の判別結果が“Ｎｏ”に転じ（クリア変化フラグは“０”にリセットされている）、次いでステップＳ５８０４，ステップＳ５８０６の判別結果が共に“Ｎｏ”となって、以降ステップＳ５８０２，Ｓ５８０４，Ｓ５８０６を繰返し実行することとなる。
　一方、記憶クリアスイッチの出力信号がＬレベルからＨレベルに変化した直後（前記ステップＳ５８１２，ステップＳ５８１４が実行された直後）のループで、記憶クリアスイッチの出力信号が再びＬレベルに変化したときには、前記ステップＳ５８１６の判別結果が“Ｎｏ”となり前記ステップＳ５８１８（クリア変化フラグ＝“０”）、前記ステップＳ５８２０（記憶クリアフラグ＝“１”）を実行することなく、ステップＳ５８２２にてクリアＬレベルフラグを“１”に設定し、更にクリア変化フラグを“０”にリセットして（ステップＳ５８２４）、本ルーチンを終了する。
　このように記憶クリアスイッチの出力信号がＬレベルからＨレベルに変化した後、少なくとも２回の処理ループが実行される間に亘って前記出力信号がＨレベルを保持したときにのみ、記憶クリアフラグを“１”に設定するようにしているのでノイズ等が発生して一時的に出力信号がＨレベルに立上がっても記憶クリアフラグが誤って“１”に設定されることがない。
　第２７図は、第１８図の割込処理のステップＳ５８にて行なわれる回復スイッチ７８０の入力処理ルーチンのフローチャートである。
回復スイッチ７８０は、前述したように、不正発生時に消磁（ＯＦＦ）されて第１及び第２の賞球導出樋７１０，７１０を塞ぐロックソレノイド７２１を再び励磁して賞品球の排出を可能ならしめるときに押すもので、係員が該回復スイッチを押したときその出力信号はＨレベル、そうでないときにＬレベルとなるように構成されている。
　従って、本フローでは該スイッチ７８０からの出力信号がＬレベルからＨレベルに変化したとき、後述する回復ＯＮフラグを“１”に設定するべく、遊技店の係員がロックソレノイド７２１を励磁（ＯＮ）するための操作を行ったことを示すようになっている。そして、賞球排出制御装置は、該“１”に設定された回復ＯＮフラグに基づいて前述のエラー回復処理（第１７図）を行なうようになっている。
　本ルーチンが開始されると、先ずステップＳ６０００にて回復変化フラグが“１”であるか否かが、更にステップＳ６００２で回復Ｌレベルフラグが“１”であるか否かが判別される。
　ところで、前述したように、全ての判別フラグは賞球排出制御装置６００内の電源が投入された直後、メインルーチン（第１４図のステップＳ４）にて“０”に設定されるので、前記ステップＳ６０００、Ｓ６００２の判別結果は共に“Ｎｏ”となり、ステップＳ６００４で回復スイッチの出力信号がＬレベル（回復スイッチ出力＝“０”）であるか否かが判別される。
　今仮りに、裏機構盤２００に設置されている回復スイッチ７８０が未だ押されていない場合及び、その後、遊技店の係員によって押された場合を考える。
　回復スイッチが押されていない状態では該スイッチ７８０の出力信号はＬレベルのままであり、従って該ステップＳ６００４の判別結果は“Ｙｅｓ”となり、ステップＳ６００６に進んで今回ループでの回復スイッチの出力レベルがＬレベルであった旨を記憶すべく回復Ｌレベルフラグを“１”に設定し、さらにステップＳ６００８にて回復ＯＮフラグを“０”にリセットして（電源投入直後には既に“０”にリセットされている）本ルーチンを終了する。
　その後のループで依然前記回復スイッチからの信号がＬレベルを保持しているときには、回復Ｌレベルフラグが“１”に設定されているので、前記ステップＳ６００２の判別結果が“Ｙｅｓ”に転じ、ステップＳ６０１０に進んで今回ループでの回復スイッチの出力信号がＨレベル（回復スイッチ出力＝“１”）であるか否かが判別される。このとき（回復スイッチの出力信号がＬレベルを保持しているとき）該判別結果は“Ｎｏ”となって、そのまま本ルーチンを終了する。従って、回復スイッチの出力信号がＬレベルを保持する限り，ステップＳ６０００，Ｓ６００２，Ｓ６０１０が繰返し実行されることとなる。
　この状態から回復スイッチ２８０が押されて該スイッチからの信号がＬレベルからＨレベルに変化すると、前記ステップＳ６０１０の判別結果が“Ｙｅｓ”に転じ、続くステップＳ６０１２にて今回ループで回復スイッチ７８０の出力信号がＬレベルからＨレベルとなったことを記憶すべく回復変化フラグを“１”設定し、次いでステップＳ６０１４にて回復スイッチの出力がもはやＬレベルでないことを示すべく回復Ｌレベルフラグを“０”リセットして、本ルーチンを終了する。
　前回ループに続いて今回ループでも出力信号がＨレベルのときには、前記ステップＳ６０１２の処理により回復変化フラグが“１”設定されているのでステップＳ６０００の判別結果が“Ｙｅｓ”に転じ、ステップＳ６０１６に進んで、今回ループでの回復スイッチの出力信号がＨレベル（回復スイッチ出力＝“１”）であるか否かが判別される。このとき判別結果は“Ｙｅｓ”となり、続くステップＳ６０１８にて前記回復変化フラグを“０”にリセットし更にステップＳ６０２０にて回復ＯＮフラグを“１”に設定して本ルーチンを終了する。
　その後のループで回復スイッチの出力信号が依然ＨレベルのときにはステップＳ６０００の判別結果が“Ｎｏ”に転じ（回復変化フラグは前記ステップＳ６０１８にて“０”にリセットされている）、次いでステップＳ６００２，ステップＳ６００４の判別結果が共に“Ｎｏ”となって、以後ステップＳ６０００，Ｓ６００２，Ｓ６００４を繰返し実行することとなる。
　一方、回復スイッチの出力信号がＬレベルからＨレベルに変化した直後（前記ステップＳ６０１２，ステップＳ６０１４が実行された直後）のループで、回復スイッチの出力信号が再びＬレベルに変化したときには、前記ステップＳ６０１６の判別結果が“Ｎｏ”となり、前記ステップＳ６０１８（回復変化フラグ＝“０”）及び前記ステップＳ６０２０（回復ＯＮフラグ＝“１”）を実行することなく、ステップＳ６０２２にて今回ループでの出力レベルがＬレベルであることを記憶すべく回復Ｌレベルフラグを“１”に設定し、更に回復変化フラグを“０”に設定して（ステップＳ６０２４）、本ルーチンを終了する。
　このように回復スイッチの出力信号がＬレベルからＨレベルに変化した後、少なくとも２回の処理ループが実行される間に亘って前記出力信号がＨレベルを保持したときにのみ、回復ＯＮフラグを“１”に設定するようにしているのでノイズ等が発生して一時的に出力信号がＨレベルに立上がっても回復ＯＮフラグが誤って“１”に設定されることがない。
　第２８図は、第１８図の割込処理のステップＳ６２にて行なわれるセーフ球判定処理のサブルーチンを示すフローチャートである。
　このサブルーチンは、前述のセーフセンサ入力処理（第２１図）にてその値が決定されるセーフ立上りフラグ及びセーフ立下りフラグに基づいてセーフセンサの出力信号のパルス幅（Ｈレベルを保持する時間間隔）を測定し、Ｈレベルが保持される時間間隔が所定の範囲内（パチンコ遊技機内のセーフ球が流下する入賞球導出樋の形状に応じて実験的に決定される範囲（例えば４ｍｓｅｃ〜５０ｍｓｅｃ））であるとき、該出力信号がセーフ球の通過を表わすものと判断してセーフ記憶値を１だけ加算し、一方で、上記時間間隔が異常に長いとき（例えば１００ｍｓｅｃ以上）及びセンサ８３０のショートが検出されたときエラー処理をして遊技店の係員にこれを告知するものである。
　本ルーチンが開始されると、先ずステップＳ６２０２でセーフエラーフラグが“１”であるか否かが判別される。このセーフエラーフラグは詳細は後述するように、セーフセンサ８３０の出力信号がＨレベルを所定時間（１００ｍｓｅｃ）以上に亘って保持したとき又はセンサ８３０のショートが検出されたとき後述のステップＳ６２２６にてその値が“１”に設定されるものである。
　本ルーチンが初めて開始されたときには該フラグは“０”にリセットされているのでステップＳ６２０２の判別結果は“Ｎｏ”となりステップＳ６２０４にてセーフセンサ８３０がショートしているか否かが判別される。この判別は第５図に示すセーフセンサ８３０のショート検出部８３０ｃの出力端子Ｃに現われる出力信号に基づいて判断される。即ち、このＣ点の出力レベルがＬレベルのときはセーフセンサ８３０はショートしていないと判断され、反対にＨレベルのときショートしていると判断される。
　上記出力端子Ｃの出力レベルによりショートが検出されると（ステップＳ６２０４の判別結果が“Ｙｅｓ”）、後述のステップＳ６２２６乃至ステップＳ６２３４による一連のエラー処理が行なわれる。
　一方、前記ステップＳ６２０４の判別結果が“Ｎｏ”のときにはステップＳ６２０６以降に進み前述のセーフ立上りフラグ及びセーフ立下りフラグを用いた出力信号の波形監視（パルス幅チェック）を行なう。
　先ず、ステップＳ６２０６ではパルス幅チェックフラグが“１”であるか否かが判別される。このパルス幅チェックフラグはセーフセンサの出力信号が立上がったとき（セーフ立上フラグ＝“１”）に“１”に設定されるもので（後述のステップＳ６２１０）、該フラグはパルス幅の計測が行なわれている問その値が“１”に保持される。
　今仮りに、入賞した遊技球（セーフ球）が、未だセーフセンサ８３０内に達していない状態から、セーフセンサ内に至り、その後該セーフセンサ８３０内から脱した場合を考える。
　先ず、セーフ球がセンサ内に達していないときにはパルス幅チェックフラグは“０”であり（該フラグはステップＳ６２１０の実行によって初めて“１”に設定される）、ステップＳ６２０８に進んで前述のセーフ立上フラグが“１”であるか否かが判別される。
　セーフ球が未だセンサ内に達していないときにはこの判別結果は“Ｎｏ”となって、そのまま本ルーチンを終了する。従って、セーフ球がセンサ内に達するまで前記ステップＳ６２０２〜Ｓ６２０８のみが繰返し実行されることになる。
　その後、セーフ球がセンサ内に達すると（セーフセンサ出力が“１”に立ち上がると）、前述のセーフセンサ入力処理（第２１図）によりセーフ立上フラグが“１”に設定され、前記ステップＳ６２０８の判別結果が“Ｙｅｓ”に転じる。続くステップＳ６２１０ではパルス幅チェックフラグが“１”に設定され、次いでステップＳ６２１２にてパルス幅タイマが「０」からカウントを開始（スタート）し、その後本ルーチンを終了する。
　このパルス幅タイマは出力信号が立ち上がっている（Ｈレベルを保持する）時間間隔を測定するものであり、その測定値は後述のステップＳ６２１６，Ｓ６２２０，Ｓ６２２２の判別に用いられる。
　次のループに移ると前記ステップＳ６２０６の判別結果は“Ｙｅｓ”に転じ、ステップＳ６２１４に進んでセーフ立下フラグが“１”であるか否かの判別が行なわれる。このループにおいて依然セーフセンサの出力信号がＨレベルを保持しているときには（セーフ球がセンサ内を移動中のとき）、セーフ立下りフラグはその値が“０”であり（判別結果が“Ｎｏ”）、ステップＳ６２１６にてこの時点でのパルス幅タイマのカウント値が所定値（１００ｍｓｅｃ）以上になったか否かが判別される。
　セーフセンサ８３０の出力信号が立ち上がった後初めて本ステップの判別が実行されたときには判別結果は“Ｎｏ”となり、そのまま、本ルーチンを終了する。
　その後、セーフ球がセンサ内から脱するまでステップＳ６２０２，Ｓ６２０４，Ｓ６２０６及びステップＳ６２１４，Ｓ６２１６が繰返し行なわれることとなる。
　この状態から、セーフ球がセンサ内より脱して（セーフセンサ出力＝“０”）、前述のセーフセンサ入力処理によりセーフ立下フラグが“１”に設定されると、前記ステップＳ６２１４の判別結果が“Ｙｅｓ”に転じ、ステップＳ６２１８でパルス幅のカウントが終了されることを示すべくパルス幅チェックフラグを“０”にリセットしてステップＳ６２２０，Ｓ６２２２に進む。このステップＳ６２２０，Ｓ６２２２では上記パルス幅タイマのこの時点でのカウント値（出力信号がＨレベルとなっていた期間）が所定範囲内にあるか否かの判別が行なわれる。
　即ち、ステップＳ６２２０ではカウント値が、セーフ球がセーフセンサ８３０内を通過するのに要する時間の最小値（第１の所定値；例えば４ｍｓｅｃ）未満であるか否かが判別され、ステップＳ６２２２では上記カウント値が、セーフ球がセンサ内を通過するのに要する時間の最大値（第２の所定値；例えば５０ｍｓｅｃ）以下であるか否かが判別される。
　セーフ球がセーフセンサ８３０内を通過したときには、前記ステップＳ６２２０の判別結果が“Ｎｏ”、前記ステップＳ６２２２の判別結果が“Ｙｅｓ”となる筈であり、このとき、ステップＳ６２２４に進んで、この時点でのセーフ記憶値に１だけ加算して本ルーチンを終了する。
　一方、前記ステップＳ６２２０の判別結果が“Ｙｅｓ”、即ちセーフセンサの出力信号が立ち上がったと判断された時点から立ち下がったと判断された時点までの（Ｈレベルが保持された間の）時間間隔（タイマカウント値）が上記最小値（４ｍｓｅｃ）に満たないときには、該信号の立上り及び立下りはノイズ発生によるものであると判断して、セーフ記憶値を加算することなく本ルーチンを終了する。このときパルス幅チェックフラグは既にステップＳ６２１８にて“０”にリセットされているので次回以降のループでセンサの出力信号が再び立上がった後のパルス幅チェックは初めからやり直されることとなる。
　又、前記ステップＳ６２２２の判別結果が“Ｎｏ”、即ちセーフセンサの出力信号が立ち上がったと判断された時点から立ち下がったと判断された時点までの時間間隔（タイマカウント値）が上記最大値（５０ｍｓｅｃ）を超えたときには、該立上り及び立下りはセーフセンサが、該センサ内に侵入した異物をセーフ球であると誤って判断したものと見做して、セーフ記憶値を加算することなく本ルーチンを終了する。このときパルス幅チェックフラグは既にステップＳ６２１８にて“０”にリセットされているので次回以降のループでセンサの出力信号が再び立上がった後のパルス幅チェックは初めからやり直されることとなる。
　一方、本ルーチンではセーフセンサの出力信号が立ち上がった後、所定時間（第３の所定値；１００ｍｓｅｃ）が経過したにも拘らず未だ出力信号が立ち下がらないときには（ステップＳ６２１６の判別結果が“Ｙｅｓ”のとき）セーフセンサ自体に故障が発生したか、或いは遊技者がセンサ内に異物（ピアノ線等）を故意に挿入して不当にパルスを生じさせたものと判断して、ショートが検出された（ステップＳ６２０４の判別結果が“Ｙｅｓ”）のときと同様、ステップＳ６２２６以降のエラー処理を行なうようになっている。
　このエラー処理では先ずステップＳ６２２６でエラー処理が開始されたことを記憶すべくセーフエラーフラグを“１”に設定し、ステップＳ６２２８で遊技球の発射を禁止すべくモータ制御リレーをオフ（ＯＦＦ）し、ステップＳ６２３０でその時点で入賞して未だセーフセンサ８３０により検知されていないセーフ球の流出を阻止すべくセーフ球流出阻止ソレノイドを消磁（ＯＦＦ）し、次いで、情報表示装置（第４図）の故障表示ランプ４２５ｃにてエラー表示を行なうと共に（ステップＳ６２３２）、スピーカー６８９にてエラー音を発生させて（ステップＳ６２３４）、本ルーチンを終了する。
　前述のステップＳ６２１６の判別、又はステップＳ６２０４の判別によって一旦エラーが発生したと判断されると（セーフエラーフラグが“１”に設定されると）、次回以降のループではステップＳ６２０２の判別結果が“Ｙｅｓ”となって、前記ステップＳ６２３２（エラー表示），Ｓ６２３４（エラー音発生）のみが実行されることとなる。
　このように継続されるエラー処理は、メインルーチン（第１４図）のステップＳ１９にて行なわれるエラー回復処理（第１７図）で、回復スイッチの出力信号に基づいて（回復ＯＮフラグにより）のみ解除されるようになっている。
　第２９図は、前述した賞球排出制御装置のメインルーチン（第１４図）のステップＳ２２で実行される排出開始処理のサブルーチンを示すフローチャートである。
　このサブルーチンは、１つの入賞球（セーフ球）に対して１回行われる所定数の賞品球の排出を行なうに当り、上記所定数（賞球設定数）の賞品球を、２条設けられた第１及び第２の賞球導出樋７１０，７１０（第４図、第６図）の一方から幾つ排出し、他方から幾つ排出するか等排出の態様を予め決定すると共に、排出ソレノイド１及び／又は排出ソレノイド２を励磁（ＯＮ）して上記態様に従った賞品球の排出を開始させておくものである。
　本ルーチンが開始されると、先ず、ステップＳ１０２にて、前述の半端センサ入力処理（第２３図）で設定された半端センサ球有フラグが“１”であるか否か、即ち誘導樋２０２の半端センサ設置位置に予備球が溜っているか否かが判別される。
　続く、ステップＳ１０４では、前述したオーバーフロー検出入力処理（第２４図）で設定されたオーバーフロー球無フラグが“１”であるか否か、即ち排出された賞品球が賞球排出樋７５１内のオーバーフロー検出器７７０設置位置に達していないか否かが判別される。
　これらステップＳ１０２及びＳ１０４の判別結果の何れか一方が“Ｎｏ”のときには続くステップＳ１０６乃至ステップＳ１５０をスキップして本ルーチンを終了する。一方、前記ステップＳ１０２及びステップＳ１０４の判別結果が共に“Ｙｅｓ”のときにはステップＳ１０６以降の処理を実行する。
　ステップＳ１０６では、賞球排出制御装置６００に接続された賞球設定器５３０（第１３図参照）に予め記憶されている賞球設定数を排出レジスタ０に設定し、ステップＳ１０８で上記排出レジスタ０の値が「１」であるか否かが、続くステップＳ１１０で該排出レジスタ０の値が「８」以下であるか否かが夫々判別される。
　前記ステップＳ１０８の判別結果が“Ｙｅｓ”、即ち排出レジスタ０の値が「１」のときには、１個排出フラグを“１”に設定し（ステップＳ１１２）、交互排出フラグを“０”に設定し（ステップＳ１１４）、更に後述の１個排出処理（第３３図）で用いられる１個排出タイマを所定値にセットして（ステップＳ１１６）、ステップＳ１２２の反転フラグ処理を行なう。
　ここで、前述の１個排出フラグ及び交互排出フラグは、本ルーチンに引き続いて行なわれる排出処理（第３２図）の賞品球排出の態様を後述の３つの態様（排出ソレノイド１，２の何れか一方を作動させて唯１つの遊技球を排出する１個排出処理；排出ソレノイド１，２を交互に作動させて遊技球を排出する交互排出処理；排出ソレノイド１，２を同時に作動させて遊技球を排出する併用排出処理）から選択する際に用いられる判別フラグであり、１個排出フラグが“１”に設定されているときには１個排出処理（賞球設定数が１のとき）が、交互排出フラグが“１”に設定されているときには交互排出処理（賞球設定数が２〜８のとき）が、両フラグが共に“０”に設定されているときには併用排出処理（賞球設定数が９〜１５）が夫々行なわれる。
　第２９図に戻り、前記ステップＳ１０８の判別結果が“Ｎｏ”、前記ステップＳ１１０の判別結果が“Ｙｅｓ”、即ち上記排出排出レジスタ０の値が「２」以上「８」以下の値であるときには、１個排出フラグを“０”に設定し（ステップＳ１１８）、交互排出フラグを“１”に設定して（ステップＳ１２０）、ステップＳ１２２の反転フラグ処理を行なう。
　この反転フラグ処理は、賞品球の排出を１個排出処理、又は交互排出処理にて行うに際し、第１の賞球排出装置７４０の排出ソレノイド１と第２の賞球排出装置７４０の排出ソレノイド２とを交互に作動させるために設けられる「反転フラグ」の値を、１回のソレノイドの作動毎に交互に反転させるもので、第３０図に示すように、本処理開始時点で反転フラグが“１”（排出ソレノイド２に対応）であるとき（ステップＳ８００１の判別結果が“Ｙｅｓ”）には“０”に反転させ（ステップＳ８００２）、一方、反転フラグが“０”（排出ソレノイド１に対応）であるとき（ステップＳ８００１の判別結果が“Ｎｏ”）には“１”に反転させる（ステップＳ８００３）ようになっている。
　この反転フラグ処理（ステップＳ１２２）が終了すると、ステップＳ１２４にて前記反転フラグが“０”であるか否かが判別される。この判別結果が“Ｙｅｓ”のときには、第１の賞球排出装置７４０による賞品球の排出を行うべく排出ソレノイド１を励磁（ＯＮ）し（ステップＳ１２６）、一方、前記ステップＳ１２４の判別結果が“Ｎｏ”のときには第２の賞球排出装置７４０による賞品球の排出を行うべく排出ソレノイド２を励磁（ＯＮ）して（ステップＳ１２８）、夫々後述のステップＳ１４４以降に進む。
　又、前記ステップＳ１０８，Ｓ１１０の判別結果が共に“Ｎｏ”のとき、即ち賞球排出数が９以上のときには、後述する排出数分割処理（第３１図）を行なった後（ステップＳ１３０）、１個排出フラグを“０”に設定し（ステップＳ１３２）、交互排出フラグを“０”に設定し（ステップＳ１３４）、さらに、後述の併用排出処理にて用いられる排出１終了フラグ，排出２終了フラグの値を“０”にリセットする（ステップＳ１３６，ステップＳ１３８）と共に排出ソレノイド１、排出ソレノイド２を共に励磁（ＯＮ）して（ステップＳ１４０，ステップＳ１４２）、ステップＳ１４４以降に進む。
　ステップＳ１４４では、後述する排出処理にて所定数の賞品球の排出が終了したときに“１”に設定される排出ウェイトフラグを“０”にリセットする。次のステップＳ１４６では前述した処理ナンバー（処理ＮＯ）を“２”に設定し、ステップＳ１４８では、排出処理（第３２図）にて行われる３つの処理（１個排出処理，交互排出処理，併用排出処理）の各処理終了時に“１”に設定される排出終了フラグが“０”にリセットされ、さらにステップＳ１５０でセーフランプが点灯（ＯＮ）された後、本ルーチンを終了する。
　第３１図は、排出開始処理（第２９図）のステップＳ１３０にて実行される排出数分割処理のサブルーチンを示すフローチャートである。
　このルーチンは賞品球の排出が後述の併用排出処理にて行われるとき（賞球設定数（排出レジスタ０の値）が９以上１５以下のとき）にのみなされる処理である。これは、併用排出処理では排出ソレノイド１，２が１回の制御ループで同時に作動されるため、予め前記排出レジスタ０に記憶された値を２つに分けて２つの排出レジスタ１，２に夫々別個記憶しておくものである。そしてこれら２つの排出レジスタ１，２の値に応じて排出ソレノイド１，２が夫々独立して作動されるようになっている。
　本ルーチンが開始されると、ステップＳ１５２〜Ｓ１６２にて順次、排出レジスタの値が、「９」であるか否か（ステップＳ１５２）、「１０」であるか否か（ステップＳ１５４）、「１１」であるか否か（ステップＳ１５６）、「１２」であるか否か（ステップＳ１５８）、「１３」であるか否か（ステップＳ１６０）、「１４」であるか否か（ステップＳ１６２）が判別される。
　そして、前記ステップＳ１５２の判別結果が“Ｙｅｓ”のときにはステップＳ１６４にて排出レジスタ１の値を「５」に設定すると共にステップＳ１６６にて排出レジスタ２の値を「４」に設定して本ルーチンを終了する。
　以後、前記ステップＳ１５４の判別結果が“Ｙｅｓ”のときには排出レジスタ１，２の値を共に「５」に設定し（ステップＳ１６８，ステップＳ１７０）、前記ステップＳ１５６の判別結果が“Ｙｅｓ”のときには排出レジスタ１の値を「６」に設定する（ステップＳ１７２）と共に排出レジスタ２の値を“５”に設定し（ステップＳ１７４）、前記ステップＳ１５８の判別結果が“Ｙｅｓ”のときには排出レジスタ１，２の値を共に「６」に設定し（ステップＳ１７６，ステップＳ１７８）、前記ステップＳ１６０の判別結果が“Ｙｅｓ”のときには排出レジスタ１の値を「７」に設定する（ステップＳ１８０）と共に排出レジスタ２の値を「６」に設定し（ステップＳ１８２）、前記ステップＳ１６２の判別結果が“Ｙｅｓ”のときには排出レジスタ１，２の値を共に「７」に設定して（ステップＳ１８４，ステップＳ１８６）、夫々、本ルーチンを終了する。
　一方、前記ステップＳ１５２〜前記ステップＳ１６２の判別結果がすべて“Ｎｏ”のときには排出レジスタ１の値を“８”に設定する（ステップＳ１８８）と共に排出レジスタ２の値を“７”に設定して（ステップＳ１９０）、本ルーチンを終了する。
　第３２図は、前述した賞球排出制御装置側のＭＰＵ６２０にて行われるメインルーチン（第１４図）において、処理ナンバーが“２”のときに実行される排出処理のサブルーチンを示すフローチャートである。
　本ルーチンが開始されると、先ず、ステップＳ２０２で排出ウェイトフラグが“１”であるか否かが判別される。この排出ウェイトフラグは後述のステップＳ２２２にて“１”に設定され、前述の排出開始処理にて“０”にリセットされるもので、その値が“１”のとき１つのセーフ球に対応した所定数（賞球排出数）の賞品球の排出が終了したことを示すものである。
　この判別結果が“Ｎｏ”のときには、前述の排出開始処理（第２９図）にて賞球設定数に基づいてその値が設定される１個排出フラグが“１”であるか否か（ステップＳ２０４）、同じく賞球設定数に応じてその値が設定される交互排出フラグが“１”であるか否か（ステップＳ２０６）が夫々判別される。
　前記ステップＳ２０４の判別結果が“Ｙｅｓ”、即ち賞球設定数（排出レジスタ０）が「１」であるときには、ステップＳ２０８に進んで、詳細は後述する１個排出処理（第３３図）による賞品球の排出を行なった後ステップＳ２１８以降に進む。
　前記ステップＳ２０４の判別結果が“Ｎｏ”、前記ステップＳ２０６の判別結果が“Ｙｅｓ”のとき、即ち賞球設定数（排出レジスタ０の値）が「２」以上「８」以下のときにはステップＳ２１０に進んで、詳細は後述する交互排出処理（第３３図）による賞品球の排出を行なった後ステップＳ２１８以降に進む。
　前記ステップＳ２０４及び前記ステップＳ２０６の判別結果が共に“Ｎｏ”、即ち賞球設定数（排出レジスタ０の値）が「９」以上のときにはステップＳ２１２に進んで、詳細は後述する併用排出処理（第３５図）による賞品球の排出を行なった後ステップＳ２１８以降に進む。
　ステップＳ２１８では、１つの入賞球に対応した所定数（賞球設定数）の賞品球の排出が完了したか否か（排出終了フラグが“１”であるか否か）が判別され、この判別結果が“Ｎｏ”、即ち１つの入賞球に対応した所定数（賞球設定数）の賞品球の排出が未だ完了していないと判断されたときには続くステップＳ２２０乃至ステップＳ２２６をスキップして、本ルーチンを終了する。
　一方、前記ステップＳ２１８の判別結果が“Ｙｅｓ”のときには、セーフセンサにより入賞球が検知される毎に１宛加算される「セーフ記憶値」の値を１だけ減算し（ステップＳ２２０）、排出ウェイトフラグを“１”に設定し（ステップＳ２２２）、排出ウェイトタイマを所定時間（例えば４００ｍｓｅｃ）にセットし（ステップＳ２２４）、セーフランプを消灯（ＯＦＦ）して（ステップＳ２２６）、本ルーチンを終了する。
　上記ステップＳ２１８の判別結果が“Ｙｅｓ”に転じた後のループでは前記ステップＳ２０２の判別結果が“Ｙｅｓ”に転じ、ステップＳ２１４が実行される。このステップＳ２１４では排出ウェイトタイマがタイムアップしたか否かが判別され、判別結果が“Ｎｏ”、即ち所定数の賞品球の排出が終了した後前記所定時間が未だ経過していないときにはそのまま本ルーチンを終了し、当該所定時間が経過するまでステップＳ２０２及びステップＳ２１４のみを繰返し実行する。そして、上記所定時間が経過すると（ステップＳ２１４の判別結果が“Ｙｅｓ”）、ステップＳ２１６に進んで処理ナンバー（処理ＮＯ）を“０”に設定して、本ルーチンを終了する。
　このように、排出処理によって１つの入賞球に対応した所定数の賞品球の排出処理（この問処理ＮＯはその値が“２”に保持されている）が終了したときに処理ＮＯを“０”にリセットすることによって、次回以降のメインルーチンで、前記ステップＳ２２０にて１だけ減算された後の“セーフ記憶値”の数に対応した回数の賞品球の排出処理（賞球設定数分の賞品球の排出）が初めから繰返し実行されることになる。
　第３３図は、上述した排出処理（第３２図）のステップＳ２０８にて行われる１個排出処理のサブルーチンを示すフローチャートである。
　前述したように本ルーチンは排出される賞品球の数（賞球設定数）が「１」のときにのみ行われる処理である。
　本ルーチンが開始されると、ステップＳ２３２で前述の排出開始処理（第２９図）のステップＳ１１６にて所定値にセットされた１個排出タイマがタイムアップしたか否かが判別される。
　この１個排出タイマは、排出ソレノイド１又は２を作動させた後、第１、第２の賞球導出樋７１０，７１０内に入り込んでいる第１、第２の流下阻止部７４５，７４５（第７図参照）が、実際に上記導出樋７１０，７１０から脱して、唯一個の賞品球のみが流下するまでの時間（約３５ｍｓｅｃ）に設定されるものである。従って、該１個排出タイマが未だタイムアップしていないとき（判別結果が“Ｎｏ”）ときには続くステップＳ２３４乃至ステップＳ２４０をスキップして本ルーチンを終了し、タイムアップしたとき（判別結果が“Ｙｅｓ”）には１個排出が終了したと判断してステップＳ２３４に進む。
　ステップＳ２３４では、この時点での反転フラグが“１”であるか否かが判別され、判別結果が“Ｎｏ”のときには前述の排出開始処理（第２８図）のステップＳ１２６にて励磁された排出ソレノイド１を消磁（ＯＦＦ）し（ステップＳ２３６）、“Ｙｅｓ”のときには同じく排出開始処理のステップＳ１２８にて励磁された排出ソレノイド２を消磁（ＯＦＦ）して（ステップＳ２３８）、ステップＳ２４０に進み、本処理による賞品球の排出が終了したことを示すべく排出終了フラグを“１”に設定して、本ルーチンを終了する。
　第３４図は上述した排出処理（第３２図）のステップＳ２１０にて行われる交互排出処理のサブルーチンを示すフローチャートである。
　前述したように本ルーチンは排出される賞品球の数（賞球設定数）が「２」以上「８」以下のときに行われる処理であり、本ルーチンでは上述した第１および第２の賞球排出装置７４０，７４０を交互に使って賞品球を排出するようにしている。
　本ルーチンが開始されると、先ず、排出開始処理（第２９図）のステップＳ１２２で設定された反転フラグが“０”であるか否かが判別される（ステップＳ２５２）。
　この判別結果が“Ｙｅｓ”のときには第１の賞球排出装置７４０による賞品球の排出処理（ステップＳ２５４〜Ｓ２６４）が行われ、一方、判別結果が“Ｎｏ”のときには第２の賞球排出装置７４０による賞品球の排出処理（ステップＳ２６６〜Ｓ２７４，Ｓ２６４）が行われる。
　先ず、ステップＳ２５４では排出センサ１立上フラグが“１”であるか否かが判別される。この判別結果が“Ｎｏ”即ち前述の排出開始処理（第２９図）のステップＳ１２６にて排出ソレノイド１が励磁（ＯＮ）された後、未だ排出センサ１によって賞品球の排出が検知されないときには、続くステップＳ２５６乃至ステップＳ２６４をスキップして、本ルーチンを終了する。
　一方、このステップＳ２５４の判別結果が“Ｙｅｓ”のときには、この時点での排出レジスタ０の値から１だけ減算し（ステップＳ２５６）、該排出センサ１立上フラグを“０”にリセットして（ステップＳ２５８）、ステップＳ２６０に進む。
　ステップＳ２６０では前記減算した値が「１」であるか否かが判別され、この結果が“Ｎｏ”、即ち、排出ソレノイド１を励磁（ＯＮ）することによって第１の賞球排出装置から排出され、且つ排出センサ１によって検知された賞品球の数が「賞球設定数−１」に達していないと判断されたときには続くステップＳ２６２及びステップＳ２６４をスキップして、本ルーチンを終了する。
　一方、前記ステップＳ２６０の判別結果が“Ｙｅｓ”、即ち、前述の排出開始処理での排出ソレノイド１の励磁（ＯＮ）によって賞品球の排出が開始され、排出センサ１によって「賞球設定数−１」の数の賞品球が検出されたときには上記賞球設定数分の賞品球の排出がすべて完了したとみなして、ステップＳ２６２にて該排出ソレノイド１を消磁（ＯＦＦ）し、更に続くステップＳ２６４で排出終了フラグを“１”に設定して、本ルーチンを終了する。
　ところで、上述のように排出センサ１によって「賞球設定数−１」の数の賞品球が検知されたときに「賞球設定数」分の賞品球が全て排出されたと見做すのは以下の理由による。即ち、前記排出開始処理のステップＳ１２６にて排出ソレノイド１が励磁（ＯＮ）される直前には、通常、第７図に示すように、排出センサ１内には下から２番目の賞品球Ｂ２が位置している（このとき出力レベルはＨレベル）。その後排出ソレノイド１の励磁によって第１０図中３番目の賞品球Ｂ３が排出センサ１内に達したときに初めて該センサは賞品球が１個排出されたことを検出する。このため、例えばセンサによって賞品球が１個検知された後直ちに排出ソレノイド１を消磁すると（賞品球Ｂ３はセンサを通過し、流下阻止部材７４５によってその排出が阻止される）、２個の賞品球Ｂ１，Ｂ２が球導出樋７５０側に排出されることとなる。従って該交互排出処理及び後述の併用排出処理においては排出数（賞球設定数）より１つだけ少ない数「賞球設定数−１」だけ排出センサの立上りをカウントしてその排出処理を行えば賞球設定数分の賞品球の排出が行なわれることとなる。
　第３４図に戻り、前記ステップＳ２５２の判別結果が“Ｎｏ”、即ち反転フラグが“１”のときに行われる処理では、先ずステップＳ２６６で排出センサ２立上フラグが“１”であるか否かが判別される。この判別結果が“Ｎｏ”即ち前述の排出開始処理での排出ソレノイド２の励磁（ＯＮ）によって賞品球の排出が開始されたにも拘らず、未だ排出センサ２によって賞品球の排出が検知されないときには、続くステップＳ２６８乃至ステップＳ２７４および前記ステップＳ２６４をスキップして、本ルーチンを終了する。
　一方、前記ステップＳ２６６の判別結果が“Ｙｅｓ”、即ち排出センサ２によって該センサ内に賞品球が達したこと（排出センサ２立上フラグが“１”）が確認されると、この時点での排出レジスタ０の値を１だけ減算し（ステップＳ２６８）、排出センサ２立上フラグを“０”にリセットして（ステップＳ２７０）、ステップＳ２７２に進む。
　ステップＳ２７２では前記減算した値が「１」であるか否かが判別され、この結果が“Ｎｏ”、即ち、排出ソレノイド２を励磁（ＯＮ）することによって第２の賞球排出装置から排出され、且つ排出センサ２によって検知された賞品球の数が「賞球設定数−１」に達していないと判断したときにはステップＳ２７４及び前記ステップＳ２６４をスキップして、本ルーチンを終了する。
　一方、前記ステップＳ２７２の判別結果が“Ｙｅｓ”、即ち、前述の排出開始処理での排出ソレノイド２の励磁（ＯＮ）によって賞品球の排出が開始され、排出センサ２によって「賞球設定数−１」の賞品球が検知されたときには、上記賞球設定数の賞品球の排出がすべて完了したと見做して、ステップＳ２７４にて該排出ソレノイド２を消磁（ＯＦＦ）し、ステップＳ２６４に進んで排出終了フラグを“１”に設定した後、本ルーチンを終了する。
　ところで、上述のように第２の賞球排出装置７４０側の排出処理においても、排出センサ２によって「賞球設定数−１」の数の賞品球が検知されたときに「賞球設定数」分の賞品球が全て排出されたと見做すのは、第１の賞球排出装置７４０側の排出処理で述べた理由と同様である。
　第３５図は、上述した排出処理（第３２図）のステップＳ２１２にて行われる併用排出処理のサブルーチンを示すフローチャートである。
　前述したように本ルーチンは排出される賞品球の数（賞球設定数）が９以上（但し１５以下）のときに行われる処理であり、１ループの処理で第１及び第２の賞球排出装置７４０，７４０による賞品球の排出が同時に行なわれるものである（賞球設定数が奇数個の場合、最後の１個は一方の装置、例えば第１の賞球排出装置によって排出される）。
　本ルーチンが開始されると、ステップＳ３０２で排出１終了フラグが“１”であるか否かが判別される。この排出１終了フラグは第１の賞球排出装置が排出すべき賞球数（以下「第１の分割賞球数」という）分の賞品球の排出が完了したときに、後述のステップＳ３１４にて“１”に設定されるものである。
　前記ステップＳ３０２の判別結果が“Ｎｏ”、即ち第１の賞球排出装置が未だ前記排出分割処理（第３１図）にて設定された前記第１の分割賞球数分の賞品球の排出を完了していないときには、続くステップＳ３０４〜Ｓ３１４の処理が行われる。
　先ずステップＳ３０４では排出センサ１立上フラグが“１”であるか否かが判別され、この結果が“Ｎｏ”、即ち前述の排出開始処理（第２９図）の前記ステップＳ１４０で排出ソレノイド１を励磁（ＯＮ）した後、未だ賞品球の排出が排出センサ１によって一度も検知されていないときには、続くステップＳ３０６〜Ｓ３１４、さらには後述のステップＳ３１６をスキップして、ステップＳ３１８以降に進む。
　一方、この判別結果が“Ｙｅｓ”のときには、１個の賞品球が排出されたことを示す前記排出センサ１立上フラグの値を“１”から“０”にリセットする（ステップＳ３０６）とともに、排出レジスタ１の値を１だけ減算し（ステップＳ３０８）、更に該減算した値が「１」に達したか否かを判別する（ステップＳ３１０）。
　このステップＳ３１０の判別結果が“Ｎｏ”即ち第１の賞球排出装置によって排出され、且つ排出センサ１によって検知された賞品球の数が「第１の分割賞球数−１」に達していないときには、続くステップＳ３１２，Ｓ３１４，Ｓ３１６をスキップして、そのままステップＳ３１８以降に進む。
　一方、前記ステップＳ３１０の判別結果が“Ｙｅｓ”、即ち第１の賞球排出装置により排出され、且つ排出センサ１によって賞品球の数が検知された「第１の分割賞球数−１」となったときには第１の分割賞球数分の賞品球がすべて出されたと見做して、排出ソレノイド１を消磁（ＯＦＦ）する（ステップＳ３１２）とともに第１の賞球排出装置による賞品球の排出が完了した旨を記憶すべく排出１終了フラグを“１”に設定して（ステップＳ３１４）、ステップＳ３１６以降に進む。従って上記第１の分割賞球数分の賞品球の排出が全て完了した後において前記ステップＳ３０２の判別が行われたときには上記ステップＳ３０４〜Ｓ３１４がスキップされ、直接ステップＳ３１６以降に進むことになる。
　ステップＳ３１６では前記排出２終了フラグが“１”であるか否かが判別される。この排出２終了フラグは第２の賞球排出装置が排出すべき賞球数（以下「第２の分割賞球数」という）分の賞品球の排出が完了したときに、後述のステップＳ３２８にて“１”に設定されるものである。
　このステップＳ３１６判別結果が“Ｎｏ”、即ちこの時点で未だ、第２の賞球排出装置が、前記排出数分割処理（第３１図）で設定される前記第２の分割賞球数分の賞品球の排出を完了していないときには、ステップＳ３１８〜Ｓ３３０の処理が行われる。
　先ずステップＳ３１８では排出センサ２立上フラグが“１”であるか否かが判別され、この結果が“Ｎｏ”、即ち前述の排出開始処理のステップＳ１４２で排出ソレノイド２を励磁（ＯＮ）した後、未だ賞品球の排出が排出センサ２によって１つも検知されないときには、続くステップＳ３２０〜Ｓ３３２をスキップして、そのまま本ルーチンを終了する。
　一方、このステップＳ３１８の判別結果が“Ｙｅｓ”のときには、１個の賞品球が排出されたことを示す排出センサ２立上フラグの値（このとき“１”）を“０”にリセットする（ステップＳ３２０）とともに、排出レジスタ２の値を１だけ減算し（ステップＳ３２２）、更に該減算した値が「１」に達したか否かを判別する（ステップＳ３２４）。
　このステップＳ３２４の判別結果が“Ｎｏ”即ち、第２の賞球排出装置によって排出され且つ排出センサ２によって検知された賞品球の数が「第２の分割賞球数−１」に達していないときには、その続くステップＳ３２６，Ｓ３２８，Ｓ３３０及びステップＳ３３２をスキップして、本ルーチンを終了する。
　一方、前記ステップＳ３２４の判別結果が“Ｙｅｓ”、即ち第２の賞球排出装置により排出され、且つ排出センサ２によって検知された賞品球の数が「第２の分割賞球数−１」となったときには第２の分割賞球数分の賞品球がすべて出されたと見做して、排出ソレノイド２を消磁（ＯＦＦ）する（ステップＳ３２６）とともに第２の賞球排出装置による賞品球の排出が完了した旨を記憶すべく排出２終了フラグを“１”に設定して（ステップＳ３２８）、この時点での前記排出１終了フラグの値が“１”であるか否かを判断する（ステップＳ３３０）。
　前記ステップＳ３３０の判別結果が“Ｎｏ”のときには続くステップＳ３３２をスキップして本ルーチンを終了する。
　ステップＳ３３０の判別結果が“Ｙｅｓ”のとき、又は前記ステップＳ３１６の判別結果が“Ｙｅｓ”のとき（このとき排出１終了フラグは常に該併用排出処理によって賞球設定数分の賞品球の排出が全て完了したことを示すべく“１”となっている）に行われるステップＳ３３２では排出終了フラグを“１”に設定し、その後、本ルーチンを終了する。
　以上のように、賞球設定数が大きな値（９〜１５）に設定されているときに該設定数を分割して２つの排出レジスタ１，２にその値を記憶し、排出レジスタ１，２の値に基づいて第１及び第２の賞球排出装置を夫々独立して作動させることにより、多数の賞品球の排出が一層迅速に行えるようになる。
　尚、上述のように併用排出処理に於いても、排出センサ１，２によって「賞球設定数−１」の数の賞品球が検知されたときに［賞球設定数」分の賞品球が全て排出されたと見做すのは、交互排出処理の説明で述べた理由と同様である。
　次に、これまで説明してきた賞球排出制御装置による賞球排出制御の処理の途中で停電が発生し、主電源からの電力の供給が停止した場合に、バックアップ処理として行なわれる賞球排出制御装置側のパワーダウン割込み処理について第３６図を参照して説明する。
　このパワーダウン割込み処理は、賞球排出制御装置６００に供給される主電源（図示省略）からの電源電圧を常時監視する電源監視回路６８０ａ（第１３図参照）が停電状態を示す信号を出力したときに、それまで行なわれていたメインルーチン（第１４図）及び割込み処理（第１８図）に代えてその処理を開始するものであり、停電発生後の消費電力を必要最小限に抑えつつ、未だセーフ／アウトの判定がついていなかった遊技球の判定を停電発生後所定時間（セーフ検出タイマにてカウントする）に亘って実行する処理、その時点で発生しているセーフセンサ８３０ａの出力信号のセーフ球の入賞によるものであるか否かの判定を行なう処理、更には停電発生時の賞品球未払いのセーフ球の存在を示す等のバックアップ処理を行なうものである。
　先ず、停電の発生が前記電源監視回路６８０ａからの信号に基づいて検知されて本処理が開始されると、セーフ球流出阻止ソレノイド８５１、発射モータ１５１、排出ソレノイド１，２、シャッターソレノイド９１０等各種作動部への電力の供給が停止（出力リセット）される（ステップＳ３０）。特に、上述の如く停電発生時にセーフ球流出阻止ソレノイド８５１を消磁（ＯＦＦ）することによって、停電発生前に入賞し、未だセーフセンサによってその入賞が検知されていないセーフ球を、該セーフ球流出阻止ソレノイド８５１によってセンサ内に留めておくことができる（第８図（Ｂ））。
　次いで、ステップＳ３１では、セーフ検出タイマが所定値（例えば５ｓｅｃ）にセットされる。このセーフ検出タイマは、上記消磁されたセーフ球流出阻止ソレノイド８５１が消磁された後、実際にセーフ球の流出を阻止するまでの時間、及びセーフセンサの出力信号の立上りから立下りまでの時間間隔を測定してセーフ球判定処理を終了するに必要な所定時間より長い時間をカウントするためのものである。
　該セーフ検知タイマがセットされた後、ステップＳ３２では処理ＮＯが“０”にリセットされる。
　このように停電時に強制的に処理ＮＯをリセットすることにより、１つのセーフ球に対して賞品球の排出開始処理又は排出処理（第２９図又は第３２図）が実行されているときに停電が発生した場合であっても、該セーフ球に対する賞品球の排出が再び、初めから再開されることになって、遊技者の不利益とならないようになる。
　次のステップＳ３３ではセーフ記憶値が「０」であるか否かが判別され、判別結果が“Ｎｏ”、即ち、この時点（停電発生時）で、未だ対応する賞品球の排出が完了していない入賞球（以下「排出残球」と称す）が残っているときには、ステップＳ３４でその旨を示すべく情報表示装置４００の排出残球有表示ランプ４４５ｃを点灯（ＯＮ）し、その後ステップＳ３５に進み、一方、判別結果が“Ｙｅｓ”のときにはそのままステップＳ３５に進む。
　ステップＳ３５では前記ステップＳ３１でセットしたセーフ検出タイマがタイムアップしたか否かが判別され、判別結果が“Ｎｏ”、即ち停電発生後未だ上記所定時間（５ｓｅｃ）を経過せず、従って、セーフ球流出阻止ソレノイドによって流出が阻止されなかった遊技球がセーフセンサによって検知される可能性があるときには、ステップＳ３６にて前記タイマを更新すると共に、ステップＳ３７にて前述の割込処理でなされるのと同一の手続でセーフセンサ入力処理（第２１図）を行ない、さらに、ステップＳ３８にてこれも前述の割込処理でなされるのと同一の手続でセーフ球判定処理（第２８図）を行なったのち前記ステップＳ３５の判別結果が“Ｙｅｓ”に転じるまで前記ステップＳ３３に戻って処理を繰返し実行する。
　従って、停電発生時から上記所定時間が経過するまで前記ステップＳ３７でのセーフセンサ入力処理、及び前記ステップＳ３８でのセーフ球判定処理が繰返し実行されることとなり、セーフ球流出阻止ソレノイドにより流出が阻止されなかったセーフ球をセーフセンサにより確実に検知し、更に、該セーフ球を示すセンサ出力が正規のものであるか否かの判定を行なうことができるようになる。
　停電発生後上記所定時間が経過すると（ステップＳ３５の判別結果が“Ｙｅｓ”）、本ルーチンを終了して、賞球排出制御装置６００は、スタンバイモードヘと移行する。
　このスタンバイモードは、停電が発生している間、補助電源回路６８０ｂ（第１３図）から供給される電源電圧によって停電中に要求される賞球排出制御装置６００の機能（セーフ記憶値の保持、情報表示装置４００による表示等）を確保するためのモードであり、そのとき消費される電力量も必要最小限に抑えられることとなる。
　即ち、賞球排出制御装置６００側で行なわれている制御においては、通常の制御処理（第１４図のメインルーチン、第１８図の割込処理）中に停電が発生すると、停電発生後所定時間に亘ってセーフセンサの入力処理及びセーフ球判定処理を継続して処理可能とし、その後スタンバイモードに移行するようになっているため、停電発生後、賞球排出制御装置６００に供給される補助電源回路からの電力量を、入賞球の検出及びセーフセンサ出力の判定に必要な最低量を確保するだけで、従来、停電発生により無効とされていた停電直後の入賞球を有効に処理できるようになる。
　また、上記所定時間経過後は少なくともセーフ記憶値を記憶保持するだけの電力さえあれば良く、従って補助電源部として用いられているバックアップバッテリも小型のもので長期の停電に十分対応できるようになる。
　以上のように本実施例のパチンコ遊技機の賞球排出制御システムにおいては、セーフセンサ８３０にショート検出部（回路）が設けられ、一方、前記賞球排出制御装置６００のＭＰＵ６２０に前記セーフセンサ８３０からのパルス信号のパルス幅を測定するパルス幅検出部１６０３が設けられ、これらショート検出部及びパルス幅検出部の少なくとも一方からの信号に基づいてセーフセンサの故障状態（ショート、オープン、不正状態等）が検出され、このとき故障処理（故障発生の告知、遊技状態の停止等）が行われるようになっており、一方、故障状態が検出されなかったとき前記パルス幅検出部からの信号を受けたセーフ球判定部が賞品球の排出を行なうべく信号を出力しているので、故障発生が迅速に且つ正確に検出され、該故障発生により生じる遊技者への不利益を適正に補償することができるようになる。特に、本実施例では故障（エラー）状態が検知されたとき入賞球導出樋に設置されたセーフ球流出阻止ソレノイド８５１が消磁され、入賞球導出樋内のセーフ球の流出が即座に阻止されるので、故障発生によって未払いとなるセーフ球数に相当する回数の賞品球の未払い分を適切に補償することができるようになる。
　また、前記賞球排出制御装置６００には前記パルス幅検出部１６０３によって検出されたセーフセンサ８３０の出力信号のパルス幅がセーフ球の入賞によって生じたものでるか否かを判定するセーフ球判定手段１６０４が設けられているので該セーフ球の入賞によって生じ得る波形の出力信号のみを正規の出力信号として処理し、もってノイズ、或はセーフセンサ内に異物が侵入したことによって発生する出力信号を賞品球の排出制御の対象から除外し、もって賞品球の排出制御の精度を高め公正なパチンコ遊技を遊技者に提供することを可能ならしめることができるようになる。
　尚、本実施例ではセンサのパルス幅が第１の所定値（４ｍｓｅｃ）と第２の所定値（５０ｍｓｅｃ）の間の値のときにセーフ球が入賞したと判断し、第３の所定値（１００ｍｓｅｃ）以上のときにエラー（故障又は不正）が発生したと判断するようにしているが、上記判断においてパルス幅が上記第２の所定値以上のとき即座にこれをエラーと判断するようにしてもよい。
　また、本実施例では、セーフセンサの故障（エラー）の態様のうちショート状態がセンサ内部に設けられたショート検出部によって検出され、オープン状態が該センサの出力信号を受ける賞球排出制御装置内のＭＰＵ６２０（パルス幅検出部１６０３）によって検出されるようになっているがこれに限ることなく、ＭＰＵ６２０によってショート状態／オープン状態の双方を検出するようにしてもよいし、或はセンサ自体にオープン状態を検出するための回路を追加してもよい。更にまた実施例とは反対にセンサにオープン状態を検出する回路を構成しておきショート状態をＭＰＵ６２０にて検出するようにしてもよい。
　また、本実施例では、セーフセンサの出力信号がセーフ球の入賞を表しているか否かの判別をセンサ出力の立上りから立下りまでのリアルタイムを測定しこれを複数の所定値（第１〜第３の所定値）と比較することによって行うようにしているが、実施例とは反対に上記所定値を測定し、このときの出力状態を同時に監視するようにしても同様の作用効果が得られる。
　また、上記第１〜第３の所定値は実施例に示した値に限ることなく、パチンコ遊技機の裏機構盤に応じて実験的に決定したり、更には一旦実験的に設定した値を賞品球の排出制御系の経時的な変化に合わせて定期的に変化させてもよい。
　また、本実施例では賞球設定数が１種類のパチンコ遊技機、即ち入賞球受入れ樋８１０、入賞球導出樋８２０等、入賞球処理系統が１系統のパチンコ遊技機について説明したが、本発明に係るパチンコ遊技機の制御装置は、賞球設定数が２種類のパチンコ遊技機（この場合入賞球受入れ樋、入賞球導出樋等は２条独立して設けられ、上記２条の入賞球導出樋に２つのセーフセンサが夫々設置される）にも適用可能なのは勿論であり、上記２つのセーフセンサの出力に対して上述の制御を行なうようにしてもよい。
　また、本実施例では賞品球排出用の導出樋が２条（第１，第２の賞球導出樋）のパチンコ遊技機の例を示したが、これに限ることなく、１条の導出樋、又は３条以上導出樋を備えたパチンコ遊技機について本発明を適用することも可能である。
［発明の効果］
　本発明によれば、入賞球検出器が、入賞球導出樋を流下する入賞球を、当該入賞球に対して賞球排出を行う前に、流下状態のまま順次連続的に流下回収させながら１個宛検出し、該入賞球検出器から出力されるパルス信号を、パルス判定手段が、予め定められた
第１の
第１の
第１の
　また、心ない遊技者が故意にノイズを発生させたり、遊技機の隙間から異物を挿入して入賞球検出器を誤作動させた場合であっても、不正行為による賞球排出を防止でき、遊技店側が不利益を被ったりすることを防止できる。
　特に、入賞球導出樋を流下する入賞球を、当該入賞球に対して賞球排出を行う前に、流下状態のまま順次連続的に流下回収させながら入賞球検出器により１個宛検出し、該検出によるパルス信号を入賞球記憶手段により記憶し、該記憶に基づいて賞球排出を行う形式の遊技機においては、ノイズや不正等による賞球の排出により、遊技店が多大な不利益を被り易いので、それを防止する上で有利である。
　また、上記異常処理手段は、上記パルス判定手段により上記入賞球検出器から出力されるパルス信号が予め定められた
第１の
第２の
【図面の簡単な説明】
　第１図は本発明が適用されるパチンコ遊技機１０の前面の構成を示す正面図、
　第２図はパチンコ遊技機１０の分解斜視図、
　第３図は第１図に示す情報表示装置４００を前側から見た分解斜視図、
　第４図には、前記賞球排出部７００と、入賞球処理部８００の内部構成を示したパチンコ遊技機１０の裏面図、
　第５図は入賞球検出器（セーフセンサ）の回路構成図、
　第６図はパチンコ遊技機１０の裏側に設置された賞球排出部７００を構成する賞球排出ユニット７００Ａの分解斜視図、
　第７図は賞球排出ユニット７００Ａの内部機構を示す正面図、
　第８図（Ａ），（Ｂ）は入賞球処理装置８５０のセーフ球流出阻止ソレノイド８５１によるセーフ球の流出阻止動作を説明するための要部断面図、
　第９図（Ａ），（Ｂ）は供給皿１０２から発射レールの発射球待機部に遊技球を供給する発射球供給部９００の内部機構図、
　第１０図は賞球排出制御装置６００の全体構成を示す斜視図、
　第１１図は裏機構盤２００に取り付けられた開閉扉２５０と該開閉扉２５０の裏側に設置される役物制御装置５００とを示す分解斜視図、
　第１２図はパチンコ遊技機１０のセーフ球の入力処理を行なうセーフ球処理制御系の全体構成を示す制御ブロック図、
　第１３図は賞球排出制御装置６００による賞球排出制御系統の制御ブロック図
　第１４図は賞球排出制御装置６００にて行なわれる賞球排出制御のメインルーチンを示すプログラムフローチャート、
　第１５図は賞球排出制御のメインルーチンにて行なわれる記憶クリア処理のサブルーチンを示すフローチャート、
　第１６図は賞球排出制御のメインルーチンにて行なわれる補給処理のサブルーチンを示すフローチャート、
　第１７図は賞球排出制御のメインルーチンにて行なわれるエラー回復処理のサブルーチンを示すフローチャート、
　第１８図はメインルーチンに優先して所定時間経過毎に行なわれる割込処理を示すプログラムフローチャート、
　第１９図は割込処理にて行なわれる排出センサ１入力処理のサブルーチンを示すフローチャート、
　第２０図は割込処理にて行なわれる排出センサ２入力処理のサブルーチンを示すフローチャート、
　第２１図は割込処理にて行なわれるセーフセンサ入力処理のサブルーチンを示すフローチャート、
　第２２図は割込処理にて行なわれる補給センサの入力処理のサブルーチンを示すフローチャート、
　第２３図は割込処理にて行なわれる半端センサの入力処理のルーチンを示すフローチャート、
　第２４図は割込処理にて行なわれるオーバーフロー検出器７７０の入力処理のサブルーチンを示すフローチャート、
　第２５図は割込処理にて行なわれる発射モータ制御処理のサブルーチンを示すフローチャート、
　第２６図は割込処理にて行なわれる記憶クリアスイッチ入力処理のサブルーチンを示すフローチャート、
　第２７図は割込処理にて行なわれる回復スイッチ入力処理のサブルーチンを示すフローチャート、
　第２８図は割込処理にて行なわれるセーフ球判定処理のサブルーチンを示すフローチャート、
　第２９図は賞球排出制御装置のメインルーチンで実行される排出開始処理のサブルーチンを示すフローチャート、
　第３０図は排出開始処理にて行なわれる反転フラグ処理を示すフローチャート、
　第３１図は排出開始処理にて実行される排出数分割処理のサブルーチンを示すフローチャート、
　第３２図は賞球排出制御のメインルーチンにおいて実行される排出処理のサブルーチンを示すフローチャート、
　第３３図は排出処理にて行われる１個排出処理のサブルーチンを示すフローチャート、
　第３４図は排出処理にて行われる交互排出処理のサブルーチンを示すフローチャート、
　第３５図は排出処理にて行われる併用排出処理のサブルーチンを示すフローチャート、
　第３６図は主電源からの電力の供給が停止したときに行われる賞球排出制御のパワーダウン割込処理のサブルーチンを示すフローチャートである。
　１０・・・・パチンコ遊技機（遊技機）、１０９・・・・特定入賞口（入賞部）、７００・・・・賞球排出部（球排出装置）、８２０・・・・入賞球導出樋、８３０・・・・セーフセンサ（入賞球検出器）、１６０１・・・・セーフセンサ故障検出部（パルス判定手段、異常処理手段）、１６０３・・・・パルス幅検出部（パルス判定手段、異常処理手段）、１６０４・・・・セーフ球判定部（パルス判定手段、異常処理手段）、１６０５・・・・セーフ球記憶部（入賞球記憶手段）。